(57)【要約】【課題】本発明は、撮影装置でも撮影画像データを保存する。【解決手段】本発明は、撮影主体装置が撮影命令に応じて被写体を撮影して主体撮影画像データを記録すると共に、撮影命令信号を複数の撮影装置に送信して被写体を撮影させて従属撮影画像データを記録させ、撮影画像要求信号を複数の撮影装置に送信して従属撮影画像データを取得し、当該複数の撮影装置に対し送信相手が生成した従属撮影画像データを除く他の撮影装置が生成した従属撮影画像データを主体撮影画像データと共有用撮影画像データ群として送信し記録する。よって撮影主体装置及び複数の撮影装置で主体撮影画像データ及び従属撮影画像データを容易に取得でき、撮影装置でも被写体を複数の撮影方向から撮影して生成した撮影画像データを保存し得る。【選択図】図１５
2006157897.tif 000002
【特許請求の範囲】
【請求項１】
被写体に対する撮影の主体となる撮影主体装置に、当該撮影主体装置に対する従属として上記被写体を撮影する複数の撮影装置を通信接続して構築した撮影システムであって、
上記撮影主体装置が、上記被写体に対する撮影命令の入力に応じて、上記被写体を撮影することにより当該被写体の撮影像に応じた主体撮影画像データを生成して記録すると共に、撮影命令信号を上記撮影主体装置の通信範囲内に存在する複数の上記撮影装置に送信し、
上記通信範囲内の複数の上記撮影装置が、上記撮影主体装置から送信された上記撮影命令信号の受信に応じて、上記被写体を撮影することにより当該被写体の撮影像に応じた従属撮影画像データを生成して記録し、
上記撮影主体装置が、撮影画像要求信号を上記通信範囲内の複数の上記撮影装置に送信し、
上記通信範囲内の複数の上記撮影装置が、上記撮影主体装置から送信された上記撮影画像要求信号の受信に応じて、上記従属撮影画像データを上記撮影主体装置に送信し、
上記撮影主体装置が、上記通信範囲内の複数の上記撮影装置から送信された上記従属撮影画像データを受信して記録し、
上記撮影主体装置が、上記通信範囲内の複数の上記撮影装置に対し、それぞれ送信相手となる上記撮影装置により生成された上記従属撮影画像データのみを除く他の上記撮影装置により生成された上記従属撮影画像データを上記主体撮影画像データと共にまとめて共有用撮影画像データ群として送信し、
上記通信範囲内の複数の上記撮影装置が、上記撮影主体装置から送信された上記共有用撮影画像データ群を受信して記録する
ことを特徴とする撮影システム。
【請求項２】
従属的に被写体を撮影する複数の従属撮影装置と通信接続し、当該被写体に対する撮影の主体となる撮影主体装置であって、
上記被写体に対する撮影命令を任意の時点で入力させるための撮影命令入力手段と、
上記撮影命令入力手段を介して入力された上記撮影命令に応じて、上記被写体を撮影することにより当該被写体の撮影像に応じた主体撮影画像データを生成する主体撮影画像データ生成手段と、
上記主体撮影画像データ生成手段によって生成された上記主体撮影画像データを記録する主体撮影画像データ記録手段と、
上記撮影命令入力手段を介して入力された上記撮影命令に応じて、自己の通信範囲内に存在する複数の上記従属撮影装置に上記被写体を撮影させることにより当該被写体の撮影像に応じた従属撮影画像データを生成させて記録させるための撮影命令信号を当該通信範囲内の複数の上記従属撮影装置に送信する撮影命令信号送信手段と、
上記通信範囲内の複数の上記従属撮影装置に対し、上記被写体を撮影させることにより生成されて記録された上記従属撮影画像データを要求する撮影画像要求信号を当該通信範囲内の複数の上記従属撮影装置に送信する撮影画像要求信号送信手段と、
上記撮影画像要求信号送信手段による上記撮影画像要求信号の送信の結果、上記通信範囲内の複数の上記従属撮影装置から送信された上記従属撮影画像データを受信する従属撮影画像データ受信手段と、
上記従属撮影画像データ受信手段によって受信された上記従属撮影画像データを記録する従属撮影画像データ記録手段と、
上記通信範囲内の複数の上記従属撮影装置に対し、上記従属撮影画像データ記録手段により記録された上記従属撮影画像データのうちそれぞれ送信相手となる上記従属撮影装置により生成された上記従属撮影画像データのみを除く他の上記従属撮影装置により生成された上記従属撮影画像データを、上記主体撮影画像データ記録手段により記録された上記主体撮影画像データと共にまとめて共有用撮影画像データ群として送信する共有用撮影画像データ送信手段と
を具えることを特徴とする撮影主体装置。
【請求項３】
従属的に被写体を撮影する複数の従属撮影装置による当該被写体に対する撮影の主体となる撮影主体方法であって、
任意の時点で入力された上記被写体に対する撮影命令に応じて、上記被写体を撮影することにより当該被写体の撮影像に応じた主体撮影画像データを生成して記録すると共に、自己の通信範囲内に存在する複数の上記従属撮影装置に上記被写体を撮影させることにより当該被写体の撮影像に応じた従属撮影画像データを生成させて記録させるための撮影命令信号を当該通信範囲内の複数の上記従属撮影装置に送信する撮影命令信号送信ステップと、
上記通信範囲内の複数の上記従属撮影装置に対し、上記被写体を撮影させることにより生成されて記録された上記従属撮影画像データを要求する撮影画像要求信号を当該通信範囲内の複数の上記従属撮影装置に送信する撮影画像要求信号送信ステップと、
上記撮影画像要求信号の送信の結果、上記通信範囲内の複数の上記従属撮影装置から送信された上記従属撮影画像データを受信する従属撮影画像データ受信ステップと、
上記受信した上記従属撮影画像データを記録する従属撮影画像データ記録ステップと、
上記通信範囲内の複数の上記従属撮影装置に対し、上記記録した上記従属撮影画像データのうちそれぞれ送信相手となる上記従属撮影装置により生成された上記従属撮影画像データのみを除く他の上記従属撮影装置により生成された上記従属撮影画像データを、上記記録した上記主体撮影画像データと共にまとめて共有用撮影画像データ群として送信する共有用撮影画像データ送信ステップと
を具えることを特徴とする撮影主体方法。
【発明の詳細な説明】
【技術分野】
【０００１】
本発明は撮影システム、撮影主体装置及び撮影主体方法に関し、例えば複数のデジタルスチルカメラを有する撮影システムに適用して好適なものである。
【背景技術】
【０００２】
従来の撮影システム（すなわち、画像遠隔送受信システム）は、カメラをネットワークを介して受信表示装置に接続し、当該カメラで被写体光から生成した広角固定焦点の第１の画像と当該第１の画像の一部を拡大ズームした第２の画像とを受信表示装置に送信して第１及び第２の画像の合成画像を表示することにより、当該受信表示装置により広角固定焦点の第１の画像を見せながらカメラに対して第２の画像を得るための拡大ズーム用の撮影方向を遠隔操作している（例えば、特許文献１参照）。
【特許文献１】特開２００１−１０３４６６公報（第１０頁、第１４頁、図１、図３、図１０）
【発明の開示】
【発明が解決しようとする課題】
【０００３】
ところがかかる構成の撮影システムにおいては、受信表示装置の従属として複数のカメラが被写体を撮影することにより生成した撮影画像データを当該受信表示装置が取り込んでいる。すなわち、かかる撮影システムにおいては、複数のカメラが、被写体を複数の撮影方向から撮影して生成した撮影画像データを保存するようには構成されていないという問題があった。
【０００４】
本発明は以上の点を考慮してなされたもので、被写体を従属的に撮影する撮影装置でも当該被写体を複数の撮影方向から撮影して生成した撮影画像データを保存し得る撮影システム、撮影主体装置及び撮影主体方法を提案しようとするものである。
【課題を解決するための手段】
【０００５】
かかる課題を解決するため本発明においては、被写体に対する撮影の主体となる撮影主体装置に、当該撮影主体装置に対する従属として被写体を撮影する複数の撮影装置を通信接続して構築した撮影システムにおいて、撮影主体装置が、被写体に対する撮影命令の入力に応じて、被写体を撮影することにより当該被写体の撮影像に応じた主体撮影画像データを生成して記録すると共に、撮影命令信号を撮影主体装置の通信範囲内に存在する複数の撮影装置に送信し、通信範囲内の複数の撮影装置が、撮影主体装置から送信された撮影命令信号の受信に応じて、被写体を撮影することにより当該被写体の撮影像に応じた従属撮影画像データを生成して記録し、撮影主体装置が、撮影画像要求信号を通信範囲内の複数の撮影装置に送信することで当該通信範囲内の複数の撮影装置から返信された従属撮影画像データを受信して記録するようにして、通信範囲内の複数の撮影装置に対し、それぞれ送信相手となる撮影装置により生成された従属撮影画像データのみを除く他の撮影装置により生成された従属撮影画像データを主体撮影画像データと共にまとめて共有用撮影画像データ群として送信して記録するようにした。
【０００６】
従って本発明では、撮影主体装置及び複数の撮影装置において情報処理装置等を用いた再記録等の煩雑な手順を必要とせずに主体撮影画像データ及び従属撮影画像データを容易に取得することができる。
【発明の効果】
【０００７】
本発明によれば、撮影主体装置が被写体に対する撮影命令の入力に応じて、被写体を撮影することにより当該被写体の撮影像に応じた主体撮影画像データを生成して記録すると共に、撮影命令信号を撮影主体装置の通信範囲内に存在する複数の撮影装置に送信し、通信範囲内の複数の撮影装置が、撮影主体装置から送信された撮影命令信号の受信に応じて、被写体を撮影することにより当該被写体の撮影像に応じた従属撮影画像データを生成して記録し、撮影主体装置が、撮影画像要求信号を通信範囲内の複数の撮影装置に送信することで当該通信範囲内の複数の撮影装置から返信された従属撮影画像データを受信して記録するようにして、通信範囲内の複数の撮影装置に対し、それぞれ送信相手となる撮影装置により生成された従属撮影画像データのみを除く他の撮影装置により生成された従属撮影画像データを主体撮影画像データと共にまとめて共有用撮影画像データ群として送信して記録するようにしたことにより、撮影主体装置及び複数の撮影装置において情報処理装置等を用いた再記録等の煩雑な手順を必要とせずに主体撮影画像データ及び従属撮影画像データを容易に取得することができ、かくして被写体を従属的に撮影する撮影装置でも当該被写体を複数の撮影方向から撮影することにより生成した撮影画像データを保存し得る撮影システム、撮影主体装置及び撮影主体方法を実現することができる。
【発明を実施するための最良の形態】
【０００８】
以下図面について、本発明の一実施の形態を詳述する。
【０００９】
（１）第１の実施の形態
図１において、１は全体として第１の実施の形態による撮影システムを示し、人物等の被写体２に対する撮影の主体となる１台のデジタルスチルカメラ（以下、これを主体デジタルスチルカメラと呼ぶ）３に、当該主体デジタルスチルカメラ３に対する従属として被写体２を撮影する他の複数のデジタルスチルカメラ（以下、これを従属デジタルスチルカメラと呼ぶ）４Ａ乃至４Ｎを近距離無線通信技術であるＢｌｕｅｔｏｏｔｈ等に準拠して無線接続して構築されている。
【００１０】
この場合、主体デジタルスチルカメラ３は、撮影命令が入力されると、これに応じて被写体２を撮影することにより当該被写体２の撮影像に応じた撮影画像データ（以下、これを主体撮影画像データと呼ぶ）を生成して記録すると共に、その撮影命令を複数の従属デジタルスチルカメラ４Ａ乃至４Ｎに送信する。
【００１１】
また複数の従属デジタルスチルカメラ４Ａ乃至４Ｎは、主体デジタルスチルカメラ３から送信された撮影命令を受信すると、当該受信した撮影命令に応じて被写体２を撮影することにより当該被写体２の撮影像に応じた撮影画像データ（以下、これを従属撮影画像データと呼ぶ）を生成して記録する。
【００１２】
そして主体デジタルスチルカメラ３は、被写体２の撮影が終了すると、複数の従属デジタルスチルカメラ４Ａ乃至４Ｎから被写体２を撮影して生成された従属撮影画像データを取得する。
【００１３】
このようにして撮影システム１は、ユーザに対して主体デジタルスチルカメラ３に撮影命令を入力させるだけで当該主体デジタルスチルカメラ３及び従属デジタルスチルカメラ４Ａ乃至４Ｎによって被写体２を複数方向から一括して撮影すると共に、その結果従属デジタルスチルカメラ４Ａ乃至４Ｎで生成した複数種類の従属撮影画像データを主体デジタルスチルカメラ３に取得し得るようになされている。
【００１４】
ここで例えば主体デジタルスチルカメラ３及び複数の従属デジタルスチルカメラ４Ａ乃至４Ｎはそれぞれ同様の外観構成を有することにより、代表して主体デジタルスチルカメラ３の外観構成について以下に説明する。
【００１５】
すなわち図２（Ａ）及び（Ｂ）に示すように、主体デジタルスチルカメラ３は箱型の筐体１０を有し、当該筐体１０の正面１０Ａ中央部に被写体２から到来する撮影光を取り込むレンズ１１が設けられると共に、当該レンズ１１近傍に筐体１０の正面１０Ａから背面１０Ｂに渡ってビューファインダ１２が設けられている。
【００１６】
また筐体１０の上面１０Ｃの一端には、利用可能な撮影モードの種類となる写真撮影モード及び動画撮影モードと、被写体２を撮影して生成した主体撮影画像データ及び従属撮影画像データを再生する再生モードとを選択するためのモード選択キー１３が設けられると共に、被写体２に対する撮影命令を入力するためのシャッタボタン１４が設けられ、当該モード選択キー１３を介して所望の撮影モードが選択された状態でシャッタボタン１４が押下されると、被写体２を写真撮影及び動画撮影し得るようになされている。
【００１７】
さらに筐体１０の背面１０Ｂには、液晶ディスプレイでなる表示部１５と、各種操作命令を入力するための操作命令入力キー１６とが設けられ、モード選択キー１３を介して選択された再生モードに応じて表示部１５に、各種命令を入力するための複数のアイコンを有するメニュー画面（図示せず）を表示すると共に、この状態で操作命令入力キー１６を介してメニュー画面上でアイコンを介して各種命令が入力されると、当該入力された命令に応じて表示部１５にメニュー画面に替えて、被写体２を撮影して得られた主体撮影画像データ及び従属撮影画像データに基づく主体撮影画像及び従属撮影画像等を表示し得るようになされている。
【００１８】
次いで主体デジタルスチルカメラ３及び従属デジタルスチルカメラ４Ａ乃至４Ｎはそれぞれ基本的にはほぼ同様の回路構成を有するものの、被写体２に対する撮影の主体としての主体撮影機能と、主体デジタルスチルカメラ３に対する従属としての従属撮影機能とのいずれを実現するかによってわずかに異なる構成を有することにより、以下にまず主体デジタルスチルカメラ３の回路構成について説明する。
【００１９】
図３に示すように、主体デジタルスチルカメラ３は、ＣＰＵ（Central Processing Unit ）、ＳＲＡＭ（Static Random Access Memory ）等の不揮発性メモリ、ＲＯＭ（Read Only Memory）等を有するコントローラ（以下、これを主体コントローラと呼ぶ）２０にパラレルバス２１を介してＤＲＡＭ（Dynamic Random Access Memory）２２が接続されると共に、当該主体コントローラ２０に、モード選択キー１３、シャッタボタン１４及び操作命令入力キー１６等でなる操作部２３が接続されている。
【００２０】
そして主体コントローラ２０は、操作部２３を介して入力される各種命令に応じて、内部のＲＯＭに予め格納した主体登録処理プログラムや、主体撮影処理プログラム、撮影画像取得処理プログラム、撮影画像再生処理プログラム等の各種アプリケーションプログラムをＤＲＡＭ２２上で展開して主体デジタルスチルカメラ３の各回路部を統括的に制御することにより、従属デジタルスチルカメラ４Ａ乃至４Ｎに対する主体登録処理や、被写体２に対する主体撮影処理、当該従属デジタルスチルカメラ４Ａ乃至４Ｎから従属撮影画像データを取得する撮影画像取得処理、主体撮影画像データ及び従属撮影画像データを再生する撮影画像再生処理等を実行する。
【００２１】
すなわち主体コントローラ２０は、操作部２３の操作に応じて再生モードが選択されると、内部のＲＯＭに予め格納しているメニュー画面データをオンスクリーンディスプレイコントローラ（以下、これをＯＳＤＣと呼ぶ）２４及びデータ合成部２５を順次介して表示部１５に送出することにより当該表示部１５にメニュー画面データに基づくメニュー画面を表示する。
【００２２】
そして主体コントローラ２０は、主体デジタルスチルカメラ３の無線通信範囲（以下、これを主体無線通信範囲と呼ぶ）内に１又は複数の従属デジタルスチルカメラ４Ａ乃至４Ｎが存在する状態で操作部２３を介してメニュー画面上で従属登録命令が入力されると、当該従属デジタルスチルカメラ４Ａ乃至４Ｎに対する主体登録処理を開始する。
【００２３】
そして主体コントローラ２０は、従属デジタルスチルカメラ４Ａ乃至４Ｎに対して主体デジタルスチルカメラ３に対する従属としての登録を要求する従属登録要求データＤ１を生成し、これをパラレルバス２１を介して接続された送受信処理部２６に送出することにより当該送受信処理部２６においてその従属登録要求データＤ１を送信処理し、得られた従属登録要求信号Ｓ１をアンテナ２７から主体無線通信範囲内の従属デジタルスチルカメラ４Ａ乃至４Ｎに送信する。
【００２４】
この結果、主体コントローラ２０は、従属デジタルスチルカメラ４Ａ乃至４Ｎから主体デジタルスチルカメラ３に対する従属の登録を承諾する従属登録承諾信号Ｓ２が送信されると、これをアンテナ２７で受信して送受信処理部２６に取り込み、当該送受信処理部２６においてその従属登録承諾信号Ｓ２を受信処理し、得られた従属登録承諾データＤ２を取り込む。
【００２５】
これにより主体コントローラ２０は、従属登録承諾データＤ２に基づいて、主体デジタルスチルカメラ３に対して従属の登録を承諾した従属デジタルスチルカメラ４Ａ乃至４Ｎを認識する。
【００２６】
そして主体コントローラ２０は、内部のＲＯＭから予め格納している主体デジタルスチルカメラ３固有の主体登録用識別情報を読み出し、これを従属デジタルスチルカメラ４Ａ乃至４Ｎに対して主体デジタルスチルカメラ３を被写体２に対する撮影の主体として登録するための主体登録データＤ３として送受信処理部２６に送出して送信処理し、得られた主体登録信号Ｓ３をアンテナ２７から従属デジタルスチルカメラ４Ａ乃至４Ｎに送信する。
【００２７】
この結果、主体コントローラ２０は、従属デジタルスチルカメラ４Ａ乃至４Ｎから当該従属デジタルスチルカメラ４Ａ乃至４Ｎ固有の従属登録用識別情報が主体デジタルスチルカメラ３に対する従属として登録するための従属登録信号Ｓ４として送信されると、これをアンテナ２７で受信して送受信処理部２６において受信処理し、得られた従属登録データＤ４を取り込む。
【００２８】
これにより主体コントローラ２０は、従属登録データＤ４に基づいて得られた従属登録用識別情報を内部の不揮発性メモリに記憶し、かくして主体デジタルスチルカメラ３に対して従属的に動作する従属デジタルスチルカメラ４Ａ乃至４Ｎを登録（以下、これを従属登録と呼ぶ）して主体登録処理を終了する。
【００２９】
因みに主体コントローラ２０は、従属デジタルスチルカメラ４Ａ乃至４Ｎに従属登録要求信号Ｓ１を送信した結果、当該従属デジタルスチルカメラ４Ａ乃至４Ｎから主体デジタルスチルカメラ３に対する従属登録を拒絶する従属登録拒絶信号Ｓ５が送信されると、これをアンテナ２７で受信して送受信処理部２６において受信処理し、得られた従属登録拒絶データＤ５を取り込む。
【００３０】
これにより主体コントローラ２０は、従属登録拒絶データＤ５に基づいて、主体デジタルスチルカメラ３に対して従属登録を拒絶した従属デジタルスチルカメラ４Ａ乃至４Ｎを認識し、主体登録処理を終了する。
【００３１】
因みに主体コントローラ２０は、この後、主体撮影処理を実行するときや撮影画像取得処理等を実行するときには、各種信号に従属登録用識別情報を付加して送信することにより送信相手の従属デジタルスチルカメラ４Ａ乃至４Ｎに自分宛ての各種信号を識別させて適確に受信させると共に、従属デジタルスチルカメラ４Ａ乃至４Ｎから送信される各種信号に対しても主体登録用識別情報を付加させることにより当該各種信号を識別して適確に受信する。
【００３２】
また主体コントローラ２０は、１又は複数の従属デジタルスチルカメラ４Ａ乃至４Ｎを従属登録した後、操作部２３を介してメニュー画面上で従属デジタルスチルカメラ４Ａ乃至４Ｎに対する撮影条件を設定する撮影条件設定命令が入力されると、これに応じて撮影条件設定処理を開始して内部のＲＯＭから予め格納している撮影条件設定画面データを読み出す。
【００３３】
そして主体コントローラ２０は、撮影条件設定画面データをＯＳＤＣ２４及びデータ合成部２５を順次介して表示部１５に送出することにより当該表示部１５にメニュー画面に替えて撮影条件設定画面データに基づく撮影条件設定画面を表示する。
【００３４】
この状態で主体コントローラ２０は、撮影条件設定画面上で、主体デジタルスチルカメラ３による被写体２の写真撮影に連動して従属デジタルスチルカメラ４Ａ乃至４Ｎにも被写体２を写真撮影させる場合の撮影条件（以下、これを写真撮影条件と呼ぶ）を選択させる。
【００３５】
すなわち主体コントローラ２０は、写真撮影条件として従属デジタルスチルカメラ４Ａ乃至４Ｎで被写体２を写真撮影するタイミングとなる撮影時点を選択させるようになされており、実際には従属デジタルスチルカメラ４Ａ乃至４Ｎに対して、主体デジタルスチルカメラ３で撮影命令が入力された撮影命令入力時点（すなわち、主体デジタルスチルカメラ３でシャッタボタン１４が押下された時点であり、以下、これを主体撮影命令入力時点と呼ぶ）とほぼ同時に被写体２を写真撮影させるか、又は主体撮影命令入力時点から所定遅延時間経過後の遅延時点（以下、これを写真撮影時点と呼ぶ）に被写体２を写真撮影させるかのいずれか一方を選択させる。
【００３６】
また主体コントローラ２０は、このとき従属デジタルスチルカメラ４Ａ乃至４Ｎに対して、主体撮影命令入力時点から所定遅延時間経過後の写真撮影時点に被写体２を写真撮影させるように選択されると、これに合わせてその主体撮影命令入力時点から写真撮影時点までの遅延時間（以下、これを写真撮影遅延時間と呼ぶ）も任意（例えば、数秒乃至数10秒程度）に選択させる。
【００３７】
さらに主体コントローラ２０は、撮影条件設定画面上で、主体デジタルスチルカメラ３による被写体２の動画撮影に連動して従属デジタルスチルカメラ４Ａ乃至４Ｎに被写体２を動画撮影させる場合の撮影条件（以下、これを動画撮影条件と呼ぶ）も選択させる。
【００３８】
すなわち主体コントローラ２０は、動画撮影条件として従属デジタルスチルカメラ４Ａ乃至４Ｎで被写体２の動画撮影を開始するタイミングとなる撮影時点を選択させるようになされており、実際には従属デジタルスチルカメラ４Ａ乃至４Ｎに対して主体撮影命令入力時点とほぼ同時に被写体２の動画撮影を開始させるか、又は当該主体撮影命令入力時点から所定遅延時間経過後の遅延時点（以下、これを動画撮影開始時点と呼ぶ）に被写体２の動画撮影を開始させるかのいずれか一方を選択させる。
【００３９】
そして主体コントローラ２０は、このとき従属デジタルスチルカメラ４Ａ乃至４Ｎに対して主体撮影命令入力時点とほぼ同時に被写体２の動画撮影を開始させるように選択されると、これに合わせて従属デジタルスチルカメラ４Ａ乃至４Ｎに対する被写体２の動画撮影の時間（以下、これを動画撮影時間と呼ぶ）を任意（例えば、数秒乃至数10秒程度）に選択させる。
【００４０】
また主体コントローラ２０は、従属デジタルスチルカメラ４Ａ乃至４Ｎに対して主体撮影命令入力時点から所定遅延時間経過後の動画撮影開始時点に被写体２の動画撮影を開始させるように選択されると、これに合わせて当該主体撮影命令入力時点から動画撮影開始時点までの遅延時間（以下、これを動画撮影遅延時間と呼ぶ）を任意（例えば、数秒乃至数10秒程度）に選択させると共に、当該従属デジタルスチルカメラ４Ａ乃至４Ｎに対する被写体２の動画撮影時間も任意（例えば、数秒乃至数10秒程度）に選択させる。
【００４１】
このようにして主体コントローラ２０は、個々の従属デジタルスチルカメラ４Ａ乃至４Ｎに対する写真撮影条件及び動画撮影条件が選択されると、当該写真撮影条件の情報（以下、これを写真撮影条件情報と呼ぶ）及び動画撮影条件の情報（以下、これを動画撮影条件情報と呼ぶ）を内部の不揮発性メモリに記憶して従属登録用識別情報と対応付ける。
【００４２】
これにより主体コントローラ２０は、内部の不揮発性メモリ上で、主体デジタルスチルカメラ３に対して従属的に動作するように従属登録している個々の従属デジタルスチルカメラ４Ａ乃至４Ｎと、当該個々の従属デジタルスチルカメラ４Ａ乃至４Ｎに対して被写体２を従属的に写真撮影及び動画撮影させる際の写真撮影条件及び動画撮影条件とを検出し得る登録情報データテーブルを生成する。
【００４３】
そして主体コントローラ２０は、操作部２３を介して写真撮影モードが選択されると、被写体２に対する写真撮影用の主体撮影処理（以下、これを主体写真撮影処理と呼ぶ）を開始し、被写体２から到来する撮像光Ｌ１をレンズ１１を透過させてＣＣＤ（Charge Coupled Device）等でなる固体撮像素子２８で受光する。
【００４４】
固体撮像素子２８は、受光している撮像光Ｌ１を所定周期で順次光電変換することにより当該撮像光Ｌ１に応じたアナログの撮像出力信号Ｓ６を生成し、これをデータ生成部２９に送出する。
【００４５】
データ生成部２９は、固体撮像素子２８から順次与えられた撮像出力信号Ｓ６をアナログデジタル変換した後、所定のデータ処理を施すことにより撮像動画像データＤ６を生成し、当該生成した撮像動画像データＤ６をデータ抽出部３０及びデータ合成部２５を順次介して表示部１５に送出することにより、当該表示部１５に撮像動画像データＤ６に基づく撮像動画像を表示する。
【００４６】
このとき主体コントローラ２０は、主体無線通信範囲内に、すでに従属登録して従属動作可能な状態（すなわち、起動している状態）の従属デジタルスチルカメラ４Ａ乃至４Ｎが存在するか否かを探索し、かつ従属デジタルスチルカメラ４Ａ乃至４Ｎに被写体２に対する従属的な写真撮影用の撮影処理（以下、これを従属写真撮影処理と呼ぶ）を開始させるための探索データＤ７Ａを生成し、これを送受信処理部２６に送出して送信処理し、得られた探索信号Ｓ７Ａをアンテナ２７から送信する。
【００４７】
この結果、主体コントローラ２０は、主体無線通信範囲内に存在する従属動作可能な従属デジタルスチルカメラ４Ａ乃至４Ｎから、探索信号Ｓ７Ａに応じて従属写真撮影処理を開始して当該従属デジタルスチルカメラ４Ａ乃至４Ｎの存在と共に、主体デジタルスチルカメラ３に対して従属動作可能なことを通知するための従属動作可能通知信号Ｓ８が返信されると、これをアンテナ２７で受信して送受信処理部２６において受信処理し、得られた従属動作可能通知データＤ８を取り込む。
【００４８】
これにより主体コントローラ２０は、従属動作可能通知データＤ８に基づいて、主体無線通信範囲内に存在する従属動作可能な従属デジタルスチルカメラ４Ａ乃至４Ｎを認識する。
【００４９】
また主体コントローラ２０は、従属動作可能通知データＤ８に基づいて、主体無線通信範囲内に存在する従属動作可能な従属デジタルスチルカメラ４Ａ乃至４Ｎをユーザに通知するための従属カメラ通知画面データＤ９を生成し、当該生成した従属カメラ通知画面データＤ９をＯＳＤＣ２４を介してデータ合成部２５に送出する。
【００５０】
データ合成部２５は、データ生成部２９からデータ抽出部３０を介して与えられた撮像動画像データＤ６に従属カメラ通知画面データＤ９を合成し、得られた従属カメラ通知用合成画面データＤ１０を表示部１５に送出することにより、表示部１５に従属カメラ通知用合成画面データＤ１０に基づく図４に示すような従属カメラ通知用合成画面３２を表示する。
【００５１】
ここで従属カメラ通知用合成画面３２は、撮像動画像データＤ６に基づく撮像動画像上に従属カメラ通知画面データＤ９に基づく従属カメラ通知画面を重ねて構成されている。
【００５２】
この場合、従属カメラ通知用合成画面３２において撮像動画像上に重ねられた従属カメラ通知画面は、その周辺部に、従属登録した全ての従属デジタルスチルカメラ４Ａ乃至４Ｎをそれぞれ表す複数のカメラ通知アイコン３３Ａ乃至３３Ｌが設けられると共に、従属登録した従属デジタルスチルカメラ４Ａ乃至４Ｎに対して主体デジタルスチルカメラ３が被写体２を主体的に撮影することを通知する主体撮影実行通知アイコン３４が設けられている。
【００５３】
そして従属カメラ通知用合成画面３２は、各カメラ通知アイコン３３Ａ乃至３３Ｌのうち主体無線通信範囲内に存在する従属デジタルスチルカメラ４Ａ乃至４Ｎ用のカメラ通知アイコン３３Ａ乃至３３Ｃ、３３Ｆ、３３Ｉ、３３Ｋ及び３３Ｌと、当該主体無線通信範囲内に存在しない従属デジタルスチルカメラ４Ａ乃至４Ｎ用のカメラ通知アイコン３３Ｄ及び３３Ｅ、３３Ｇ及び３３Ｈ、３３Ｊとが互いに異なる表示状態（異なる色や、点灯及び消灯等）に選定されている。
【００５４】
また従属カメラ通知用合成画面３２は、従属カメラ通知画面がカメラ通知アイコン３３Ａ乃至３３Ｌと、主体撮影機能実行通知アイコン３４とが設けられた部分以外で撮像動画像を透過させている。
【００５５】
従って主体コントローラ２０は、従属カメラ通知用合成画面３２によりユーザに被写体２に対する撮像状態を目視確認させながら、当該被写体２に対する写真撮影の際に主体デジタルスチルカメラ３に対して従属的に動作し得る従属デジタルスチルカメラ４Ａ乃至４Ｎを通知することができる。
【００５６】
因みに主体コントローラ２０は、主体写真撮影処理を実行している間、定期的に探索信号Ｓ７Ａを送信することにより主体無線通信範囲内で従属動作可能な従属デジタルスチルカメラ４Ａ乃至４Ｎ（最初に探索信号Ｓ７Ａを送信した時点よりも遅れて自己無線通信範囲内に入った従属動作可能な従属デジタルスチルカメラ４Ａ乃至４Ｎを含む）を常時把握すると共に、当該把握した従属動作可能な従属デジタルスチルカメラ４Ａ乃至４Ｎをユーザに通知し得るようになされている。
【００５７】
主体コントローラ２０は、このようにして被写体２を撮像している状態で操作部２３からシャッタボタン１４の押下操作に応じて撮影命令が入力されると、データ抽出部３０においてデータ生成部２９から与えられた撮像動画像データＤ６を構成する時間的に連続した複数の撮像静止画像データのうち主体撮影命令入力時点に生成した１枚の撮像静止画像に相当する撮像静止画像データを主体写真撮影画像データＤ１１として抽出し、当該抽出した主体写真撮影画像データＤ１１をＤＲＡＭ２２に格納する。
【００５８】
そして主体コントローラ２０は、ＤＲＡＭ２２からその主体写真撮影画像データＤ１１を読み出して取り込み、当該主体写真撮影画像データＤ１１をＪＰＥＧ（Joint Photographic Experts Group）等の圧縮符号化方式に従って圧縮符号化し、得られた写真画像圧縮符号化データを再びＤＲＡＭ２２に格納する。
【００５９】
また主体コントローラ２０は、このとき主体写真撮影画像データＤ１１に対する記録管理用のファイル名や、当該主体写真撮影画像データＤ１１を抽出した時点の主体写真撮影日時情報（すなわち、被写体２を写真撮影した時点となる主体撮影命令入力時点の日時の情報）等を格納した写真ファイルヘッダデータを生成する。
【００６０】
そして主体コントローラ２０は、その写真ファイルヘッダデータをＤＲＡＭ２２内の写真画像圧縮符号化データの先頭に付加して主体写真ファイルデータＤ１２を生成し、当該生成した主体写真ファイルデータＤ１２をＤＲＡＭ２２からパラレルバス２１を介して記録再生制御部３５に転送する。
【００６１】
これにより主体コントローラ２０は、記録再生制御部３５によりその主体写真ファイルデータＤ１２を、主体デジタルスチルカメラ３に着脱自在に装着されたメモリスティック（商標）等の記録媒体３６に記録する。
【００６２】
これに加えて主体コントローラ２０は、操作部２３からシャッタボタン１４の押下操作に応じて撮影命令が入力されると、その主体撮影命令入力時点で内部の不揮発性メモリから、その時点に主体無線通信範囲内に存在する従属デジタルスチルカメラ４Ａ乃至４Ｎに対する写真撮影条件情報を読み出し、当該読み出した写真撮影条件情報を主体写真撮影日時情報と共に格納した写真撮影命令データＤ１３を生成すると共に、これを送受信処理部２６に送出して送信処理し、得られた写真撮影命令信号Ｓ１０をアンテナ２７から主体無線通信範囲内の従属デジタルスチルカメラ４Ａ乃至４Ｎに送信する。
【００６３】
これにより主体コントローラ２０は、主体無線通信範囲内に存在する従属動作可能な従属デジタルスチルカメラ４Ａ乃至４Ｎにそれぞれ写真撮影条件に従って主体撮影命令入力時点とほぼ同時又は当該主体撮影命令入力時点から写真撮影遅延時間経過後の写真撮影時点に被写体２を写真撮影させる。
【００６４】
このようにして主体コントローラ２０は、従属デジタルスチルカメラ４Ａ乃至４Ｎに被写体２を従属的に写真撮影させた後、操作部２３を介して再生モードが選択され等して主体写真撮影処理の終了が命令されると、主体無線通信範囲内に存在する従属デジタルスチルカメラ４Ａ乃至４Ｎに従属写真撮影処理を終了させるための従属写真撮影終了データＤ１４を生成する。
【００６５】
そして主体コントローラ２０は、従属写真撮影終了データＤ１４を送受信処理部２６に送出して送信処理し、得られた従属写真撮影終了信号Ｓ１１をアンテナ２７から、主体無線通信範囲内に存在する従属動作可能な従属デジタルスチルカメラ４Ａ乃至４Ｎに送信した後、主体写真撮影処理を終了する。
【００６６】
また主体コントローラ２０は、操作部２３を介して動画撮影モードが選択されると、被写体２に対する動画撮影用の主体撮影処理（以下、これを主体動画撮影処理と呼ぶ）を開始し、当該操作部２３からシャッタボタン１４の押下操作に応じて撮影命令が入力されるまでの間は、上述した主体写真撮影処理の場合と同様に固体撮像素子２８、データ生成部２９、データ抽出部３０、データ合成部２５、表示部１５、ＯＳＤＣ２４、送受信処理部２６及びアンテナ２７を制御する。
【００６７】
これにより主体コントローラ２０は、被写体２に対する撮像を開始すると共に、主体無線通信範囲内に存在する従属動作可能な従属デジタルスチルカメラ４Ａ乃至４Ｎを探索し、かつ当該従属デジタルスチルカメラ４Ａ乃至４Ｎに被写体２に対する従属的な動画撮影用の撮影処理（以下、これを従属動画撮影処理と呼ぶ）を開始させるための探索データＤ７Ｂを送受信処理部２６に送出した送信処理し、得られた探索信号Ｓ７Ｂをアンテナ２７から送信する。
【００６８】
この結果、主体コントローラ２０は、主体無線通信範囲内で従属動作可能な従属デジタルスチルカメラ４Ａ乃至４Ｎから、探索信号Ｓ７Ｂの受信に応じて従属動画撮影処理が開始されることにより返信された従属動作可能通知信号Ｓ８をアンテナ２７で受信すると、これを送受信処理部２６で受信処理して得られた従属動作可能通知データＤ８に基づいて従属カメラ通知画面データＤ９を生成する。
【００６９】
そして主体コントローラ２０は、撮像動画像データＤ６に従属カメラ通知画面データＤ９を合成して従属カメラ通知用合成画面データＤ１０を生成し、表示部１５に図４について上述した従属カメラ通知用合成画面３２を表示することにより、ユーザに被写体２に対する撮像状態を目視確認させながら、当該被写体２に対する動画撮影の際に主体デジタルスチルカメラ３に対して従属的に動作し得る従属デジタルスチルカメラ４Ａ乃至４Ｎを通知する。
【００７０】
因みに主体コントローラ２０は、主体動画撮影処理を実行している間、上述した主体写真撮影処理を実行している場合と同様に定期的に探索信号Ｓ７Ｂを送信することにより主体無線通信範囲内で従属動作可能な従属デジタルスチルカメラ４Ａ乃至４Ｎ（最初に探索信号Ｓ７Ｂを送信した時点よりも遅れて自己無線通信範囲内に入った従属動作可能な従属デジタルスチルカメラ４Ａ乃至４Ｎを含む）を常時把握すると共に、当該把握した従属動作可能な従属デジタルスチルカメラ４Ａ乃至４Ｎをユーザに通知する。
【００７１】
この状態で主体コントローラ２０は、操作部２３からシャッタボタン１４の押下操作に応じて撮影命令が入力されると、ユーザにより予め主体デジタルスチルカメラ３に対して任意に設定された被写体２の動画撮影に対する動画撮影時間（例えば、数秒乃至数10秒程度）に従ってデータ抽出部３０を制御する。
【００７２】
これにより主体コントローラ２０は、データ抽出部３０においてデータ生成部２９から与えられた撮像動画像データＤ６を構成する時間的に連続した複数の撮像静止画像データのうち主体撮影命令入力時点から動画撮影時間経過後の経過時点（以下、これを動画撮影終了時点と呼ぶ）までに生成した時間的に連続する複数枚の撮像静止画像に相当する複数の撮像静止画像データを主体動画撮影画像データＤ１６として抽出し、当該抽出した主体動画撮影画像データＤ１６をＤＲＡＭ２２に格納する。
【００７３】
そして主体コントローラ２０は、ＤＲＡＭ２２からその主体動画撮影画像データＤ１６を読み出して取り込み、当該主体動画撮影画像データＤ１６をＭＰＥＧ（Moving Picture Experts Group）等の圧縮符号化方式に従って圧縮符号化し、得られた動画像圧縮符号化データを再びＤＲＡＭ２２に格納する。
【００７４】
また主体コントローラ２０は、このとき主体動画撮影画像データＤ１６に対する記録管理用のファイル名や、当該主体動画撮影画像データＤ１６の抽出を開始した時点の主体動画撮影開始日時情報（すなわち、被写体２に対する動画撮影を開始した時点となる主体撮影命令入力時点の日時の情報）等を格納した動画ファイルヘッダデータを生成する。
【００７５】
さらに主体コントローラ２０は、その動画ファイルヘッダデータをＤＲＡＭ２２内の動画像圧縮符号化データの先頭に付加して主体動画ファイルデータＤ１７を生成し、当該生成した主体動画ファイルデータＤ１７をＤＲＡＭ２２から記録再生制御部３５に転送することにより、当該記録再生制御部３５によりその主体動画ファイルデータＤ１７を記録媒体３６に記録する。
【００７６】
これに加えて主体コントローラ２０は、操作部２３からシャッタボタン１４の押下操作に応じて撮影命令が入力されると、その主体撮影命令入力時点で内部の不揮発性メモリから、その時点に主体無線通信範囲内に存在する従属デジタルスチルカメラ４Ａ乃至４Ｎに対する動画撮影条件情報を読み出し、当該読み出した動画撮影条件情報を主体動画撮影開始日時情報と共に格納した動画撮影命令データＤ１８を生成すると共に、これを送受信処理部２６に送出して送信処理し、得られた動画撮影命令信号Ｓ１３をアンテナ２７から主体無線通信範囲内の従属デジタルスチルカメラ４Ａ乃至４Ｎに送信する。
【００７７】
これにより主体コントローラ２０は、主体無線通信範囲内に存在する従属動作可能な従属デジタルスチルカメラ４Ａ乃至４Ｎに動画撮影条件に従って主体撮影命令入力時点とほぼ同時又は当該主体撮影命令入力時点から動画撮影遅延時間経過後の動画撮影開始時点に被写体２の動画撮影を開始させて当該被写体２を動画撮影時間経過後の動画撮影終了時点まで動画撮影させる。
【００７８】
このようにして主体コントローラ２０は、従属デジタルスチルカメラ４Ａ乃至４Ｎに被写体２を従属的に動画撮影させた後、操作部２３を介して再生モードが選択される等して主体動画撮影処理の終了が命令されると、主体無線通信範囲内に存在する従属デジタルスチルカメラ４Ａ乃至４Ｎに従属動画撮影処理を終了させるための従属動画撮影終了データＤ１９を生成する。
【００７９】
そして主体コントローラ２０は、従属動画撮影終了データＤ１９を送受信処理部２６に送出して送信処理し、得られた従属動画撮影終了信号Ｓ１４をアンテナ２７から、主体無線通信範囲内に存在する従属動作可能な従属デジタルスチルカメラ４Ａ乃至４Ｎに送信した後、主体動画撮影処理を終了する。
【００８０】
主体コントローラ２０は、例えば主体写真撮影処理の終了後に操作部２３の操作に応じて再生モードが選択されると、メニュー画面データをＯＳＤＣ２４及びデータ合成部２５を順次介して表示部１５に送出することにより当該表示部１５にメニュー画面データに基づくメニュー画面を表示する。
【００８１】
この状態で主体コントローラ２０は、操作部２３を介してメニュー画面上で写真撮影画像の取得命令が入力されると、撮影画像取得処理（以下、これを写真撮影画像取得処理と呼ぶ）を開始することにより内部の不揮発性メモリから、主体写真撮影処理時に被写体２を従属的に写真撮影させた従属デジタルスチルカメラ４Ａ乃至４Ｎに対する写真撮影条件情報を読み出し、当該読み出した写真撮影条件情報を主体デジタルスチルカメラ３で被写体２を主体的に写真撮影した時点（すなわち、主体撮影命令入力時点）の主体写真撮影日時情報と共に格納した写真撮影画像要求データＤ２０を生成する。
【００８２】
そして主体コントローラ２０は、その写真撮影画像要求データＤ２０を送受信処理部２６に送出して送信処理し、得られた写真撮影画像要求信号Ｓ１５をアンテナ２７から送信する。
【００８３】
この結果、主体コントローラ２０は、主体無線通信範囲内に存在する従属デジタルスチルカメラ４Ａ乃至４Ｎから主体デジタルスチルカメラ３の写真撮影に連動して被写体２を従属的に写真撮影した結果生成された従属写真ファイルデータＤ２１に相当する写真ファイル信号Ｓ１６が送信されると、これをアンテナ２７で受信して送受信処理部２６において受信処理し、得られた従属写真ファイルデータＤ２１を記録再生制御部３５を介して記録媒体３６に記録する。
【００８４】
このようにして主体コントローラ２０は、複数の従属デジタルスチルカメラ４Ａ乃至４Ｎからそれぞれ被写体２を従属的に写真撮影させて生成された従属写真ファイルデータＤ２１を集めて取得し、当該集めて取得した従属写真ファイルデータＤ２１を主体デジタルスチルカメラ３で被写体２を写真撮影して生成した主体写真ファイルデータＤ１２と共に記録媒体３６でまとめて保管し得るようになされている。
【００８５】
また主体コントローラ２０は、例えば主体動画撮影処理の終了後に操作部２３の操作に応じて再生モードが選択されると、メニュー画面データをＯＳＤＣ２４及びデータ合成部２５を順次介して表示部１５に送出することにより当該表示部１５にメニュー画面データに基づくメニュー画面を表示する。
【００８６】
この状態で主体コントローラ２０は、操作部２３を介してメニュー画面上で動画撮影画像の取得命令が入力されると、撮影画像取得処理（以下、これを動画撮影画像取得処理と呼ぶ）を開始することにより内部の不揮発性メモリから、主体動画撮影処理時に被写体２を従属的に動画撮影させた従属デジタルスチルカメラ４Ａ乃至４Ｎに対する動画撮影条件情報を読み出し、当該読み出した動画撮影条件情報と共に主体デジタルスチルカメラ３で被写体２の主体的な動画撮影を開始した時点（すなわち、主体撮影命令入力時点）の主体動画撮影開始日時情報を格納した動画撮影画像要求データＤ２２を生成する。
【００８７】
そして主体コントローラ２０は、その動画撮影画像要求データＤ２２を送受信処理部２６に送出して送信処理し、得られた動画撮影画像要求信号Ｓ１７をアンテナ２７から送信する。
【００８８】
この結果、主体コントローラ２０は、主体無線通信範囲内に存在する従属デジタルスチルカメラ４Ａ乃至４Ｎから主体デジタルスチルカメラ３の動画撮影に連動して被写体２を従属的に動画撮影した結果生成された従属動画ファイルデータＤ２３に相当する従属動画ファイル信号Ｓ１８が送信されると、これをアンテナ２７で受信して送受信処理部２６において受信処理し、得られた従属動画ファイルデータＤ２３を記録再生制御部３５を介して記録媒体３６に記録する。
【００８９】
このようにして主体コントローラ２０は、複数の従属デジタルスチルカメラ４Ａ乃至４Ｎからそれぞれ被写体２を従属的に動画撮影させて生成された従属動画ファイルデータＤ２３を集めて取得し、当該集めて取得した従属動画ファイルデータＤ２３を主体デジタルスチルカメラ３で被写体２を動画撮影して生成した主体動画ファイルデータＤ１７と共に記録媒体３６でまとめて保管し得るようになされている。
【００９０】
さらに主体コントローラ２０は、操作部２３の操作に応じて再生モードが選択されることにより表示部１５にメニュー画面を表示した状態で、引き続き操作部２３を介してそのメニュー画面上で写真撮影画像に対する再生命令が入力されると、撮影画像再生処理（以下、これを写真撮影画像再生処理と呼ぶ）を開始する。
【００９１】
この場合、主体コントローラ２０は、記録再生制御部３５を介して記録媒体３６内の主体写真ファイルデータＤ１２及び従属写真ファイルデータＤ２１に格納している主体写真撮影日時情報及び従属写真撮影日時情報を検索する。
【００９２】
これにより主体コントローラ２０は、記録再生制御部３５により記録媒体３６から、最も過去の主体写真撮影日時情報又は従属写真撮影日時情報を格納している主体写真ファイルデータＤ１２又は従属写真ファイルデータＤ２１から最も現時点に近い主体写真撮影日時情報又は従属写真撮影日時情報を格納している主体写真ファイルデータＤ１２又は従属写真ファイルデータＤ２１までを時系列的に順番に再生し、当該順番に再生した主体写真ファイルデータＤ１２及び従属写真ファイルデータＤ２１を順次ＤＲＡＭ２２に転送する。
【００９３】
また主体コントローラ２０は、ＤＲＡＭ２２に順次転送した主体写真ファイルデータＤ１２及び従属写真ファイルデータＤ２１から写真画像圧縮符号化データを抽出して取り込み、当該取り込んだ写真画像圧縮符号化データをＪＰＥＧ等の圧縮符号化方式に応じて復号化し、得られた主体写真撮影画像データＤ１１及び従属写真撮影画像データＤ２５を再びＤＲＡＭ２２に格納する。
【００９４】
さらに主体コントローラ２０は、ＤＲＡＭ２２から再び格納した主体写真撮影画像データＤ１１及び従属写真撮影画像データＤ２５のうち最も過去の写真撮影によって得られた主体写真撮影画像データＤ１１又は従属写真撮影画像データＤ２５をパラレルバス２１、データ抽出部３０及びデータ合成部２５を順次介して表示部１５に送出することにより当該表示部１５に主体写真撮影画像データＤ１１又は従属写真撮影画像データＤ２５に基づく主体写真撮影画像又は従属写真撮影画像を表示する。
【００９５】
そして主体コントローラ２０は、この際に操作部２３を介して写真撮影画像切替命令が入力されると、ＤＲＡＭ２２から主体写真撮影画像データＤ１１及び従属写真撮影画像データＤ２５を主体写真撮影日時情報及び従属写真撮影日時情報に応じた写真撮影の時系列に従って読み出してパラレルバス２１、データ抽出部３０及びデータ合成部２５を順次介して表示部１５に送出することにより当該表示部１５に主体写真撮影画像データＤ１１及び従属写真撮影画像データＤ２５に基づく主体写真撮影画像及び従属写真撮影画像を順次切り替えて表示する。
【００９６】
このようにして主体コントローラ２０は、主体デジタルスチルカメラ３及び従属デジタルスチルカメラ４Ａ乃至４Ｎによって被写体２を写真撮影して生成した主体写真撮影画像データＤ１１及び従属写真撮影画像データＤ２５に基づく主体写真撮影画像及び従属写真撮影画像を表示部１５を介して自由に目視させ得るようになされている。
【００９７】
これに加えて主体コントローラ２０は、操作部２３の操作に応じて再生モードが選択されることにより表示部１５にメニュー画面を表示した状態で、引き続き操作部２３を介してそのメニュー画面上で動画撮影画像に対する再生命令が入力されると、撮影画像再生処理（以下、これを動画撮影画像再生処理と呼ぶ）を開始する。
【００９８】
この際、主体コントローラ２０は、記録再生制御部３５を介して記録媒体３６内の主体動画ファイルデータＤ１７及び従属動画ファイルデータＤ２３に格納している主体動画撮影開始日時情報及び従属動画撮影開始日時情報を検索する。
【００９９】
これにより主体コントローラ２０は、記録再生制御部３５により記録媒体３６から、最も過去の主体動画撮影開始日時情報又は従属動画撮影開始日時情報を格納している主体動画ファイルデータＤ１７又は従属動画ファイルデータＤ２３から最も現時点に近い主体動画撮影開始日時情報又は従属動画撮影開始日時情報を格納している主体動画ファイルデータＤ１７又は従属動画ファイルデータＤ２３までを時系列的に順番に再生し、当該順番に再生した主体動画ファイルデータＤ１７及び従属動画ファイルデータＤ２３を順次ＤＲＡＭ２２に転送する。
【０１００】
また主体コントローラ２０は、ＤＲＡＭ２２に順次転送した主体動画ファイルデータＤ１７及び従属動画ファイルデータＤ２３から動画像圧縮符号化データを抽出して取り込み、当該取り込んだ動画像圧縮符号化データをＭＰＥＧ等の圧縮符号化方式に応じて復号化し、得られた主体動画撮影画像データＤ１６及び従属動画撮影画像データＤ２６を再びＤＲＡＭ２２に格納する。
【０１０１】
さらに主体コントローラ２０は、ＤＲＡＭ２２から再び格納した主体動画撮影画像データＤ１６及び従属動画撮影画像データＤ２６のうち最も過去の動画撮影によって得られた主体動画撮影画像データＤ１６又は従属動画撮影画像データＤ２６をパラレルバス２１、データ抽出部３０及びデータ合成部２５を順次介して表示部１５に送出することにより当該表示部１５に主体動画撮影画像データＤ１６又は従属動画撮影画像データＤ２６に基づく主体動画撮影画像又は従属動画撮影画像を表示する。
【０１０２】
そして主体コントローラ２０は、この際に操作部２３を介して動画撮影画像切替命令が入力されると、ＤＲＡＭ２２から主体動画撮影画像データＤ１６及び従属動画撮影画像データＤ２６を主体動画撮影開始日時情報及び従属動画撮影開始日時情報に応じた動画撮影の時系列に従って読み出してパラレルバス２１、データ抽出部３０及びデータ合成部２５を順次介して表示部１５に送出することにより当該表示部１５に主体動画撮影画像データＤ１６及び従属動画撮影画像データＤ２６に基づく主体動画撮影画像及び従属動画撮影画像を順次切り替えて表示する。
【０１０３】
このようにして主体コントローラ２０は、主体デジタルスチルカメラ３及び従属デジタルスチルカメラ４Ａ乃至４Ｎによって被写体２を動画撮影して生成した主体動画撮影画像データＤ１６及び従属動画撮影画像データＤ２６に基づく主体動画撮影画像及び従属動画撮影画像を表示部１５を介して自由に目視させ得るようになされている。
【０１０４】
因みに主体コントローラ２０は、主体デジタルスチルカメラ３を駆動させるバッテリ（図示せず）の容量が予め設定された規定値よりも低下して駆動を維持し難くなったときや、種々の処理を実行している際にその処理では禁止されている命令が操作部２３を介して入力されたとき等には、警告音発生命令を音声合成部３７に送出し、当該音声合成部３７においてその警告音発生命令に応じて合成した警告音等に相当する音声信号をアンプ３８を介してスピーカ３９に送出することにより当該スピーカ３９から警告音等を出力してユーザに警告を促すようになされている。
【０１０５】
なおこの第１の実施の形態の場合、主体コントローラ２０は、主体無線通信範囲内に従属動作可能な従属デジタルスチルカメラ４Ａ乃至４Ｎが１台も存在しない状態では当該従属デジタルスチルカメラ４Ａ乃至４Ｎからは独立して被写体２を写真撮影及び動画撮影し得るようになされている。
【０１０６】
これにより主体コントローラ２０は、主体デジタルスチルカメラ３を従属デジタルスチルカメラ４Ａ乃至４Ｎと連動させてのみ使用させるわけではなく、当該主体デジタルスチルカメラ３を単独でも使用させて使い勝手を向上させている。
【０１０７】
一方、図３との対応部分に同一符号を付して示す図５において、従属デジタルスチルカメラ４Ａ乃至４Ｎは、ＣＰＵ、ＳＲＡＭ等の不揮発性メモリ、ＲＯＭ等を有するコントローラ（以下、これを従属コントローラと呼ぶ）４０が、操作部２３を介して入力される各種命令に応じて、内部のＲＯＭに予め格納した従属登録処理プログラムや、従属撮影処理プログラム、撮影画像提供処理プログラム等の各種アプリケーションプログラムをＤＲＡＭ２２上で展開して従属デジタルスチルカメラ４Ａ乃至４Ｎの各回路部を統括的に制御することにより、主体デジタルスチルカメラ３に対する従属登録処理や、従属写真撮影処理、従属動画撮影処理、主体デジタルスチルカメラ３に従属写真撮影画像データＤ２５及び従属動画撮影画像データＤ２６を提供する撮影画像提供処理等を実行する。
【０１０８】
すなわち従属コントローラ４０は、主体デジタルスチルカメラ３から送信された従属登録要求信号Ｓ１をアンテナ２７で受信すると、送受信処理部２６においてその従属登録要求信号Ｓ１を受信処理し、得られた従属登録要求データＤ１を取り込むことにより当該取り込んだ従属登録要求データＤ１に従って主体デジタルスチルカメラ３に対する従属登録処理を開始する。
【０１０９】
この場合、従属コントローラ４０は、内部のＲＯＭに予め格納している従属登録問合画面データをＯＳＤＣ２４及びデータ合成部２５を順次介して表示部１５に送出することにより当該表示部１５に従属登録問合画面データに基づいて、主体デジタルスチルカメラ３に対する従属登録の承諾命令及び拒絶命令をそれぞれ選択するためのアイコンを有する従属登録問合画面を表示する。
【０１１０】
この状態で従属コントローラ４０は、操作部２３を介して従属登録問合画面上で承諾命令が入力されると、これに応じて主体デジタルスチルカメラ３に対して従属登録を承諾する従属登録承諾データＤ２を生成し、これを送受信処理部２６に送出して送信処理し、得られた従属登録承諾信号Ｓ２をアンテナ２７から主体デジタルスチルカメラ３に送信する。
【０１１１】
この結果、従属コントローラ４０は、主体デジタルスチルカメラ３から送信された主体登録信号Ｓ３をアンテナ２７で受信すると、送受信処理部２６においてその主体登録信号Ｓ３を受信処理し、得られた主体登録データＤ３を取り込む。
【０１１２】
これにより従属コントローラ４０は、主体登録データＤ３に基づいて得られた主体デジタルスチルカメラ３固有の主体登録用識別情報を内部の不揮発性メモリに格納して当該主体デジタルスチルカメラ３を自己の従属デジタルスチルカメラ４Ａ乃至４Ｎに対する主体として登録する。
【０１１３】
また従属コントローラ４０は、内部の不揮発性メモリから予め格納している自己の従属デジタルスチルカメラ４Ａ乃至４Ｎ固有の従属登録用識別情報を読み出し、これを従属登録データＤ４として送受信処理部２６に送出して送信処理し、得られた従属登録信号Ｓ４をアンテナ２７から主体デジタルスチルカメラ３に送信する。
【０１１４】
これにより従属コントローラ４０は、主体デジタルスチルカメラ３に対して自己の従属デジタルスチルカメラ４Ａ乃至４Ｎを従属登録し、かくして従属登録処理を終了する。
【０１１５】
因みに従属コントローラ４０は、操作部２３を介して従属登録問合画面上で拒絶命令が入力されると、これに応じて主体デジタルスチルカメラ３に対して従属登録を拒絶する従属登録拒絶データＤ５を生成し、これを送受信処理部２６に送出して送信処理し、得られた従属登録拒絶信号Ｓ５をアンテナ２７から主体デジタルスチルカメラ３に送信することにより従属登録処理を終了する。
【０１１６】
また従属コントローラ４０は、主体デジタルスチルカメラ３から主体写真撮影処理の実行に応じて送信された探索信号Ｓ７Ａをアンテナ２７で受信すると、送受信処理部２６においてその探索信号Ｓ７Ａを受信処理し、得られた探索データＤ７Ａを取り込む。
【０１１７】
これにより従属コントローラ４０は、探索データＤ７Ａに従って被写体２に対する従属的な写真撮影用の従属写真撮影処理を開始する。
【０１１８】
この場合、従属コントローラ４０は、従属動作可能通知データＤ８を生成し、これを送受信処理部２６に送出して送信処理し、得られた従属動作可能通知信号Ｓ８をアンテナ２７から主体デジタルスチルカメラ３に送信する。
【０１１９】
また従属コントローラ４０は、このとき被写体２から到来する撮像光Ｌ２をレンズ１１を透過させて固体撮像素子２８で受光する。
【０１２０】
これにより固体撮像素子２８は、受光している撮像光Ｌ１を所定周期で順次光電変換することにより当該撮像光Ｌ２に応じたアナログの撮像出力信号Ｓ２０を生成し、当該生成した撮像出力信号Ｓ２０をデータ生成部２９に送出する。
【０１２１】
データ生成部２９は、固体撮像素子２８から順次与えられた撮像出力信号Ｓ２０をアナログデジタル変換した後、所定のデータ処理を施すことによりデジタルの撮像動画像データＤ３０を生成し、当該生成した撮像動画像データＤ３０をデータ抽出部３０及びデータ合成部２５を順次介して表示部１５に送出することにより、当該表示部１５にその撮像動画像データＤ３０に基づく撮像動画像を表示する。
【０１２２】
さらに従属コントローラ４０は、主体デジタルスチルカメラ３による被写体２の写真撮影に連動して自己の従属デジタルスチルカメラ４Ａ乃至４Ｎが当該被写体２を従属的に写真撮影することをユーザに通知するための従属撮影通知画面データＤ３１を生成し、当該生成した従属撮影通知画面データＤ３１をＯＳＤＣ２４を介してデータ合成部２５に送出する。
【０１２３】
データ合成部２５は、データ生成部２９からデータ抽出部３０を介して与えられた撮像動画像データＤ３０に従属撮影通知画面データＤ３１を合成し、得られた従属撮影通知用合成画面データＤ３２を表示部１５に送出することにより、表示部１５に従属撮影通知用合成画面データＤ３２に基づく図６に示すような従属撮影通知用合成画面４１を表示する。
【０１２４】
ここで従属撮影通知用合成画面４１は、撮像動画像データＤ３０に基づく撮像動画像上に従属撮影通知画面データＤ３１に基づく従属撮影通知画面を重ねて構成されている。
【０１２５】
この場合、従属撮影通知用合成画面４１において撮像動画像上に重ねられた従属撮影通知画面は、１つの隅部に主体デジタルスチルカメラ３による被写体２の写真撮影及び動画撮影に連動して自己の従属デジタルスチルカメラ４Ａ乃至４Ｎが当該被写体２を従属的に写真撮影及び動画撮影することを通知する従属撮影実行通知アイコン４２が設けられている。
【０１２６】
そして従属撮影通知用合成画面４１は、従属撮影通知画面が従属撮影実行通知アイコン４２の設けられた部分以外で撮像動画像を透過させている。
【０１２７】
従って従属コントローラ４０は、このとき従属撮影通知用合成画面４１によりユーザに被写体２に対する撮像状態を目視確認させながら、主体デジタルスチルカメラ３による写真撮影に連動して自己の従属デジタルスチルカメラ４Ａ乃至４Ｎが従属的に写真撮影することを通知する。
【０１２８】
従属コントローラ４０は、このようにして被写体２を撮像している状態で主体デジタルスチルカメラ３から送信された写真撮影命令信号Ｓ１０をアンテナ２７で受信すると、送受信処理部２６においてその写真撮影命令信号Ｓ１０を受信処理し、得られた写真撮影命令データＤ１３を取り込む。
【０１２９】
このとき従属コントローラ４０は、写真撮影命令データＤ１３に格納されている主体写真撮影日時情報及び写真撮影条件情報を抽出することにより主体写真撮影日時を基準とした写真撮影条件に従ってデータ抽出部３０を制御する。
【０１３０】
これにより従属コントローラ４０は、データ抽出部３０においてデータ生成部２９から与えられる撮像動画像データＤ３０を構成する時間的に連続した複数の撮像静止画像データのうち主体撮影命令入力時点（すなわち、主体デジタルスチルカメラ３でシャッタボタン１４が押下された時点）とほぼ同じ時点に生成した１枚の撮像静止画像に相当する撮像静止画像データ、又は当該主体撮影命令入力時点から写真撮影遅延時間経過後の写真撮影時点に生成した１枚の撮像静止画像に相当する撮像静止画像データを従属写真撮影画像データＤ２５として抽出し、当該抽出した従属写真撮影画像データＤ２５をＤＲＡＭ２２に格納する。
【０１３１】
そして従属コントローラ４０は、ＤＲＡＭ２２からその従属写真撮影画像データＤ２５を読み出して取り込み、当該従属写真撮影画像データＤ２５をＪＰＥＧ等の圧縮符号化方式に従って圧縮符号化し、得られた写真画像圧縮符号化データを再びＤＲＡＭ２２に格納する。
【０１３２】
また従属コントローラ４０は、このとき従属写真撮影画像データＤ２５に対する記録管理用のファイル名や、当該従属写真撮影画像データＤ２５を抽出した時点（すなわち、被写体２を写真撮影した時点）の従属写真撮影日時情報等を格納した写真ファイルヘッダデータを生成する。
【０１３３】
そして従属コントローラ４０は、その写真ファイルヘッダデータをＤＲＡＭ２２内の写真画像圧縮符号化データの先頭に付加して従属写真ファイルデータＤ２１を生成し、当該生成した従属写真ファイルデータＤ２１をＤＲＡＭ２２から記録再生制御部３５に転送する。
【０１３４】
これにより従属コントローラ４０は、記録再生制御部３５によりその従属写真ファイルデータＤ２１を記録媒体３６に記録する。
【０１３５】
このようにして従属コントローラ４０は、主体デジタルスチルカメラ３で被写体２が写真撮影される毎に、当該主体デジタルスチルカメラ３による被写体２の写真撮影に連動して主体撮影命令入力時点とほぼ同時又は当該主体撮影命令入力時点から写真撮影遅延時間経過後の写真撮影時点に被写体２を写真撮影する。
【０１３６】
そして従属コントローラ４０は、主体デジタルスチルカメラ３から送信された従属写真撮影終了信号Ｓ１１をアンテナ２７で受信すると、送受信処理部２６においてその従属写真撮影終了信号Ｓ１１を受信処理し、得られた従属写真撮影終了データＤ１４を取り込むことにより、その従属写真撮影終了データＤ１４に従って従属写真撮影処理を終了する。
【０１３７】
さらに従属コントローラ４０は、主体デジタルスチルカメラ３から主体動画撮影処理の実行に応じて送信された探索信号Ｓ７Ｂをアンテナ２７で受信すると、送受信処理部２６においてその探索信号Ｓ７Ｂを受信処理し、得られた探索データＤ７Ｂを取り込む。
【０１３８】
これにより従属コントローラ４０は、探索データＤ７Ｂに従って被写体２に対する従属的な動画撮影用の従属動画撮影処理を開始する。
【０１３９】
この場合、従属コントローラ４０は、上述した従属写真撮影処理を実行した場合と同様に従属動作可能通知データＤ８を送受信処理部２６により従属動作可能通知信号Ｓ８としてアンテナ２７から主体デジタルスチルカメラ３に送信する。
【０１４０】
また従属コントローラ４０は、被写体２の撮像を開始して撮像動画像データＤ３０に従属撮影通知画面データＤ３１を合成し、得られた従属撮影通知用合成画面データＤ３２を表示部１５に送出して図６について上述した従属撮影通知用合成画面４１を表示することによりユーザに被写体２に対する撮像状態を目視確認させながら、主体デジタルスチルカメラ３による動画撮影に連動して自己の従属デジタルスチルカメラ４Ａ乃至４Ｎが従属的に動画撮影することを通知する。
【０１４１】
そして従属コントローラ４０は、被写体２を撮像している状態で主体デジタルスチルカメラ３から送信された動画撮影命令信号Ｓ１３をアンテナ２７で受信すると、送受信処理部２６においてその動画撮影命令信号Ｓ１３を受信処理し、得られた動画撮影命令データＤ１８を取り込む。
【０１４２】
このとき従属コントローラ４０は、動画撮影命令データＤ１８に格納されている主体動画撮影開始日時情報及び動画撮影条件情報を抽出することにより主体動画撮影開始日時を基準とした動画撮影条件に従ってデータ抽出部３０を制御する。
【０１４３】
これにより従属コントローラ４０は、データ抽出部３０においてデータ生成部２９から与えられた撮像動画像データＤ３０を構成する時間的に連続した複数の撮像静止画像データのうち主体撮影命令入力時点とほぼ同じ時点から動画撮影時間経過後の動画撮影終了時点までに生成した時間的に連続する複数枚の撮像静止画像に相当する複数の撮像静止画像データ、又は当該主体撮影命令入力時点を基準とした動画撮影遅延時間経過後の動画撮影開始時点から動画撮影時間経過後の動画撮影終了時点までに生成した時間的に連続する複数枚の撮像静止画像に相当する複数の撮像静止画像データを従属動画撮影画像データＤ２６として抽出し、当該抽出した従属動画撮影画像データＤ２６をＤＲＡＭ２２に格納する。
【０１４４】
そして従属コントローラ４０は、ＤＲＡＭ２２からその従属動画撮影画像データＤ２６を読み出して取り込み、当該従属動画撮影画像データＤ２６をＭＰＥＧ等の圧縮符号化方式に従って圧縮符号化し、得られた動画像圧縮符号化データを再びＤＲＡＭ２２に格納する。
【０１４５】
また従属コントローラ４０は、このとき従属動画撮影画像データＤ２６に対する記録管理用のファイル名や、当該従属動画撮影画像データＤ２６の抽出を開始した時点（すなわち、被写体２に対する動画撮影を開始した時点）の従属動画撮影開始日時情報等を格納した動画ファイルヘッダデータを生成する。
【０１４６】
そして従属コントローラ４０は、その動画ファイルヘッダデータをＤＲＡＭ２２内の動画像圧縮符号化データの先頭に付加して従属動画ファイルデータＤ２３を生成し、当該生成した従属動画ファイルデータＤ２３をＤＲＡＭ２２から記録再生制御部３５に転送する。
【０１４７】
これにより従属コントローラ４０は、記録再生制御部３５によりその従属動画ファイルデータＤ２３を記録媒体３６に記録する。
【０１４８】
このようにして従属コントローラ４０は、主体デジタルスチルカメラ３で被写体２が動画撮影される毎に、当該主体デジタルスチルカメラ３による被写体２の動画撮影に連動して主体撮影命令入力時点とほぼ同時又は当該主体撮影命令入力時点から動画撮影遅延時間経過後の動画撮影開始時点に被写体２に対する動画撮影を開始し、かくして被写体２を動画撮影時間に渡って動画撮影する。
【０１４９】
そして従属コントローラ４０は、主体デジタルスチルカメラ３から送信された従属動画撮影終了信号Ｓ１４をアンテナ２７で受信すると、送受信処理部２６においてその従属動画撮影終了信号Ｓ１４を受信処理し、得られた従属動画撮影終了データＤ１９を取り込むことにより、その従属動画撮影終了データＤ１９に従って従属動画撮影処理を終了する。
【０１５０】
また従属コントローラ４０は、従属写真撮影処理の終了後、主体デジタルスチルカメラ３から送信された写真撮影画像要求信号Ｓ１５をアンテナ２７で受信すると、送受信処理部２６においてその写真撮影画像要求信号Ｓ１５を受信処理し、得られた写真撮影画像要求データＤ２０を取り込むことにより、これに応じて従属写真撮影画像データＤ２５を提供する撮影画像提供処理（以下、これを写真撮影画像提供処理と呼ぶ）を開始する。
【０１５１】
この際、従属コントローラ４０は、写真撮影画像要求データＤ２０に格納されている主体写真撮影日時情報及び写真撮影条件情報を抽出し、当該抽出した主体写真撮影日時情報及び写真撮影条件情報に従って記録再生制御部３５により記録媒体３６内の従属写真ファイルデータＤ２１に格納している従属写真撮影日時情報を検索することにより、主体デジタルスチルカメラ３の写真撮影に連動して被写体２を従属的に写真撮影して生成した従属写真ファイルデータＤ２１を特定する。
【０１５２】
そして従属コントローラ４０は、記録再生制御部３５により記録媒体３６からその特定した従属写真ファイルデータＤ２１を読み出し、これを送受信処理部２６に送出して送信処理することにより得られた従属写真ファイル信号Ｓ１６をアンテナ２７から主体デジタルスチルカメラ３に送信する。
【０１５３】
これにより従属コントローラ４０は、主体デジタルスチルカメラ３による被写体２の写真撮影に連動して当該被写体２を従属的に写真撮影して生成した従属写真撮影画像データＤ２５を従属写真ファイルデータＤ２１として主体デジタルスチルカメラ３に適確に提供する。
【０１５４】
さらに従属コントローラ４０は、従属動画撮影処理の終了後、主体デジタルスチルカメラ３から送信された動画撮影画像要求信号Ｓ１７をアンテナ２７で受信すると、送受信処理部２６においてその動画撮影画像要求信号Ｓ１７を受信処理し、得られた動画撮影画像要求データＤ２２を取り込むことにより、これに応じて従属動画撮影画像データＤ２６を提供する撮影画像提供処理（以下、これを動画撮影画像提供処理と呼ぶ）を開始する。
【０１５５】
この際、従属コントローラ４０は、動画撮影画像要求データＤ２２に格納されている主体動画撮影開始日時情報及び動画撮影条件情報を抽出し、当該抽出した主体動画撮影開始日時情報及び動画撮影条件情報に従って記録再生制御部３５により記録媒体３６内の従属動画ファイルデータＤ２３に格納している従属動画撮影開始日時情報を検索することにより、主体デジタルスチルカメラ３の動画撮影に連動して被写体２を従属的に動画撮影して生成した従属動画ファイルデータＤ２３を特定する。
【０１５６】
そして従属コントローラ４０は、記録再生制御部３５により記録媒体３６からその特定した従属動画ファイルデータＤ２３を読み出し、これを送受信処理部２６に送出して送信処理することにより得られた従属動画ファイル信号Ｓ１８をアンテナ２７から主体デジタルスチルカメラ３に送信する。
【０１５７】
これにより従属コントローラ４０は、主体デジタルスチルカメラ３による被写体２の動画撮影に連動して当該被写体２を従属的に動画撮影して生成した従属動画撮影画像データＤ２６を従属動画ファイルデータＤ２３として主体デジタルスチルカメラ３に適確に提供する。
【０１５８】
なおこの第１の実施の形態の場合、従属コントローラ４０は、主体撮影命令入力時点から写真撮影遅延時間経過後及び動画撮影遅延時間経過後の写真撮影時点及び動画撮影開始時点に被写体２を従属的に写真撮影及び動画撮影する場合、当該主体撮影命令入力時点から写真撮影遅延時間経過後及び動画撮影遅延時間経過後の写真撮影時点及び動画撮影開始時点までの間、図６について上述した従属撮影通知用合成画面４１内の従属撮影実行通知アイコン４２を所定の色及び所定周期で点滅表示する。
【０１５９】
また従属コントローラ４０は、主体デジタルスチルカメラ３による被写体２の動画撮影に連動して当該被写体２を従属的に動画撮影する場合、動画撮影開始時点から動画撮影時間経過後の動画撮影終了時点までの間、従属撮影通知用合成画面４１内の従属撮影実行通知アイコン４２を写真撮影遅延時間及び動画撮影遅延時間の通知用とは異なる所定の色及び所定周期で点滅表示する。
【０１６０】
これにより従属コントローラ４０は、主体デジタルスチルカメラ３による被写体２の写真撮影及び動画撮影に連動して従属デジタルスチルカメラ４Ａ乃至４Ｎが自動で写真撮影及び動画撮影するものの、当該従属デジタルスチルカメラ４Ａ乃至４Ｎが例えばユーザによって保持された状態で被写体２を従属的に写真撮影及び動画撮影するときに、主体デジタルスチルカメラ３から写真撮影命令及び動画撮影命令を受けてから実際に被写体２を写真撮影及び動画撮影するまでの期間（すなわち、写真撮影遅延期間及び動画撮影遅延時間）や、被写体２を動画撮影している期間（すなわち、動画撮影時間）と共に、主体デジタルスチルカメラ３による写真撮影及び動画撮影に連動して従属デジタルスチルカメラ４Ａ乃至４Ｎでも写真撮影及び動画撮影している状態であることをそれぞれユーザに知らせることができる。
【０１６１】
従って従属コントローラ４０は、写真撮影及び動画撮影の際にユーザに撮影方向や撮影アングル等を確認させることができると共に、当該写真撮影及び動画撮影に集中させて手ブレの発生も極力低減させることもでき、かくして被写体２を適確に写真撮影及び動画撮影することができる。
【０１６２】
また第１の実施の形態の場合、従属コントローラ４０は、従属デジタルスチルカメラ４Ａ乃至４Ｎが主体無線通信範囲から外れて起動しているときや当該主体無線通信範囲内で起動しているときでも、自己のシャッタボタン１４が押下されると、これに応じて主体デジタルスチルカメラ３からは独立して被写体２を写真撮影及び動画撮影し得るようになされている。
【０１６３】
これにより従属コントローラ４０は、従属デジタルスチルカメラ４Ａ乃至４Ｎを主体デジタルスチルカメラ３に対して従属的にのみ動作させるわけではなく、当該従属デジタルスチルカメラ４Ａ乃至４Ｎを単独でも使用させて使い勝手を向上させ得るようになされている。
【０１６４】
ここで撮影システム１における主体デジタルスチルカメラ３と複数の従属デジタルスチルカメラ４Ａ乃至４Ｎとによる写真撮影処理手順についてまとめると、図７（Ａ）に示すように、まず主体デジタルスチルカメラ３の主体コントローラ２０は操作部２３を介して写真撮影モードが選択されたとき、主体撮影処理プログラムに従って主体写真撮影処理を実行することにより主体写真撮影処理手順ＲＴ１に開始ステップから入って続くステップＳＰ１に移る。
【０１６５】
ステップＳＰ１において主体コントローラ２０は、被写体２の撮像を開始すると共に、探索信号Ｓ７Ａを送信して、続くステップＳＰ２に移る。
【０１６６】
このとき図７（Ｂ）に示すように、主体無線通信範囲内に存在する従属動作可能な複数の従属デジタルスチルカメラ４Ａ乃至４Ｎの従属コントローラ４０は、主体デジタルスチルカメラ３から送信された探索信号Ｓ７Ａの受信に応じて従属撮影処理プログラムに従い従属写真撮影処理を実行することにより従属写真撮影処理手順ＲＴ２に開始ステップから入って続くステップＳＰ１１に移る。
【０１６７】
ステップＳＰ１１において従属コントローラ４０は、被写体２に対する撮像を開始すると共に、従属動作可能通知信号Ｓ８を主体デジタルスチルカメラ３に送信し、さらに表示部１５に従属撮影通知用合成画面４１を表示して、ステップＳＰ１２に移る。
【０１６８】
このときステップＳＰ２において主体コントローラ２０は、従属デジタルスチルカメラ４Ａ乃至４Ｎから送信された従属動作可能通知信号Ｓ８を受信して、続くステップＳＰ３に移る。
【０１６９】
ステップＳＰ３において主体コントローラ２０は、表示部１５に従属カメラ通知用合成画面３２を表示することにより、ユーザに主体デジタルスチルカメラ３による被写体２の写真撮影に連動して当該被写体２を従属的に写真撮影する従属デジタルスチルカメラ４Ａ乃至４Ｎを通知して、続くステップＳＰ４に移る。
【０１７０】
ステップＳＰ４において主体コントローラ２０は、写真撮影のために撮影命令が入力されたか否かを判断する。
【０１７１】
このステップＳＰ４において否定結果が得られると、このことは例えばユーザにより被写体２に対する写真撮影のシャッタチャンスがまだ到来してはいないと判断されていることにより未だシャッタボタン１４が押下されてはいないことを表しており、このとき主体コントローラ２０はステップＳＰ５に移る。
【０１７２】
ステップＳＰ５において主体コントローラ２０は、主体写真撮影処理の終了が命令されたか否かを判断する。
【０１７３】
このステップＳＰ５において否定結果が得られると、このことは写真撮影モードが選択されたままであり、被写体２をまだ写真撮影する可能性があることを表しており、このとき主体コントローラ２０はステップＳＰ４に戻る。
【０１７４】
これにより主体コントローラ２０は、この後、ステップＳＰ４及びステップＳＰ５において肯定結果が得られるまでの間は、ステップＳＰ４−ＳＰ５の処理を循環的に繰り返すことにより写真撮影のために撮影命令が入力されること、及び主体写真撮影処理の終了が命令されることを待ち受ける。
【０１７５】
そしてステップＳＰ４において肯定結果が得られると、このことは例えばユーザにより被写体２に対する写真撮影のシャッタチャンスが到来したと判断されてシャッタボタン１４が押下されたことを表しており、このとき主体コントローラ２０はステップＳＰ６に移る。
【０１７６】
ステップＳＰ６において主体コントローラ２０は、被写体２を撮像しながら生成していた撮像動画像データＤ６を構成する複数の撮像静止画像データのうち主体撮影命令入力時点に生成した１枚の撮像静止画像に相当する撮像静止画像データを主体写真撮影画像データＤ１１として抽出し、かつ当該主体撮影命令入力時点の主体写真撮影日時情報と、主体無線通信範囲内で従属動作可能な従属デジタルスチルカメラ４Ａ乃至４Ｎに対する写真撮影条件情報とを格納した写真撮影命令データＤ１３を写真撮影命令信号Ｓ１０として主体無線通信範囲内の従属デジタルスチルカメラ４Ａ乃至４Ｎに送信した後、続くステップＳＰ７に移る。
【０１７７】
そしてステップＳＰ７において主体コントローラ２０は、撮影命令の入力に応じて抽出した主体写真撮影画像データＤ１１を圧縮符号化してファイル化することにより主体写真ファイルデータＤ１２を生成し、当該生成した主体写真ファイルデータＤ１２を記録媒体３６に記録して、ステップＳＰ４に戻る。
【０１７８】
このようにして主体コントローラ２０は、この後、ステップＳＰ５において肯定結果が得られるまでの間はステップＳＰ４−ＳＰ５−ＳＰ６−ＳＰ７の処理を循環的に繰り返すことにより撮影命令が入力される毎に複数の従属デジタルスチルカメラ４Ａ乃至４Ｎに対して被写体２を主体的に写真撮影する。
【０１７９】
一方、ステップＳＰ１２において従属コントローラ４０は、主体デジタルスチルカメラ３から送信される写真撮影命令信号Ｓ１０を受信したか否かを判断する。
【０１８０】
このステップＳＰ１２において否定結果が得られると、このことは主体デジタルスチルカメラ３において例えばユーザにより被写体２に対する写真撮影のシャッタチャンスがまだ到来してはいないと判断されていることにより主体デジタルスチルカメラ３からは未だ写真撮影が命令されてはいないことを表しており、このとき従属コントローラ４０はステップＳＰ１３に移る。
【０１８１】
ステップＳＰ１３において従属コントローラ４０は、主体デジタルスチルカメラ３から送信される従属写真撮影終了信号Ｓ１１を受信したか否かを判断する。
【０１８２】
このステップＳＰ１３において否定結果が得られると、このことは主体デジタルスチルカメラ３においてまだ被写体２を写真撮影する可能性があるために当該主体デジタルスチルカメラ３からは未だ主体写真撮影処理の終了に伴う従属写真撮影処理の終了が通知されてはいないことを表しており、このとき従属コントローラ４０はステップＳＰ１２に戻る。
【０１８３】
これにより従属コントローラ４０は、この後、ステップＳＰ１２及びステップＳＰ１３において肯定結果が得られるまでの間は、ステップＳＰ１２−ＳＰ１３の処理を循環的に繰り返すことにより主体デジタルスチルカメラ３から写真撮影が命令されること、及び当該主体デジタルスチルカメラ３から従属写真撮影処理の終了が通知されることを待ち受ける。
【０１８４】
そしてステップＳＰ１２において肯定結果が得られると、このことは主体デジタルスチルカメラ３において例えばユーザにより被写体２に対する写真撮影のシャッタチャンスが到来したと判断されてシャッタボタン１４が押下されたことにより、これに応じて当該主体デジタルスチルカメラ３から写真撮影が命令されたことを表しており、このとき従属コントローラ４０はステップＳＰ１４に移る。
【０１８５】
ステップＳＰ１４において従属コントローラ４０は、写真撮影命令信号Ｓ１０に基づいて得られた主体写真撮影日時情報及び写真撮影条件情報に従って、被写体２を撮像しながら生成していた撮像動画像データＤ３０を構成する複数の撮像静止画像データのうち主体撮影命令入力時点とほぼ同じ時点に生成した、又は当該主体撮影命令入力時点から写真撮影遅延時間経過後の写真撮影時点に生成した１枚の撮像静止画像に相当する撮像静止画像データを従属写真撮影画像データＤ２５として抽出して、ステップＳＰ１５に移る。
【０１８６】
ステップＳＰ１５において従属コントローラ４０は、従属写真撮影画像データＤ２５を圧縮符号化してファイル化することにより従属写真ファイルデータＤ２１を生成し、当該生成した従属写真ファイルデータＤ２１を記録媒体３６に記録して、ステップＳＰ１２に戻る。
【０１８７】
このようにして従属コントローラ４０は、ステップＳＰ１３において肯定結果が得られるまでの間は、ステップＳＰ１２−ＳＰ１３−ＳＰ１４−ＳＰ１５の処理を循環的に繰り返すことにより、主体デジタルスチルカメラ３で被写体２が写真撮影される毎に、これに連動して主体撮影命令入力時点とほぼ同時又は当該主体撮影命令入力時点から写真撮影遅延時間経過後の写真撮影時点に当該被写体２を写真撮影する。
【０１８８】
ところで上述したステップＳＰ５において肯定結果が得られると、このことはユーザにより被写体２が納得のいくまで写真撮影されたことにより操作部２３を介して主体写真撮影処理の終了が命令されたことを表しており、このとき主体コントローラ２０はステップＳＰ８に移る。
【０１８９】
ステップＳＰ８おいて主体コントローラ２０は、従属写真撮影終了信号Ｓ１１を主体無線通信範囲内に存在する従属動作可能な従属デジタルスチルカメラ４Ａ乃至４Ｎに送信した後、続くステップＳＰ９に移って主体写真撮影処理手順ＲＴ１を終了する。
【０１９０】
また上述したステップＳＰ１３において肯定結果が得られると、このことは主体デジタルスチルカメラ３から主体写真撮影処理の終了に伴い従属写真撮影処理の終了が通知されたことを表しており、このとき従属コントローラ４０は続くステップＳＰ１６に移って従属写真撮影処理手順ＲＴ２を終了する。かくして撮影システム１における写真撮影処理手順を全て終了する。
【０１９１】
このようにして撮影システム１では、図１からも明らかなように、一箇所に留まっている人物や展示物等の被写体２を主体デジタルスチルカメラ３及び複数の従属デジタルスチルカメラ４Ａ乃至４Ｎによって複数方向からほぼ同時に写真撮影し得ると共に、当該主体デジタルスチルカメラ３及び複数の従属デジタルスチルカメラ４Ａ乃至４Ｎによって複数方向からそれぞれ時間差を設けて写真撮影することもでき、かくして被写体２に対する複数方向からの異なる表情及び外観等をほぼ同時及び異なる瞬間に自在に写真撮影画像として捉えることができる。
【０１９２】
また撮影システム１では、主体デジタルスチルカメラ３及び複数の従属デジタルスチルカメラ４Ａ乃至４Ｎを無線接続していることによりこれらを被写体２に対して比較的自由に配置することができる。
【０１９３】
従って撮影システム１では、図８に示すように、人物や車等の移動体を被写体２とした場合、当該被写体２の移動軌跡ＭＬに沿って主体デジタルスチルカメラ３及び複数の従属デジタルスチルカメラ４Ａ乃至４Ｎを配置することにより当該主体デジタルスチルカメラ３及び複数の従属デジタルスチルカメラ４Ａ乃至４Ｎにより、移動する被写体２を複数方向からほぼ同時及び時間差を設けて写真撮影することもでき、かくして被写体２の移動状態を表情や外観等と共にほぼ同時及び異なる瞬間に自在に写真撮影画像として捉えることもできる。
【０１９４】
また撮影システム１における主体デジタルスチルカメラ３と複数の従属デジタルスチルカメラ４Ａ乃至４Ｎとによる動画撮影処理手順についてまとめると、図９（Ａ）に示すように、まず主体デジタルスチルカメラ３の主体コントローラ２０は操作部２３を介して動画撮影モードが選択されたとき、主体撮影処理プログラムに従って主体動画撮影処理を実行することにより主体動画撮影処理手順ＲＴ３に開始ステップから入って続くステップＳＰ２１に移る。
【０１９５】
ステップＳＰ２１において主体コントローラ２０は、被写体２の撮像を開始すると共に、探索信号Ｓ７Ｂを送信して、続くステップＳＰ２２に移る。
【０１９６】
このとき図９（Ｂ）に示すように、主体無線通信範囲内に存在する従属動作可能な複数の従属デジタルスチルカメラ４Ａ乃至４Ｎの従属コントローラ４０は、主体デジタルスチルカメラ３から送信された探索信号Ｓ７Ｂの受信に応じて従属撮影処理プログラムに従い従属動画撮影処理を実行することにより従属動画撮影処理手順ＲＴ４に開始ステップから入って続くステップＳＰ３１に移る。
【０１９７】
ステップＳＰ３１において従属コントローラ４０は、被写体２の撮像を開始すると共に、従属動作可能通知信号Ｓ８を主体デジタルスチルカメラ３に送信し、さらに表示部１５に従属撮影通知用合成画面４１を表示して、ステップＳＰ３２に移る。
【０１９８】
このときステップＳＰ２２において主体コントローラ２０は、従属デジタルスチルカメラ４Ａ乃至４Ｎから送信された従属動作可能通知信号Ｓ８を受信して、続くステップＳＰ２３に移る。
【０１９９】
ステップＳＰ２３において主体コントローラ２０は、表示部１５に従属カメラ通知用合成画面３２を表示することにより、ユーザに主体デジタルスチルカメラ３による被写体２の動画撮影に連動して当該被写体２を従属的に動画撮影する従属デジタルスチルカメラ４Ａ乃至４Ｎを通知して、ステップＳＰ２４に移る。
【０２００】
ステップＳＰ２４において主体コントローラ２０は、動画撮影のために撮影命令が入力されたか否かを判断する。
【０２０１】
このステップＳＰ２４において否定結果が得られると、このことは例えばユーザにより被写体２に対する動画撮影のシャッタチャンスがまだ到来してはいないと判断されて、未だシャッタボタン１４が押下されてはいないことを表しており、このとき主体コントローラ２０はステップＳＰ２５に移る。
【０２０２】
ステップＳＰ２５において主体コントローラ２０は、動画撮影処理の終了が命令されたか否かを判断する。
【０２０３】
このステップＳＰ２５において否定結果が得られると、このことは動画撮影モードが選択されたままであり、被写体２をまだ動画撮影する可能性があることを表しており、このとき主体コントローラ２０はステップＳＰ２４に戻る。
【０２０４】
これにより主体コントローラ２０は、この後、ステップＳＰ２４及びステップＳＰ２５において肯定結果が得られるまでの間は、ステップＳＰ２４−ＳＰ２５の処理を循環的に繰り返すことにより動画撮影のために撮影命令が入力されること、及び動画撮影処理の終了が命令されることを待ち受ける。
【０２０５】
そしてステップＳＰ２４において肯定結果が得られると、このことは例えばユーザにより被写体２に対する動画撮影のシャッタチャンスが到来したと判断されてシャッタボタン１４が押下されたことを表しており、このとき主体コントローラ２０はステップＳＰ２６に移る。
【０２０６】
ステップＳＰ２６において主体コントローラ２０は、被写体２を撮像しながら生成していた撮像動画像データＤ６を構成する複数の撮像静止画像データのうち主体撮影命令入力時点から動画撮影時間経過後の動画撮影終了時点までに生成した時間的に連続する複数枚の撮像静止画像に相当する複数の撮像静止画像データを主体動画撮影画像データＤ１６として抽出し、かつ当該主体撮影命令入力時点の主体動画撮影開始日時情報と動画撮影条件情報とを格納した動画撮影命令データＤ１８を動画撮影命令信号Ｓ１３として主体無線通信範囲内の従属デジタルスチルカメラ４Ａ乃至４Ｎに送信した後、ステップＳＰ２７に移る。
【０２０７】
そしてステップＳＰ２７において主体コントローラ２０は、撮影命令の入力に応じて抽出した主体動画撮影画像データＤ１６を圧縮符号化してファイル化することにより主体動画ファイルデータＤ１７を生成し、当該生成した主体動画ファイルデータＤ１７を記録媒体３６に記録して、ステップＳＰ２４に戻る。
【０２０８】
このようにして主体コントローラ２０は、この後、ステップＳＰ２５において肯定結果が得られるまでの間はステップＳＰ２４−ＳＰ２５−ＳＰ２６−ＳＰ２７の処理を循環的に繰り返すことにより撮影命令が入力される毎に複数の従属デジタルスチルカメラ４Ａ乃至４Ｎに対して被写体２を主体的に動画撮影する。
【０２０９】
一方、ステップＳＰ３２において従属コントローラ４０は、主体デジタルスチルカメラ３から送信される動画撮影命令信号Ｓ１３を受信したか否かを判断する。
【０２１０】
このステップＳＰ３２において否定結果が得られると、このことは主体デジタルスチルカメラ３において例えばユーザにより被写体２に対する動画撮影のシャッタチャンスがまだ到来してはいないと判断され、当該主体デジタルスチルカメラ３からは未だ動画撮影が命令されてはいないことを表しており、このとき従属コントローラ４０はステップＳＰ３３に移る。
【０２１１】
ステップＳＰ３３において従属コントローラ４０は、主体デジタルスチルカメラ３から送信される従属動画撮影終了信号Ｓ１４を受信したか否かを判断する。
【０２１２】
このステップＳＰ３３において否定結果が得られると、このことは主体デジタルスチルカメラ３においてまだ被写体２を動画撮影する可能性があり、当該主体デジタルスチルカメラ３からは未だ主体動画撮影処理の終了に伴う従属動画撮影処理の終了が通知されてはいないことを表しており、このとき従属コントローラ４０はステップＳＰ３２に戻る。
【０２１３】
これにより従属コントローラ４０は、この後、ステップＳＰ３２及びステップＳＰ３３において肯定結果が得られるまでの間は、ステップＳＰ３２−ＳＰ３３の処理を循環的に繰り返すことにより主体デジタルスチルカメラ３から被写体２に対する動画撮影が命令されること、及び当該主体デジタルスチルカメラ３から従属動画撮影処理の終了が通知されることを待ち受ける。
【０２１４】
そしてステップＳＰ３２において肯定結果が得られると、このことは主体デジタルスチルカメラ３において例えばユーザにより被写体２に対する動画撮影のシャッタチャンスが到来したと判断されてシャッタボタン１４が押下されたことにより、これに応じて主体デジタルスチルカメラ３から動画撮影が命令されたことを表しており、このとき従属コントローラ４０はステップＳＰ３４に移る。
【０２１５】
ステップＳＰ３４において従属コントローラ４０は、動画撮影命令信号Ｓ１３に基づいて得られた主体動画撮影開始日時情報及び動画撮影条件情報に従って、被写体２を撮像しながら生成していた撮像動画像データＤ３０を構成する複数の撮像静止画像データのうち主体撮影命令入力時点とほぼ同じ時点から動画撮影時間経過後の動画撮影終了時点までに生成した、又は当該主体撮影命令入力時点を基準とした動画撮影遅延時間経過後の動画撮影開始時点から動画撮影時間経過後の動画撮影終了時点までに生成した時間的に連続する複数枚の撮像静止画像に相当する複数の撮像静止画像データを従属動画撮影画像データＤ２６として抽出して、ステップＳＰ３５に移る。
【０２１６】
ステップＳＰ３５において従属コントローラ４０は、従属動画撮影画像データＤ２６を圧縮符号化してファイル化することにより従属動画ファイルデータＤ２３を生成し、当該生成した従属動画ファイルデータＤ２３を記録媒体３６に記録して、ステップＳＰ３２に戻る。
【０２１７】
このようにして従属コントローラ４０は、ステップＳＰ３３において肯定結果が得られるまでの間は、ステップＳＰ３２−ＳＰ３３−ＳＰ３４−ＳＰ３５の処理を循環的に繰り返すことにより、主体デジタルスチルカメラ３で被写体２が動画撮影される毎に、これに連動して主体撮影命令入力時点とほぼ同時又は当該主体撮影命令入力時点から動画撮影遅延時間経過後の動画撮影開始時点に被写体２に対する動画撮影を開始して動画撮影時間に渡ってその被写体２を動画撮影する。
【０２１８】
ところで上述したステップＳＰ２５において肯定結果が得られると、このことはユーザにより被写体２が納得のいくまで動画撮影されたことにより操作部２３を介して主体動画撮影処理の終了が命令されたことを表しており、このとき主体コントローラ２０はステップＳＰ２８に移る。
【０２１９】
ステップＳＰ２８おいて主体コントローラ２０は、従属動画撮影終了信号Ｓ１４を主体無線通信範囲内に存在する従属動作可能な従属デジタルスチルカメラ４Ａ乃至４Ｎに送信した後、続くステップＳＰ２９に移って主体動画撮影処理手順ＲＴ３を終了する。
【０２２０】
また上述したステップＳＰ３３において肯定結果が得られると、このことは主体デジタルスチルカメラ３から主体動画撮影処理の終了に伴い従属動画撮影処理の終了が通知されたことを表しており、このとき従属コントローラ４０は続くステップＳＰ３６に移って従属動画撮影処理手順ＲＴ４を終了する。かくして撮影システム１における動画撮影処理手順を全て終了する。
【０２２１】
このようにして撮影システム１では、図１からも明らかなように、一箇所に留まっている人物等の被写体２を主体デジタルスチルカメラ３及び複数の従属デジタルスチルカメラ４Ａ乃至４Ｎによって複数方向からほぼ同時に一括して動画撮影し得ると共に、当該主体デジタルスチルカメラ３及び複数の従属デジタルスチルカメラ４Ａ乃至４Ｎによって複数方向からそれぞれ時間差を設けて動画撮影することもでき、かくして被写体２に対して複数方向からの異なる表情の変化等をほぼ同時及び異なる瞬間に自在に動画撮影画像として捉えることができる。
【０２２２】
また撮影システム１では、図８に示すように、人物や車等の移動体を被写体２として、当該被写体２をその移動軌跡ＭＬに沿って主体デジタルスチルカメラ３及び複数の従属デジタルスチルカメラ４Ａ乃至４Ｎにより複数方向からほぼ同時及び時間差を設けて動画撮影することもできる。
【０２２３】
そして撮影システム１では、かかる被写体２に対する動画撮影の際に、主体デジタルスチルカメラ３及び複数の従属デジタルスチルカメラ４Ａ乃至４Ｎを被写体２の移動軌跡ＭＬに沿って点在するように配置すると共に、当該主体デジタルスチルカメラ３に対する動画撮像条件（すなわち、予め設定された動画撮影時間）を基準として複数のデジタルスチルカメラ４Ａ乃至４Ｎに対する動画撮像条件をそれぞれの配置位置や被写体２の移動速度及び移動軌跡ＭＬ等に応じて適宜選定することにより、例えば図１０に示すように、移動する被写体２を先ず主体デジタルスチルカメラ３によって動画撮影してその動画撮影が終了した時点から引き続き１台目の従属デジタルスチルカメラ４Ａによって被写体２の動画撮影を開始し、当該１台目の従属デジタルスチルカメラ４Ａによる動画撮影が終了した時点から引き続き２台目の従属デジタルスチルカメラ４Ｂによって被写体２の動画撮影を開始し、当該２台目の従属デジタルスチルカメラ４Ｂによる動画撮影が終了した時点から引き続き３台目の従属デジタルスチルカメラ４Ｃによって被写体２の動画撮影を開始するように、被写体２の移動軌跡ＭＬを複数の区間Ｗ１、Ｗ２、Ｗ３、Ｗ４、……、ＷＮに区切り、これら区間Ｗ１、Ｗ２、Ｗ３、Ｗ４、……、ＷＮ毎に主体デジタルスチルカメラ３及び複数の従属デジタルスチルカメラ４Ａ乃至４Ｎにより当該被写体２を順次動画撮影を引き継ぐように連続して動画撮影することもできる。
【０２２４】
このようにして撮影システム１では、主体デジタルスチルカメラ３及び複数の従属デジタルスチルカメラ４Ａ乃至４Ｎにより、移動する被写体２を複数方向から順番に途切れることなく動画撮影することができ、かくして被写体２の移動状態を表情の変化等と共に比較的長時間に渡って連続する動画撮影画像として捉えることができる。
【０２２５】
そしてこの撮影システム１では、主体デジタルスチルカメラ３で複数の従属デジタルスチルカメラ４Ａ乃至４Ｎから従属動画撮影画像データＤ２６−１、Ｄ２６−２、Ｄ２６−３、Ｄ２６−４、……、Ｄ２６−Ｎを集めて取得し、動画撮影画像を再生する場合には、主体動画撮影画像データＤ１６及び従属動画撮影画像データＤ２６−１、Ｄ２６−２、Ｄ２６−３、Ｄ２６−４、……、Ｄ２６−Ｎを主体動画撮影開始日時情報及び従属動画撮影開始日時情報に従って時系列的に順番に再生することにより被写体２の移動の様子を、あたかも１つのシーンを複数のビデオカメラで撮影して時系列的に編集した映画のように、時間経過に従って比較的長時間見せることができる。
【０２２６】
一方、撮影システム１における主体デジタルスチルカメラ３と複数の従属デジタルスチルカメラ４Ａ乃至４Ｎとによる写真撮影画像取得処理手順についてまとめると、図１１（Ａ）に示すように、まず主体デジタルスチルカメラ３の主体コントローラ２０は操作部２３を介してメニュー画面上で写真撮影画像の取得命令が入力されたとき、撮影画像取得処理プログラムに従って写真撮影画像取得処理を実行することにより写真撮影画像取得処理手順ＲＴ５に開始ステップから入って続くステップＳＰ４１に移る。
【０２２７】
ステップＳＰ４１において主体コントローラ２０は、主体写真撮影処理時に被写体２を従属的に写真撮影させた従属デジタルスチルカメラ４Ａ乃至４Ｎに写真撮影画像要求信号Ｓ１５を送信して、続くステップＳＰ４２に移る。
【０２２８】
このとき図１１（Ｂ）に示すように、主体無線通信範囲内に存在する従属デジタルスチルカメラ４Ａ乃至４Ｎの従属コントローラ４０は、主体デジタルスチルカメラ３から送信された写真撮影画像要求信号Ｓ１５の受信に応じて撮影画像提供処理プログラムに従い写真撮影画像提供処理を実行することにより写真撮影画像提供処理手順ＲＴ６に開始ステップから入って続くステップＳＰ５１に移る。
【０２２９】
ステップＳＰ５１において従属コントローラ４０は、写真撮影画像要求信号Ｓ１５に基づいて得られた主体写真撮影日時情報及び写真撮影条件情報に従って記録媒体３６内の複数の従属写真ファイルデータＤ２１のうち主体デジタルスチルカメラ３に提供すべき従属写真ファイルデータＤ２１を特定し、当該特定した従属写真ファイルデータＤ２１を従属写真ファイル信号Ｓ１６として主体デジタルスチルカメラ３に送信した後、続くステップＳＰ５２に移って写真撮影画像提供処理手順ＲＴ６を終了する。
【０２３０】
このときステップＳＰ４２において主体コントローラ２０は、従属デジタルスチルカメラ４Ａ乃至４Ｎから送信される従属写真ファイル信号Ｓ１６を受信したか否かを判断する。
【０２３１】
このステップＳＰ４２において否定結果が得られると、このことは従属デジタルスチルカメラ４Ａ乃至４Ｎで主体デジタルスチルカメラ３に提供すべき従属写真ファイルデータＤ２１を未だ特定している途中であることを表しており、このとき主体コントローラ２０は従属デジタルスチルカメラ４Ａ乃至４Ｎから送信される従属写真ファイル信号Ｓ１６の受信を待ち受ける。
【０２３２】
そしてこのステップＳＰ４２において肯定結果が得られると、このことは従属デジタルスチルカメラ４Ａ乃至４Ｎで主体デジタルスチルカメラ３に提供すべき従属写真ファイルデータＤ２１が特定されたことにより当該従属デジタルスチルカメラ４Ａ乃至４Ｎから送信された従属写真ファイル信号Ｓ１６を受信したことを表しており、このとき主体コントローラ２０は続くステップＳＰ４３に移る。
【０２３３】
ステップＳＰ４３において主体コントローラ２０は、受信した従属写真ファイル信号Ｓ１６を従属写真ファイルデータＤ２１として記録媒体３６に記録した後、続くステップＳＰ４４に移って写真撮影画像取得処理手順ＲＴ５を終了する。かくして撮影システム１における写真撮影画像取得処理手順を全て終了する。
【０２３４】
また撮影システム１における主体デジタルスチルカメラ３と複数の従属デジタルスチルカメラ４Ａ乃至４Ｎとによる動画撮影画像取得処理手順についてまとめると、図１２（Ａ）に示すように、まず主体デジタルスチルカメラ３の主体コントローラ２０は操作部２３を介してメニュー画面上で動画撮影画像の取得命令が入力されたとき、撮影画像取得処理プログラムに従って動画撮影画像取得処理を実行することにより動画撮影画像取得処理手順ＲＴ７に開始ステップから入って続くステップＳＰ６１に移る。
【０２３５】
ステップＳＰ６１において主体コントローラ２０は、主体動画撮影処理時に被写体２を従属的に動画撮影させた従属デジタルスチルカメラ４Ａ乃至４Ｎに動画撮影画像要求信号Ｓ１７を送信して、続くステップＳＰ６２に移る。
【０２３６】
このとき図１２（Ｂ）に示すように、主体無線通信範囲内に存在する従属デジタルスチルカメラ４Ａ乃至４Ｎの従属コントローラ４０は、主体デジタルスチルカメラ３から送信された動画撮影画像要求信号Ｓ１７の受信に応じて撮影画像提供処理プログラムに従い動画撮影画像提供処理を実行することにより動画撮影画像提供処理手順ＲＴ８に開始ステップから入って続くステップＳＰ７１に移る。
【０２３７】
ステップＳＰ７１において従属コントローラ４０は、動画撮影画像要求信号Ｓ１７に基づいて得られた主体動画撮影開始日時情報及び動画撮影条件情報に従って記録媒体３６内の複数の従属動画ファイルデータＤ２３のうち主体デジタルスチルカメラ３に提供すべき従属動画ファイルデータＤ２３を特定し、当該特定した従属動画ファイルデータＤ２３を従属動画ファイル信号Ｓ１８として主体デジタルスチルカメラ３に送信した後、続くステップＳＰ７２に移って動画撮影画像提供処理手順ＲＴ８を終了する。
【０２３８】
このときステップＳＰ６２において主体コントローラ２０は、従属デジタルスチルカメラ４Ａ乃至４Ｎから送信される従属動画ファイル信号Ｓ１８を受信したか否かを判断する。
【０２３９】
このステップＳＰ６２において否定結果が得られると、このことは従属デジタルスチルカメラ４Ａ乃至４Ｎで主体デジタルスチルカメラ３に提供すべき従属動画ファイルデータＤ２３を未だ特定している途中であることを表しており、このとき主体コントローラ２０は従属デジタルスチルカメラ４Ａ乃至４Ｎから送信される従属動画ファイル信号Ｓ１８の受信を待ち受ける。
【０２４０】
そしてこのステップＳＰ６２において肯定結果が得られると、このことは従属デジタルスチルカメラ４Ａ乃至４Ｎで主体デジタルスチルカメラ３に提供すべき従属動画ファイルデータＤ２３が特定されたことにより当該従属デジタルスチルカメラ４Ａ乃至４Ｎから送信された従属動画ファイル信号Ｓ１８を受信したことを表しており、このとき主体コントローラ２０は続くステップＳＰ６３に移る。
【０２４１】
ステップＳＰ６３において主体コントローラ２０は、受信した従属動画ファイル信号Ｓ１８を従属動画ファイルデータＤ２３として記録媒体３６に記録した後、続くステップＳＰ６４に移って動画撮影画像取得処理手順ＲＴ７を終了する。かくして撮影システム１における動画撮影画像取得処理手順を全て終了する。
【０２４２】
以上の構成において、撮影システム１は、写真撮影処理時、主体デジタルスチルカメラ３がシャッタボタン１４の押下操作に応じて撮影命令が入力された主体撮影命令入力時点に被写体２を写真撮影すると共に、主体無線通信範囲内に存在する従属動作可能な複数の従属デジタルスチルカメラ４Ａ乃至４Ｎにそれぞれ写真撮影命令信号Ｓ１０を送信する（ステップＳＰ１乃至ステップＳＰ７並びにステップＳＰ１１乃至ステップＳＰ１３）。
【０２４３】
そして撮影システム１は、写真撮影命令信号Ｓ１０を受信した複数の従属デジタルスチルカメラ４Ａ乃至４Ｎがそれぞれ主体デジタルスチルカメラ３による被写体２の写真撮影に連動し、予め選択された写真撮影条件に従って主体撮影命令入力時点とほぼ同時及び又は当該主体撮影命令入力時点から写真撮影遅延時間経過後の写真撮影時点に自己のレンズ１１の向いた方向で被写体２を写真撮影する（ステップＳＰ１４及びステップＳＰ１５）。
【０２４４】
また撮影システム１は、動画撮影処理時、主体デジタルスチルカメラ３がシャッタボタン１４の押下操作に応じて撮影命令が入力された主体撮影命令入力時点に被写体２に対する動画撮影を開始して当該被写体２を動画撮影すると共に、主体無線通信範囲内に存在する従属動作可能な複数の従属デジタルスチルカメラ４Ａ乃至４Ｎにそれぞれ動画撮影命令信号Ｓ１３を送信する（ステップＳＰ２１乃至ステップＳＰ２７並びにステップＳＰ３１乃至ステップＳＰ３３）。
【０２４５】
そして撮影システム１は、動画撮影命令信号Ｓ１３を受信した複数の従属デジタルスチルカメラ４Ａ乃至４Ｎがそれぞれ主体デジタルスチルカメラ３による被写体２の動画撮影に連動し、予め選択された動画撮影条件に従って主体撮影命令入力時点とほぼ同じ時点及び又は当該主体撮影命令入力時点を基準とした動画撮影遅延時間経過後の動画撮影開始時点に自己のレンズ１１が向いた方向で被写体２に対する動画撮影を開始して動画撮影時間経過後の動画撮影終了時点までの間、当該被写体２を動画撮影する（ステップＳＰ３２乃至ステップＳＰ３５）。
【０２４６】
従ってこの撮影システム１は、１台の主体デジタルスチルカメラ３においてシャッタボタン１４を押下するだけの簡易な操作で当該主体デジタルスチルカメラ３と複数の従属デジタルスチルカメラ４Ａ乃至４Ｎとで被写体２を写真撮影及び動画撮影することができる。
【０２４７】
そしてかかる撮影システム１は、主体デジタルスチルカメラ３と複数の従属デジタルスチルカメラ４Ａ乃至４Ｎとの互いのレンズ１１が物理的に重なり合うことはないため、当該主体デジタルスチルカメラ３と複数の従属デジタルスチルカメラ４Ａ乃至４Ｎとにより必然的にレンズ１１をそれぞれ異なる方向に向けて被写体２を複数方向から一括して写真撮影及び動画撮影することができる。
【０２４８】
またこの撮影システム１は、写真撮影画像取得処理時、主体デジタルスチルカメラ３から主体無線通信範囲内に存在する複数の従属デジタルスチルカメラ４Ａ乃至４Ｎに写真撮影画像要求信号Ｓ１５を送信する（ステップＳＰ４１）。
【０２４９】
そして撮影システム１は、写真撮影画像要求信号Ｓ１５を受信した複数の従属デジタルスチルカメラ４Ａ乃至４Ｎがそれぞれ主体デジタルスチルカメラ３による被写体２の写真撮影に連動して当該被写体２を従属的に写真撮影して生成した従属写真ファイルデータＤ２１を従属写真ファイル信号Ｓ１６として主体デジタルスチルカメラ３に送信することにより当該主体デジタルスチルカメラ３によりその従属写真ファイル信号Ｓ１６を受信して従属写真ファイルデータＤ２１として記録媒体３６に記録する（ステップＳＰ４２及びステップＳＰ４３並びにステップＳＰ５１）。
【０２５０】
また撮影システム１は、動画撮影画像取得処理時、主体デジタルスチルカメラ３から主体無線通信範囲内に存在する複数の従属デジタルスチルカメラ４Ａ乃至４Ｎに動画撮影画像要求信号Ｓ１７を送信する（ステップＳＰ６１）。
【０２５１】
そして撮影システム１は、動画撮影画像要求信号Ｓ１７を受信した複数の従属デジタルスチルカメラ４Ａ乃至４Ｎがそれぞれ主体デジタルスチルカメラ３による被写体２の動画撮影に連動して当該被写体２を従属的に動画撮影して生成した従属動画ファイルデータＤ２３を従属動画ファイル信号Ｓ１８として主体デジタルスチルカメラ３に送信することにより当該主体デジタルスチルカメラ３によりその従属動画ファイル信号Ｓ１８を受信して従属動画ファイルデータＤ２３として記録媒体３６に記録する（ステップＳＰ６２及びステップＳＰ６３並びにステップＳＰ７１）。
【０２５２】
ここで、通常、記録媒体が着脱自在に装着されるデジタルスチルカメラでは、その記録媒体を用いずに内部に写真ファイルデータ及び動画ファイルデータを保持する機能を有してはいないことにより、他のデジタルスチルカメラで被写体２を写真撮影及び動画撮影して生成した写真ファイルデータ及び動画ファイルデータを取得するには、他のデジタルスチルカメラで使用された記録媒体自体を借りる等して装着するか、又はパーソナルコンピュータ等の情報処理装置を用いてデジタルスチルカメラの記録媒体に他のデジタルスチルカメラで生成した写真ファイルデータ及び動画ファイルデータを記録しなおす必要がある。
【０２５３】
しかしながらかかる撮影システム１によれば、記録媒体３６自体の貸し借りや情報処理装置を用いた再記録等の煩雑な手順を必要とせずに、複数の従属デジタルスチルカメラ４Ａ乃至４Ｎで生成した従属写真ファイルデータＤ２１及び従属動画ファイルデータＤ２３を主体デジタルスチルカメラ３で取得して当該主体デジタルスチルカメラ３の記録媒体３６に容易に記録することができる。
【０２５４】
以上の構成によれば、主体となる主体デジタルスチルカメラ３により被写体２を写真撮影及び動画撮影すると、その時点に当該主体デジタルスチルカメラ３から主体無線通信範囲内に存在する従属動作可能な複数の従属デジタルスチルカメラ４Ａ乃至４Ｎにそれぞれ写真撮影命令信号Ｓ１０及び動画撮影命令信号Ｓ１３を送信し、当該写真撮影命令信号Ｓ１０及び動画撮影命令信号Ｓ１３を受信した複数の従属デジタルスチルカメラ４Ａ乃至４Ｎがそれぞれ主体デジタルスチルカメラ３による被写体２の写真撮影及び動画撮影に連動して当該被写体２を写真撮影及び動画撮影するようにしたことにより、１台の主体デジタルスチルカメラ３で被写体２を写真撮影及び動画撮影するだけの簡易な操作で、これに連動して他の複数の従属デジタルスチルカメラ４Ａ乃至４Ｎでも被写体２を写真撮影及び動画撮影させることができ、かくして被写体を複数方向から一括して容易に撮影し得る撮影システムを実現することができる。
【０２５５】
またかかる撮影システム１は、主体デジタルスチルカメラ３による被写体２の写真撮影及び動画撮影に連動して複数の従属デジタルスチルカメラ４Ａ乃至４Ｎにそれぞれ主体デジタルスチルカメラ３による写真撮影及び動画撮影とほぼ同時又は遅延させて被写体２を写真撮影及び動画撮影させることにより、当該被写体２の表情等を複数方向からそれぞれほぼ同時に写真撮影画像及び動画撮影画像として容易に捉えることができると共に、被写体２の表情や動き等の時間経過に伴う変化も写真撮影画像及び動画撮影画像として容易に捉えることができる。
【０２５６】
さらに撮影システム１は、主体デジタルスチルカメラ３で人物等の特定の物体を被写体２として写真撮影及び動画撮影する場合、複数の従属デジタルスチルカメラ４Ａ乃至４Ｎのユーザに撮影対象の被写体２を特には教えなければ、当該ユーザに主体デジタルスチルカメラ３による被写体２の写真撮影及び動画撮影に連動して複数の従属デジタルスチルカメラ４Ａ乃至４Ｎで写真撮影及び動画撮影するタイミングも事前には教えていないことにより、当該従属デジタルスチルカメラ４Ａ乃至４Ｎのレンズ１１がそれぞれ被写体２に対する撮影方向とは異なる方向に向いていることがある。
【０２５７】
そして撮影システム１では、このように従属デジタルスチルカメラ４Ａ乃至４Ｎのレンズ１１が被写体２に対する撮影方向とは異なる方向に向いた状態で主体デジタルスチルカメラ３による被写体２の写真撮影及び動画撮影に連動して写真撮影及び動画撮影を実行すると、主体デジタルスチルカメラ３による被写体２の写真撮影及び動画撮影に合わせて当該被写体２の周囲の状況等も写真撮影及び動画撮影することになり、かくして各ユーザにそれぞれ特には意識させなくても主体デジタルスチルカメラ３及び複数の従属デジタルスチルカメラ４Ａ乃至４Ｎにより特定の物体でなる被写体２と共に当該被写体２の周囲の状況等も合わせて事象の詳細な記録となる写真撮影画像及び動画撮影画像としてのこすことができる。
【０２５８】
これに加えて撮影システム１は、主体デジタルスチルカメラ３に対して複数の従属デジタルスチルカメラ４Ａ乃至４Ｎを無線接続するようにしたことにより、どのような撮影場所でも主体デジタルスチルカメラ３に対して複数の従属デジタルスチルカメラ４Ａ乃至４Ｎを無線接続して撮影システム１を容易に構築することができ、かくして撮影場所で被写体２に対する複数方向からの写真撮影及び動画撮影を迅速に開始することができる。
【０２５９】
なお上述した第１の実施の形態においては、主体デジタルスチルカメラ３において写真撮影画像表示処理を実行した際に写真撮影画像を表示し、動画撮影画像表示処理を実行した際に動画撮影画像を表示するようにした場合について述べたが、本発明はこれに限らず、主体デジタルスチルカメラ３において１つの撮影画像表示処理を実行している際に写真撮影画像及び動画撮影画像を混在させて表示するようにしても良い。
【０２６０】
また上述した第１の実施の形態においては、主体デジタルスチルカメラ３及び複数の従属デジタルスチルカメラ４Ａ乃至４Ｎにおいて被写体２を動画撮影したときに撮像動画像データＤ６及びＤ３０から主体動画撮影画像データＤ１６及び従属動画撮影画像データＤ２６を抽出するようにした場合について述べたが、本発明はこれに限らず、主体デジタルスチルカメラ３及び複数の従属デジタルスチルカメラ４Ａ乃至４Ｎにおいて被写体２を動画撮影したときに主体動画撮影画像データＤ１６及び従属動画撮影画像データＤ２６を抽出すると共に、これらに同期して周囲の音声を集音することにより音声データも合わせて生成し、当該生成した音声データも主体動画撮影画像データＤ１６及び従属動画撮影画像データＤ２６と共に動画撮影の結果として記録するようにしても良い。
【０２６１】
さらに上述した第１の実施の形態においては、主体デジタルスチルカメラ３において複数の従属デジタルスチルカメラ４Ａ乃至４Ｎに対する写真撮影条件及び動画撮影条件を任意に選択して保持するようにした場合について述べたが、本発明はこれに限らず、複数の従属デジタルスチルカメラ４Ａ乃至４Ｎでそれぞれ自己の写真撮影条件及び動画撮影条件を任意に選択して保持し、又は主体デジタルスチルカメラ３で任意に選択した写真撮影条件及び動画撮影条件を複数の従属デジタルスチルカメラ４Ａ乃至４Ｎで保持するようにしても良い。
【０２６２】
さらに上述した第１の実施の形態においては、主体デジタルスチルカメラ３から主体撮影命令入力時点に写真撮影命令信号Ｓ１０及び動画撮影命令信号Ｓ１３を複数の従属デジタルスチルカメラ４Ａ乃至４Ｎに送信するようにした場合について述べたが、本発明はこれに限らず、主体デジタルスチルカメラ３から複数の従属デジタルスチルカメラ４Ａ乃至４Ｎに対する写真撮影条件及び動画撮影条件に従って主体撮影命令入力時点又は当該主体撮影命令入力時点から写真撮影遅延時間及び動画撮影遅延時間経過後の写真撮影時点及び動画撮影開始時点に写真撮影命令信号Ｓ１０及び動画撮影命令信号Ｓ１３を複数の従属デジタルスチルカメラ４Ａ乃至４Ｎに送信するようにしても良い。
【０２６３】
さらに上述した第１の実施の形態においては、複数の従属デジタルスチルカメラ４Ａ乃至４Ｎで被写体２を従属的に写真撮影及び動画撮影して生成した従属写真ファイルデータＤ２１及び従属動画ファイルデータＤ２３を主体デジタルスチルカメラ３に集めて一括して記録するようにした場合について述べたが、本発明はこれに限らず、主体デジタルスチルカメラ３及び複数の従属デジタルスチルカメラ４Ａ乃至４Ｎでそれぞれ生成した主体写真ファイルデータＤ１２、主体動画ファイルデータＤ１７及び従属写真ファイルデータＤ２１、従属動画ファイルデータＤ２３の全て又は一部を当該主体デジタルスチルカメラ３及び複数の従属デジタルスチルカメラ４Ａ乃至４Ｎでそれぞれ共有して記録するようにしても良い。因みにかかる共有化の際には、主体デジタルスチルカメラ３及び複数の従属デジタルスチルカメラ４Ａ乃至４Ｎにおいてそれぞれ主体写真ファイルデータＤ１２、主体動画ファイルデータＤ１７及び従属写真ファイルデータＤ２１、従属動画ファイルデータＤ２３を相手に提供するか否かを任意に選択させるようにしても良い。
【０２６４】
さらに上述した第１の実施の形態においては、主体デジタルスチルカメラ３において主体写真撮影処理及び主体動画撮影処理を実行した後に写真撮影画像取得処理及び動画撮影画像取得処理を実行して複数の従属デジタルスチルカメラ４Ａ乃至４Ｎから従属写真ファイルデータＤ２１及び従属動画ファイルデータＤ２３を取得するようにした場合について述べたが、本発明はこれに限らず、主体デジタルスチルカメラ３において主体写真撮影処理に写真撮影画像取得処理を組み込むと共に、主体動画撮影処理に動画撮影画像取得処理を組み込み、当該主体写真撮影処理及び主体動画撮影処理を実行しながら複数の従属デジタルスチルカメラ４Ａ乃至４Ｎから被写体２を写真撮影及び動画撮影する毎に従属写真ファイルデータＤ２１及び従属動画ファイルデータＤ２３を順次取得するようにしても良い。
【０２６５】
また主体デジタルスチルカメラ３及び又は複数の従属デジタルスチルカメラ４Ａ乃至４Ｎにおいてそれぞれ起動停止命令が入力された際に外見上起動を停止しながら主体写真ファイルデータＤ１２、主体動画ファイルデータＤ１７及び又は従属写真ファイルデータＤ２１、従属動画ファイルデータＤ２３を取得するようにしても良く、このようにすれば主体コントローラ２０及び従属コントローラ４０に対して写真撮影や動画撮影等の他の機能を停止させる分、処理負荷を大幅に低減させて当該主体写真ファイルデータＤ１２、主体動画ファイルデータＤ１７及び又は従属写真ファイルデータＤ２１、従属動画ファイルデータＤ２３を取得することができる。
【０２６６】
さらに上述した第１の実施の形態においては、主体となるデジタルスチルカメラ（すなわち、主体デジタルスチルカメラ３）と、従属となるデジタルスチルカメラ（すなわち、複数の従属デジタルスチルカメラ４Ａ乃至４Ｎ）とを固定的に設定するようにした場合について述べたが、本発明はこれに限らず、主体デジタルスチルカメラ３及び複数の従属デジタルスチルカメラ４Ａ乃至４Ｎのいずれをも任意に主体に設定し、かつ残りを従属に設定するようにして主体に設定するデジタルスチルカメラを変更するようにしても良い。このようにすれば、主体デジタルスチルカメラ３及び複数の従属デジタルスチルカメラ４Ａ乃至４Ｎをそれぞれ異なるユーザが使用する場合、いずれのユーザをも主体として被写体２を写真撮影及び動画撮影させることができ、各ユーザにそれぞれ自分の好みで写真撮影及び動画撮影させることができる。
【０２６７】
さらに上述した第１の実施の形態においては、主体デジタルスチルカメラ３で写真撮影モード及び動画撮影モードが選択されると、自動で主体無線通信範囲内に従属動作可能な従属デジタルスチルカメラ４Ａ乃至４Ｎが存在するか否かを探索し、当該主体無線通信範囲内に従属動作可能な従属デジタルスチルカメラ４Ａ乃至４Ｎが存在しているときに主体写真撮影処理及び主体動画撮影処理を実行するようにした場合について述べたが、本発明はこれに限らず、主体デジタルスチルカメラ３において主体写真撮影処理及び主体動画撮影処理を実行するか否かを任意に選択させ、当該実行が選択されたときに主体写真撮影処理及び主体動画撮影処理を実行するようにしても良い。
【０２６８】
さらに上述した第１の実施の形態においては、主体デジタルスチルカメラ３及び複数の従属デジタルスチルカメラ４Ａ乃至４Ｎで主体写真撮影処理及び従属写真撮影処理と、主体動画撮影処理及び従属動画撮影処理とを別々に実行するようにした場合について述べたが、本発明はこれに限らず、主体デジタルスチルカメラ３及び複数の従属デジタルスチルカメラ４Ａ乃至４Ｎで主体写真撮影処理及び主体動画撮影処理と、従属写真撮影処理及び従属動画撮影処理とを混在させて実行するようにしても良く、主体写真撮影処理及び主体動画撮影処理と従属写真撮影処理及び従属動画撮影処理とを混在させる場合の組み合せについては任意に選択させるようにしても良い。このようにすれば、写真撮影と動画撮影とを合わせて実行することができ、これにより被写体２を撮影したいと思ったときに、当該被写体２の様子を写真撮影画像及び動画撮影画像の両方でのこすことができる。
【０２６９】
さらに上述した第１の実施の形態においては、主体デジタルスチルカメラ３及び従属デジタルスチルカメラ４Ａ乃至４Ｎに対して予め動画撮影時間を設定しておくようにした場合について述べたが、本発明はこれに限らず、動画撮影時間を特には設定せずに、例えば動画撮影の際に主体デジタルスチルカメラ３と従属デジタルスチルカメラ４Ａ乃至４Ｎとの間で常時通信して当該主体デジタルスチルカメラ３で動画撮影を開始した後、シャッタボタン１４が再び１度押下される等してその動画撮影を終了した時点で、予め設定している順番に従って１台目の従属デジタルスチルカメラ４Ａ乃至４Ｎで動画撮影を開始し、当該従属デジタルスチルカメラ４Ａ乃至４Ｎでもシャッタボタン１４が再び１度押下される等してその動画撮影を終了した時点で、さらに２台目の従属デジタルスチルカメラ４Ａ乃至４Ｎで動画撮影を開始するようにして最後の従属デジタルスチルカメラ４Ａ乃至４Ｎが動画撮影を開始した後、シャッタボタン１４が２度連続して押下される等して全ての動画撮影を終了するように、主体デジタルスチルカメラ３及び複数の従属デジタルスチルカメラ４Ａ乃至４Ｎにおいて順番かつ連続して所望の動画撮影時間だけ動画撮影を実行するようにしても良い。
【０２７０】
このようにすれば、図１０について上述したような動画撮影を、動画撮影条件を選択するための事前の処理や、１度選択した動画撮影時間に規制されることなく、自由に実行することができる。
【０２７１】
（２）第２の実施の形態
図１３は第２の実施の形態による撮影システム５０を示し、人物等の被写体２を写真撮影及び動画撮影し得る複数のデジタルスチルカメラ５１Ａ乃至５１Ｎを互いに近距離無線通信技術であるＢｌｕｅｔｏｏｔｈ等に準拠して無線接続して構築されている。
【０２７２】
この場合、撮影システム５０は、それぞれ異なるユーザによって使用される複数のデジタルスチルカメラ５１Ａ乃至５１Ｎのうちいずれのデジタルスチルカメラ５１Ａ乃至５１Ｎも被写体２に対する写真撮影及び動画撮影の主体に設定して当該被写体２を写真撮影及び動画撮影し得ると共に、その際に他のデジタルスチルカメラ５１Ａ乃至５１Ｎを当該主体に設定したデジタルスチルカメラ５１Ａ乃至５１Ｎに対して従属に設定することによりその主体に設定したデジタルスチルカメラ５１Ａ乃至５１Ｎによる写真撮影及び動画撮影に連動して被写体２を写真撮影及び動画撮影し得るようになされている。
【０２７３】
ここでまず複数のデジタルスチルカメラ５１Ａ乃至５１Ｎは、例えば図２（Ａ）及び（Ｂ）について上述した第１の実施の形態による主体デジタルスチルカメラ３及び複数の従属デジタルスチルカメラ４Ａ乃至４Ｎとそれぞれ同様の外観構成を有している。
【０２７４】
また複数のデジタルスチルカメラ５１Ａ乃至５１Ｎは、それぞれ回路構成についても図３及び図５について上述した主体デジタルスチルカメラ３及び従属デジタルスチルカメラ４Ａ乃至４Ｎの回路構成と基本的にはほぼ同様であるものの、主体撮影機能及び従属撮影機能の両方を実現し得る分、わずかに異なる構成を有することにより、以下にデジタルスチルカメラ５１Ａ乃至５１Ｎの回路構成について説明する。
【０２７５】
図３及び図５との対応部分に同一符号を付して示す図１４において、デジタルスチルカメラ５１Ａ乃至５１Ｎは、ＣＰＵ、ＳＲＡＭ等の不揮発性メモリ、ＲＯＭ等を有するコントローラ５５が操作部２３を介して入力される各種命令に応じて、内部のＲＯＭに予め格納した相互登録処理プログラム、主体従属設定処理プログラム、主体撮影処理プログラム、従属撮影処理プログラム、撮影画像共有処理プログラム、撮影画像再生処理プログラム等の各種アプリケーションプログラムをＤＲＡＭ２２上で展開してデジタルスチルカメラ５１Ａ乃至５１Ｎの各回路部を統括的に制御することにより、他のデジタルスチルカメラ５１Ａ乃至５１Ｎとの相互登録処理や、他のデジタルスチルカメラ５１Ａ乃至５１Ｎとの間で主体及び従属を設定する主体従属設定処理、主体撮影処理、従属撮影処理、他のデジタルスチルカメラ５１Ａ乃至５１Ｎとの間で主体写真撮影画像データＤ１１及び主体動画撮影画像データＤ１６と、従属写真撮影画像データＤ２５及び従属動画撮影画像データＤ２６とを共有化する撮像画像共有処理、撮影画像再生処理等を実行する。
【０２７６】
すなわちコントローラ５５は、自己のデジタルスチルカメラ５１Ａ乃至５１Ｎの無線通信範囲（以下、これを自己無線通信範囲と呼ぶ）内に他の１又は複数のデジタルスチルカメラ５１Ａ乃至５１Ｎが存在する状態で操作部２３の操作に応じて表示部１５にメニュー画面を表示した後、引き続き操作部２３の操作に応じてメニュー画面上で相互登録命令が入力されると、相互登録処理を開始する。
【０２７７】
この場合、コントローラ５５は、複数のデジタルスチルカメラ５１Ａ乃至５１Ｎを相互に登録し合うように要求する相互登録要求データＤ４０を生成し、これを送受信処理部２６に送出して送信処理し、得られた相互登録要求信号Ｓ４０をアンテナ２７から自己無線通信範囲内に存在する他のデジタルスチルカメラ５１Ａ乃至５１Ｎに送信する。
【０２７８】
この結果、コントローラ５５は、他のデジタルスチルカメラ５１Ａ乃至５１Ｎから相互登録を承諾する相互登録承諾信号Ｓ４１が送信されると、これをアンテナ２７で受信して送受信処理部２６において受信処理し、得られた相互登録承諾データＤ４１を取り込む。
【０２７９】
これによりコントローラ５５は、相互登録承諾データＤ４１に基づいて、自己のデジタルスチルカメラ５１Ａ乃至５１Ｎとの相互登録を承諾した他のデジタルスチルカメラ５１Ａ乃至５１Ｎを認識する。
【０２８０】
そしてコントローラ５５は、内部のＲＯＭから予め格納している自己のデジタルスチルカメラ５１Ａ乃至５１Ｎ固有の相互登録用識別情報を読み出し、これを他のデジタルスチルカメラ５１Ａ乃至５１Ｎに対して自己のデジタルスチルカメラ５１Ａ乃至５１Ｎを登録させるための登録データＤ４２として送受信処理部２６に送出して送信処理し、得られた登録信号Ｓ４２をアンテナ２７から再び他のデジタルスチルカメラ５１Ａ乃至５１Ｎに送信する。
【０２８１】
この結果、コントローラ５５は、他のデジタルスチルカメラ５１Ａ乃至５１Ｎから当該他のデジタルスチルカメラ５１Ａ乃至５１Ｎ固有の相互登録用識別情報が自己のデジタルスチルカメラ５１Ａ乃至５１Ｎに対する相互登録用の登録信号Ｓ４３として送信されると、これをアンテナ２７で受信して送受信処理部２６において受信処理し、得られた登録データＤ４３を取り込む。
【０２８２】
これによりコントローラ５５は、登録データＤ４３に基づいて得られた相手の相互登録用識別情報を内部の不揮発性メモリに記憶し、かくして自己のデジタルスチルカメラ５１Ａ乃至５１Ｎと他のデジタルスチルカメラ５１Ａ乃至５１Ｎとを相互登録して相互登録処理を終了する。
【０２８３】
因みにコントローラ５５は、他のデジタルスチルカメラ５１Ａ乃至５１Ｎに相互登録要求信号Ｓ４０を送信した結果、当該他のデジタルスチルカメラ５１Ａ乃至５１Ｎから相互登録を拒絶する相互登録拒絶信号Ｓ４４が送信されると、これをアンテナ２７で受信して送受信処理部２６において受信処理し、得られた相互登録拒絶データＤ４４を取り込む。
【０２８４】
これによりコントローラ５５は、相互登録拒絶データＤ４４に基づいて、自己のデジタルスチルカメラ５１Ａ乃至５１Ｎに対して相互登録を拒絶した他のデジタルスチルカメラ５１Ａ乃至５１Ｎを認識して相互登録処理を終了する。
【０２８５】
またコントローラ５５は、他のデジタルスチルカメラ５１Ａ乃至５１Ｎから相互登録要求信号Ｓ４０が送信されると、これをアンテナ２７で受信して送受信処理部２６において受信処理し、得られた相互登録要求データＤ４０を取り込むことにより相互登録処理を開始する。
【０２８６】
この場合、コントローラ５５は、内部のＲＯＭに予め格納している相互登録問合画面データをＯＳＤＣ２４及びデータ合成部２５を順次介して表示部１５に送出することにより当該表示部１５に相互登録問合画面データに基づいて、デジタルスチルカメラ５１Ａ乃至５１Ｎ同士の相互登録の承諾命令及び拒絶命令をそれぞれ選択するためのアイコンを有する相互登録問合画面を表示する。
【０２８７】
この状態でコントローラ５５は、操作部２３を介して相互登録問合画面上で承諾命令が入力されると、これに応じて相互登録承諾データＤ４１を生成し、これを送受信処理部２６に送出して送信処理し、得られた相互登録承諾信号Ｓ４１をアンテナ２７から他のデジタルスチルカメラ５１Ａ乃至５１Ｎに送信する。
【０２８８】
この結果、コントローラ５５は、他のデジタルスチルカメラ５１Ａ乃至５１Ｎから送信された登録信号Ｓ４２をアンテナ２７で受信すると、送受信処理部２６においてその登録信号Ｓ４２を受信処理し、得られた登録データＤ４２を取り込むことにより、当該登録データＤ４２に基づいて得られた相手の相互登録用識別情報を内部の不揮発性メモリに記憶する。
【０２８９】
またコントローラ５５は、内部のＲＯＭから予め格納している自己のデジタルスチルカメラ５１Ａ乃至５１Ｎ固有の相互登録用識別情報を読み出し、これを登録データＤ４３として送受信処理部２６に送出して送信処理し、得られた登録信号Ｓ４３をアンテナ２７から再び他のデジタルスチルカメラ５１Ａ乃至５１Ｎに送信して相互登録処理を終了する。
【０２９０】
これによりコントローラ５５は、自己のデジタルスチルカメラ５１Ａ乃至５１Ｎと他のデジタルスチルカメラ５１Ａ乃至５１Ｎとを相互登録する。
【０２９１】
因みにコントローラ５５は、操作部２３を介して相互登録問合画面上で拒絶命令が入力されると、これに応じて相互登録拒絶データＤ４４を生成し、これを送受信処理部２６に送出して送信処理し、得られた相互登録拒絶信号Ｓ４４をアンテナ２７から他のデジタルスチルカメラ５１Ａ乃至５１Ｎに送信して相互登録処理を終了する。
【０２９２】
このようにしてコントローラ５５は、自己のデジタルスチルカメラ５１Ａ乃至５１Ｎと、他のデジタルスチルカメラ５１Ａ乃至５１Ｎとを相互登録すると、この後、主体撮影処理及び従属撮影処理、撮影画像共有処理等を実行するときには、各種信号に相手の相互登録用識別情報を付加して送信することにより送信相手の他のデジタルスチルカメラ５１Ａ乃至５１Ｎに自分宛の各種信号を識別させて適確に受信させると共に、他のデジタルスチルカメラ５１Ａ乃至５１Ｎから送信される各種信号に対しても自己の相互登録用識別情報を付加させることにより当該各種信号を識別して適確に受信する。
【０２９３】
そしてコントローラ５５は、相互登録処理が終了した後、操作部２３を介してメニュー画面上で自己のデジタルスチルカメラ５１Ａ乃至５１Ｎに対する写真撮影条件及び動画撮影条件を選択するための撮影条件設定命令が入力されると、これに応じて撮影条件設定処理を実行して内部のＲＯＭから予め格納している撮影条件設定画面データを読み出す。
【０２９４】
そしてコントローラ５５は、撮影条件設定画面データをＯＳＤＣ２４及びデータ合成部２５を順次介して表示部１５に送出することにより当該表示部１５にメニュー画面に替えて撮影条件設定画面データに基づく撮影条件設定画面を表示する。
【０２９５】
この場合、コントローラ５５は、撮影条件設定画面上で写真撮影条件及び動画撮影条件を、図３について上述した主体デジタルスチルカメラ３による写真撮影条件及び動画撮影条件の選択時と同様に選択させ、当該自己のデジタルスチルカメラ５１Ａ乃至５１Ｎに対する写真撮影条件及び動画撮影条件が選択されると、これらを写真撮影条件情報及び動画撮影条件情報として内部の不揮発性メモリに記憶する。
【０２９６】
これによりコントローラ５５は、主体に設定された他のデジタルスチルカメラ５１Ａ乃至５１Ｎによる被写体２の写真撮影及び動画撮影に連動して自己のデジタルスチルカメラ５１Ａ乃至５１Ｎを従属動作させるときには、不揮発性メモリ内の写真撮影条件情報及び動画撮影条件情報に従って当該被写体２を写真撮影及び動画撮影する。
【０２９７】
ところでデジタルスチルカメラ５１Ａ乃至５１Ｎには、レンズ１１をその光軸方向に移動させることにより固体撮影素子２８の受光面に被写体象を結像させてフォーカスを調整するためのアクチュエータ５６が設けられている。
【０２９８】
この場合、コントローラ５５は、写真撮影モード及び動画撮影モードが選択された状態（すなわち、被写体２を撮像している状態）でシャッタボタン１４がめいっぱい押下されると（すなわち、全押しされると）、これに応じて操作部２３から入力された撮影命令に従って被写体２を写真撮影及び動画撮影するものの、当該シャッタボタン１４が全押しよりも短い距離だけ押下されると（すなわち、半押しされると）、これに応じて操作部２３から入力されるフォーカス調整命令に従ってアクチュエータ５６を駆動してレンズ１１をその光軸方向に移動させることにより被写体２に対するフォーカスを自動で合わせる。
【０２９９】
そしてコントローラ５５は、写真撮影モード及び動画撮影モードが選択された状態で写真撮影及び動画撮影に先立ってシャッタボタン１４が半押しされることにより被写体２に対してフォーカスを合わせたときには、ユーザに自分の好みで被写体２を写真撮影及び動画撮影する意思があると判断し得ることにより、これを利用して当該写真撮影モード及び動画撮影モードでシャッタボタン１４が半押しされたときには操作部２３からフォーカス調整命令と共に自己のデジタルスチルカメラ５１Ａ乃至５１Ｎを被写体２に対する写真撮影及び動画撮影の主体に設定するように要求する主体設定要求も取り込むようになされている。
【０３００】
従ってコントローラ５５は、写真撮影モード及び動画撮影モードが選択されたときには他のデジタルスチルカメラ５１Ａ乃至５１Ｎと無線通信しながら、複数のデジタルスチルカメラ５１Ａ乃至５１Ｎのうち最も早い時点にシャッタボタン１４が半押しされて主体設定要求が入力されたデジタルスチルカメラ５１Ａ乃至５１Ｎを被写体２に対する写真撮影及び動画撮影の主体に設定し、かつこれに応じて残りの複数のデジタルスチルカメラ５１Ａ乃至５１Ｎを当該主体に設定したデジタルスチルカメラ５１Ａ乃至５１Ｎに対して従属に設定するようにして複数のデジタルスチルカメラ５１Ａ乃至５１Ｎにおける主体と従属との関係を構築する。
【０３０１】
すなわち、コントローラ５５は、写真撮影モード及び動画撮影モードが選択されると、主体従属設定処理を実行し、他のデジタルスチルカメラ５１Ａ乃至５１Ｎから先に主体に設定したことが宣言される前に自己のデジタルスチルカメラ５１Ａ乃至５１Ｎで操作部２３からシャッタボタン１４が半押しされたことにより主体設定要求が入力されると、当該主体設定要求が入力された主体設定要求入力時点に自己のデジタルスチルカメラ５１Ａ乃至５１Ｎを被写体２に対する写真撮影及び動画撮影の主体に設定すると共に、その設定を他のデジタルスチルカメラ５１Ａ乃至５１Ｎに宣言する主体設定宣言データＤ４５を生成する。
【０３０２】
そしてコントローラ５５は、その主体設定宣言データＤ４５を送受信処理部２６に送出して送信処理し、得られた主体設定宣言信号Ｓ４５をアンテナ２７から送信する。
【０３０３】
この結果、コントローラ５５は、自己無線通信範囲内に存在する他のデジタルスチルカメラ５１Ａ乃至５１Ｎから自己のデジタルスチルカメラ５１Ａ乃至５１Ｎに対する主体の設定を認めたうえで当該自己のデジタルスチルカメラ５１Ａ乃至５１Ｎに対して従属動作可能なことを通知する従属動作可能通知信号Ｓ４６が返信されると、これをアンテナ２７で受信して送受信処理部２６において受信処理し、得られた従属動作可能通知データＤ４６を取り込む。
【０３０４】
これによりコントローラ５５は、従属動作可能通知データＤ４６に基づいて、自己のデジタルスチルカメラ５１Ａ乃至５１Ｎに対して従属に設定された他のデジタルスチルカメラ５１Ａ乃至５１Ｎを認識する。
【０３０５】
そしてコントローラ５５は、このとき従属動作可能通知データＤ４６に基づいて上述した第１の実施の形態による主体デジタルスチルカメラ３（図３）と同様に従属カメラ通知画面データＤ９を生成して表示部１５に送出することにより当該表示部１５に図４について上述した従属カメラ通知用合成画面３２を表示して自己のデジタルスチルカメラ５１Ａ乃至５１Ｎを主体に設定したことを通知すると共に、相互登録した複数のデジタルスチルカメラ５１Ａ乃至５１Ｎのうちその主体の設定に応じて従属に設定された他のデジタルスチルカメラ５１Ａ乃至５１Ｎを通知する。
【０３０６】
因みにコントローラ５５は、自己のデジタルスチルカメラ５１Ａ乃至５１Ｎを主体に設定した状態で主体写真撮影処理及び主体動画撮影処理を実行している間、定期的に主体設定宣言信号Ｓ４５を送信することにより自己無線通信範囲内で従属動作可能な他のデジタルスチルカメラ５１Ａ乃至５１Ｎ（主体に設定した時点よりも遅れて自己無線通信範囲内に入って従属に設定されたデジタルスチルカメラ５１Ａ乃至５１Ｎを含む）を常時把握して、当該把握した従属動作可能な他のデジタルスチルカメラ５１Ａ乃至５１Ｎをユーザに通知する。
【０３０７】
またコントローラ５５は、自己のデジタルスチルカメラ５１Ａ乃至５１Ｎで操作部２３からシャッタボタン１４の半押し操作に応じて主体設定要求が入力される前に、他のデジタルスチルカメラ５１Ａ乃至５１Ｎから送信された主体設定宣言信号Ｓ４５をアンテナ２７で受信すると、送受信処理部２６でその主体設定宣言信号Ｓ４５を受信処理し、得られた主体設定宣言データ４５を取り込む。
【０３０８】
このときコントローラ５５は、主体設定宣言データＤ４５に従って、主体に設定された他のデジタルスチルカメラ５１Ａ乃至５１Ｎを認識すると共に、当該主体に設定された他のデジタルスチルカメラ５１Ａ乃至５１Ｎに対して自己のデジタルスチルカメラ５１Ａ乃至５１Ｎを従属に設定する。
【０３０９】
そしてコントローラ５５は、主体に設定された他のデジタルスチルカメラ５１Ａ乃至５１Ｎに対して送信する従属動作可能通知データＤ４６を生成し、これを送受信処理部２６に送出して送信処理し、得られた従属動作可能通知信号Ｓ４６をアンテナ２７から当該主体に設定された他のデジタルスチルカメラ５１Ａ乃至５１Ｎに送信する。
【０３１０】
またコントローラ５５は、このとき主体設定宣言データＤ４５に基づいて上述した第１の実施の形態による従属デジタルスチルカメラ４Ａ乃至４Ｎ（図５）と同様に従属撮影通知画面データＤ３１を生成して表示部１５に送出することにより当該表示部１５に図６について上述した従属撮影通知用合成画面４１を表示して、主体に設定された他のデジタルスチルカメラ５１Ａ乃至５１Ｎに対して自己のデジタルスチルカメラ５１Ａ乃至５１Ｎを従属に設定したことを通知する。
【０３１１】
このようにしてコントローラ５５は、複数のデジタルスチルカメラ５１Ａ乃至５１Ｎが写真撮影及び動画撮影のために集まり主体と従属との関係を築いていない状態では、他のデジタルスチルカメラ５１Ａ乃至５１Ｎが主体に設定される（すなわち、シャッタボタン１４が半押しされる）よりも早い時点に自己のデジタルスチルカメラ５１Ａ乃至５１Ｎで主体設定要求が入力される（すなわち、シャッタボタン１４が半押しされる）と、自己のデジタルスチルカメラ５１Ａ乃至５１Ｎを被写体２に対する写真撮影及び動画撮影の主体に設定して当該被写体２を写真撮影及び動画撮影する。
【０３１２】
またコントローラ５５は、自己のデジタルスチルカメラ５１Ａ乃至５１Ｎで主体設定要求が入力されるよりも早い時点に他のデジタルスチルカメラ５１Ａ乃至５１Ｎで主体設定要求が入力されると、これに応じて主体に設定された他のデジタルスチルカメラ５１Ａ乃至５１Ｎに対して自己のデジタルスチルカメラ５１Ａ乃至５１Ｎを従属に設定し、被写体２を従属的に写真撮影及び動画撮影する。
【０３１３】
ところで係る撮影システム５０では、相互登録した複数のデジタルスチルカメラ５１Ａ乃至５１Ｎのうち最も早い時点に主体設定要求が入力された１台のデジタルスチルカメラ５１Ａ乃至５１Ｎを主体に設定するものの、少なくとも２台のデジタルスチルカメラ５１Ａ乃至５１Ｎで同時に主体設定要求が入力されたときには、複数のデジタルスチルカメラ５１Ａ乃至５１Ｎに対して予め設定した主体設定用の優先順位に従って、当該主体設定要求が同時に入力された少なくとも２台のデジタルスチルカメラ５１Ａ乃至５１Ｎのうちいずれか１台のデジタルスチルカメラ５１Ａ乃至５１Ｎを優先的に主体に設定している。
【０３１４】
これにより撮影システム５０においては、少なくとも２台のデジタルスチルカメラ５１Ａ乃至５１Ｎで同時に主体設定要求が入力された場合でも、いずれか１台のデジタルスチルカメラ５１Ａ乃至５１Ｎのみを確実に主体に設定して、主体と従属との関係が破綻することを確実に防止している。
【０３１５】
実際上、コントローラ５５は、操作部２３を介して写真撮影モードが選択された後、引き続き操作部２３からシャッタボタン１４の半押し操作に応じて主体設定要求が入力されたことにより、自己のデジタルスチルカメラ５１Ａ乃至５１Ｎを被写体２に対する写真撮影の主体に設定すると共に、これに応じて他のデジタルスチルカメラ５１Ａ乃至５１Ｎが従属に設定されると、主体写真撮影処理を開始し、被写体２を撮像しながら、シャッタボタン１４が全押しされて撮影命令が入力されることを待ち受ける。
【０３１６】
この状態でコントローラ５５は、操作部２３からシャッタボタン１４の全押し操作に応じて撮影命令が入力されると、上述した第１の実施の形態による主体デジタルスチルカメラ３と同様に撮像動画像データＤ６から主体写真撮影画像データＤ１１を抽出すると共に、当該抽出した主体写真撮影画像データＤ１１に基づいて主体写真ファイルデータＤ１２を生成して記録媒体３６に記録する。
【０３１７】
これに加えてコントローラ５５は、このとき自己無線通信範囲内に存在する従属動作可能な他のデジタルスチルカメラ５１Ａ乃至５１Ｎに対して写真撮影させるための、主体写真撮影日時情報を格納した写真撮影命令データＤ４７を生成し、これを送受信処理部２６に送出して送信処理し、得られた写真撮影命令信号Ｓ４７をアンテナ２７から自己無線通信範囲内に存在する他のデジタルスチルカメラ５１Ａ乃至５１Ｎに送信する。
【０３１８】
これによりコントローラ５５は、自己無線通信範囲内に存在する従属動作可能な他のデジタルスチルカメラ５１Ａ乃至５１Ｎにそれぞれ相手が保持している写真撮影条件に従って主体撮影命令入力時点とほぼ同時又は当該主体撮影命令入力時点から写真撮影遅延時間経過後の写真撮影時点に被写体２を写真撮影させる。
【０３１９】
このようにしてコントローラ５５は、従属に設定された他のデジタルスチルカメラ５１Ａ乃至５１Ｎに被写体２を従属的に写真撮影させた後、操作部２３を介して主体写真撮影処理の終了が命令されると、従属写真撮影終了データＤ１４を生成し、これを送受信処理部２６に送出して送信処理し、得られた従属写真撮影終了信号Ｓ１１をアンテナ２７から他のデジタルスチルカメラ５１Ａ乃至５１Ｎに送信した後、主体写真撮影処理を終了する。
【０３２０】
これに対してコントローラ５５は、操作部２３を介して写真撮影モードが選択された後、他のデジタルスチルカメラ５１Ａ乃至５１Ｎが先に主体に設定されたことにより、これに応じて自己のデジタルスチルカメラ５１Ａ乃至５１Ｎを当該主体に設定された他のデジタルスチルカメラ５１Ａ乃至５１Ｎに対する従属に設定すると、従属写真撮影処理を開始し、被写体２を撮像しながら、主体に設定された他のデジタルスチルカメラ５１Ａ乃至５１Ｎから送信される写真撮影命令信号Ｓ４７の受信を待ち受ける。
【０３２１】
この状態でコントローラ５５は、主体に設定された他のデジタルスチルカメラ５１Ａ乃至５１Ｎから送信された写真撮影命令信号Ｓ４７をアンテナ２７で受信すると、送受信処理部２６においてその写真撮影命令信号Ｓ４７を受信処理し、得られた写真撮影命令データＤ４７を取り込む。
【０３２２】
このときコントローラ５５は、写真撮影命令データＤ４７に格納されている主体写真撮影日時情報と、内部の不揮発性メモリから読み出した自己の写真撮影条件情報とに基づいて、上述した第１の実施の形態による従属デジタルスチルカメラ４Ａ乃至４Ｎと同様に撮像動画像データＤ３０から従属写真撮影画像データＤ２５を抽出し、当該抽出した従属写真撮影画像データＤ２５に基づいて従属写真ファイルデータＤ２１を生成して記録媒体３６に記録する。
【０３２３】
このようにしてコントローラ５５は、主体に設定された他のデジタルスチルカメラ５１Ａ乃至５１Ｎによる被写体２の写真撮影に連動して、主体撮影命令入力時点とほぼ同時又は当該主体撮影命令入力時点から写真撮影遅延時間経過後の写真撮影時点に被写体２を写真撮影する。
【０３２４】
この後、コントローラ５５は、主体に設定された他のデジタルスチルカメラ５１Ａ乃至５１Ｎから送信された従属写真撮影終了信号Ｓ１１をアンテナ２７で受信すると、送受信処理部２６においてその従属写真撮影終了信号Ｓ１１を受信処理し、得られた従属写真撮影終了データＤ１４を取り込むことにより、当該従属写真撮影終了データＤ１４に従って従属写真撮影処理を終了する。
【０３２５】
またコントローラ５５は、操作部２３を介して動画撮影モードが選択された後、引き続き操作部２３からシャッタボタン１４の半押し操作に応じて主体設定要求が入力されたことにより、自己のデジタルスチルカメラ５１Ａ乃至５１Ｎを被写体２に対する動画撮影の主体に設定すると共に、これに応じて他のデジタルスチルカメラ５１Ａ乃至５１Ｎが従属に設定されると、主体動画撮影処理を開始し、被写体２を撮像しながら、シャッタボタン１４が全押しされて撮影命令が入力されることを待ち受ける。
【０３２６】
この状態でコントローラ５５は、操作部２３からシャッタボタン１４の全押し操作に応じて撮影命令が入力されると、上述した第１の実施の形態による主体デジタルスチルカメラ３と同様に撮像動画像データＤ６から主体動画撮影画像データＤ１６を抽出し、当該抽出した主体動画撮影画像データＤ１６に基づいて主体動画ファイルデータＤ１７を生成して記録媒体３６に記録する。
【０３２７】
これに加えてコントローラ５５は、このとき自己無線通信範囲内に存在する従属動作可能な他のデジタルスチルカメラ５１Ａ乃至５１Ｎに対して動画撮影させるための、主体動画撮影開始日時情報を格納した動画撮影命令データＤ４８を生成し、これを送受信処理部２６に送出して送信処理し、得られた動画撮影命令信号Ｓ４８をアンテナ２７から他のデジタルスチルカメラ５１Ａ乃至５１Ｎに送信する。
【０３２８】
これによりコントローラ５５は、自己無線通信範囲内に存在する従属動作可能な他のデジタルスチルカメラ５１Ａ乃至５１Ｎにそれぞれ相手の保持している動画撮影条件に従って主体撮影命令入力時点とほぼ同時又は当該主体撮影命令入力時点から動画撮影遅延時間経過後の動画撮影開始時点に被写体２に対する動画撮影を開始させて当該被写体２を動画撮影時間に渡って動画撮影させる。
【０３２９】
このようにしてコントローラ５５は、従属に設定された他のデジタルスチルカメラ５１Ａ乃至５１Ｎに被写体２を従属的に動画撮影させた後、操作部２３を介して主体動画撮影処理の終了が命令されると、従属動画撮影終了データＤ１９を生成し、これを送受信処理部２６に送出して送信処理し、得られた従属動画撮影終了信号Ｓ１４をアンテナ２７から他のデジタルスチルカメラ５１Ａ乃至５１Ｎに送信した後、主体動画撮影処理を終了する。
【０３３０】
これに対してコントローラ５５は、操作部２３を介して動画撮影モードが選択された後、他のデジタルスチルカメラ５１Ａ乃至５１Ｎが先に主体に設定されたことにより、これに応じて自己のデジタルスチルカメラ５１Ａ乃至５１Ｎを当該主体に設定された他のデジタルスチルカメラ５１Ａ乃至５１Ｎに対する従属に設定すると、従属動画撮影処理を開始し、被写体２を撮像しながら、主体に設定された他のデジタルスチルカメラ５１Ａ乃至５１Ｎから送信される動画撮影命令信号Ｓ４８の受信を待ち受ける。
【０３３１】
この状態でコントローラ５５は、主体に設定された他のデジタルスチルカメラ５１Ａ乃至５１Ｎから送信された動画撮影命令信号Ｓ４８をアンテナ２７で受信すると、送受信処理部２６においてその動画撮影命令信号Ｓ４８を受信処理し、得られた動画撮影命令データＤ４８を取り込む。
【０３３２】
このときコントローラ５５は、動画撮影命令データＤ４８に格納されている主体動画撮影開始日時情報と、内部の不揮発性メモリから読み出した自己の動画撮影条件情報とに基づいて、上述した第１の実施の形態による従属デジタルスチルカメラ４Ａ乃至４Ｎと同様に撮像動画像データＤ３０から従属動画撮影画像データＤ２６を抽出し、当該抽出した従属動画撮影画像データＤ２６に基づいて従属動画ファイルデータＤ２３を生成して記録媒体３６に記録する。
【０３３３】
このようにしてコントローラ５５は、主体に設定された他のデジタルスチルカメラ５１Ａ乃至５１Ｎによる被写体２の動画撮影に連動して、主体撮影命令入力時点とほぼ同時又は当該主体撮影命令入力時点から動画撮影遅延時間経過後の動画撮影時点に被写体２に対する動画撮影を開始して当該被写体２を動画撮影時間に渡って動画撮影する。
【０３３４】
この後、コントローラ５５は、主体に設定された他のデジタルスチルカメラ５１Ａ乃至５１Ｎから送信された従属動画撮影終了信号Ｓ１４をアンテナ２７で受信すると、送受信処理部２６においてその従属動画撮影終了信号Ｓ１４を受信処理し、得られた従属動画撮影終了データＤ１９を取り込むことにより、その従属動画撮影終了データＤ１９に従って従属動画撮影処理を終了する。
【０３３５】
ところで撮影システム５０においては、複数のデジタルスチルカメラ５１Ａ乃至５１Ｎが写真撮影及び動画撮影のために集まった状態で主体及び従属となるデジタルスチルカメラ５１Ａ乃至５１Ｎをそれぞれ設定するものの、当該複数のデジタルスチルカメラ５１Ａ乃至５１Ｎが写真撮影及び動画撮影のために一堂に会する場合は、結婚式や撮影会等のように互いに同じ被写体２を撮影する目的で集まった可能性が高く、かつ互いが写真撮影及び動画撮影して生成した主体写真撮影画像データＤ１１、従属写真撮影画像データＤ２５、主体動画撮影画像データＤ１６、従属動画撮影画像データＤ２６の共有化を望む可能性が高いことにより、複数のデジタルスチルカメラ５１Ａ乃至５１Ｎでこれら主体写真撮影画像データＤ１１、従属写真撮影画像データＤ２５、主体動画撮影画像データＤ１６、従属動画撮影画像データＤ２６を共有化し得るようになされている。
【０３３６】
すなわち、コントローラ５５は、主体写真撮影処理の終了後、操作部２３の操作を介して再生モードが選択されることにより表示部１５にメニュー画面を表示した状態で、当該操作部２３を介してメニュー画面上で写真撮影画像の共有命令が入力されると、撮影画像共有処理（以下、これを主体写真撮影画像共有処理と呼ぶ）を開始する。
【０３３７】
この場合、コントローラ５５は、主体写真撮影処理時に被写体２を主体的に写真撮影した際の主体写真撮影日時情報を格納した写真撮影画像要求データＤ４９を生成し、これを送受信処理部２６に送出して送信処理し、得られた写真撮影画像要求信号Ｓ４９をアンテナ２７から自己無線通信範囲内に存在する他のデジタルスチルカメラ５１Ａ乃至５１Ｎに送信する。
【０３３８】
この結果、コントローラ５５は、他のデジタルスチルカメラ５１Ａ乃至５１Ｎから主体写真撮影日時情報に従って特定した従属写真ファイルデータＤ２１に相当する写真ファイル信号Ｓ１６が送信されると、これをアンテナ２７で受信して送受信処理部２６において受信処理し、得られた従属写真ファイルデータＤ２１を記録媒体３６に記録する。
【０３３９】
またコントローラ５５は、このようにして従属写真ファイルデータＤ２１を記録媒体３６に記録すると、記録再生制御部３５を介して記録媒体３６から当該従属写真ファイルデータＤ２１と共に主体写真ファイルデータＤ１２を再生し、これをＤＲＡＭ２２に転送する。
【０３４０】
そしてコントローラ５５は、これら主体写真ファイルデータＤ１２及び従属写真ファイルデータＤ２１のうち送信相手となる他のデジタルスチルカメラ５１Ａ乃至５１Ｎの生成した従属写真ファイルデータＤ２１のみを除いた残りの従属写真ファイルデータＤ２１を主体写真ファイルデータＤ１２と共に選択的にまとめて共有用写真ファイルデータ群Ｄ５０を生成し、これをＤＲＡＭ２２から送受信処理部２６に送出する。
【０３４１】
これによりコントローラ５５は、送受信処理部２６においてその共有用写真ファイルデータ群Ｄ５０を送信処理し、得られた共有用写真ファイル信号群Ｓ５０をアンテナ２７から他の複数のデジタルスチルカメラ５１Ａ乃至５１Ｎに送信して主体写真撮影画像共有処理を終了する。
【０３４２】
これに対してコントローラ５５は、従属写真撮影処理の終了後に、主体に設定されていた他のデジタルスチルカメラ５１Ａ乃至５１Ｎから送信された写真撮影画像要求信号Ｓ４９をアンテナ２７で受信すると、送受信処理部２６においてその写真撮影画像要求信号Ｓ４９を受信処理し、得られた写真撮影画像要求データＤ４９を取り込むことにより、これに応じて撮影画像共有処理（以下、これを従属写真撮影画像共有処理と呼ぶ）を開始する。
【０３４３】
この際、コントローラ５５は、写真撮影画像要求データＤ４９に格納されている主体写真撮影日時情報を抽出し、当該抽出した主体写真撮影日時情報と自己のデジタルスチルカメラ５１Ａ乃至５１Ｎに対する写真撮影条件情報とに従って記録再生制御部３５により記録媒体３６内の従属写真ファイルデータＤ２１に格納している従属写真撮影日時情報を検索することにより、主体に設定されていた他のデジタルスチルカメラ５１Ａ乃至５１Ｎの写真撮影に連動して被写体２を従属的に写真撮影して生成した従属写真ファイルデータＤ２１を特定する。
【０３４４】
そしてコントローラ５５は、記録再生制御部３５により記録媒体３６からその特定した従属写真ファイルデータＤ２１を読み出し、これを送受信処理部２６に送出して送信処理し、得られた従属写真ファイル信号Ｓ１６をアンテナ２７から、主体に設定されていた他のデジタルスチルカメラ５１Ａ乃至５１Ｎに送信する。
【０３４５】
またコントローラ５５は、主体に設定されていた他のデジタルスチルカメラ５１Ａ乃至５１Ｎに従属写真ファイル信号Ｓ１６を送信した後、当該主体に設定されていた他のデジタルスチルカメラ５１Ａ乃至５１Ｎから引き続き送信された共有用写真ファイル信号群Ｓ５０をアンテナ２７で受信すると、送受信処理部２６においてその共有用写真ファイル信号群Ｓ５０を受信処理し、得られた共有用写真ファイルデータ群Ｄ５０を記録再生制御部３５により記録媒体３６に記録して従属写真撮影画像共有処理を終了する。
【０３４６】
このようにして例えば図１５に示すように、主体に設定したデジタルスチルカメラ５１Ａは、従属に設定していた複数のデジタルスチルカメラ５１Ｂ乃至５１Ｄからそれぞれ複数の従属写真ファイルデータＤ２１からなる従属写真ファイルデータ群Ｄ２１Ａ乃至Ｄ２１Ｃを取り込み、当該取り込んだ従属写真ファイルデータ群Ｄ２１Ａ乃至Ｄ２１Ｃを複数の主体写真ファイルデータＤ１２からなる主体写真ファイルデータ群Ｄ１２Ａと共に記録媒体３６に記録することにより被写体２を主体的及び従属的に写真撮影して生成した主体写真ファイルデータ群Ｄ１２Ａ及び従属写真ファイルデータ群Ｄ２１Ａ乃至Ｄ２１Ｃを自己のデジタルスチルカメラ５１Ａ用にまとめて保存する。
【０３４７】
また主体に設定していたデジタルスチルカメラ５１Ａは、記録媒体３６に記録した主体写真ファイルデータ群Ｄ１２Ａ及び従属写真ファイルデータ群Ｄ２１Ａ乃至Ｄ２１Ｃのうち従属に設定されていた複数のデジタルスチルカメラ５１Ｂ乃至５１Ｄにそれぞれ相手の生成した従属写真ファイルデータＤ２１Ａ乃至Ｄ２１Ｃを除いて提供する主体写真ファイルデータ群Ｄ１２Ａ及び従属写真ファイルデータ群Ｄ２１Ａ乃至Ｄ２１Ｃを選択して共有用写真ファイルデータ群Ｄ５０Ａ乃至Ｄ５０Ｃを生成し、これらを当該従属に設定されていた複数のデジタルスチルカメラ５１Ｂ乃至５１Ｄにそれぞれ送信して記録させる。
【０３４８】
これにより撮影システム５０では、被写体２に対する写真撮影の際に主体及び従属の関係を構築した全てのデジタルスチルカメラ５１Ａ乃至５１Ｎにおいて主体写真ファイルデータ群Ｄ１２Ａ及び従属写真ファイルデータ群Ｄ２１Ａ乃至Ｄ２１Ｃを共有化することができる。
【０３４９】
またコントローラ５５は、主体動画撮影処理の終了後、操作部２３を介して再生モードが選択されることにより表示部１５にメニュー画面を表示した状態で、当該操作部２３を介してメニュー画面上で動画撮影画像の共有命令が入力されると、撮影画像共有処理（以下、これを主体動画撮影画像共有処理と呼ぶ）を開始する。
【０３５０】
この場合、コントローラ５５は、主体動画撮影処理時に被写体２を主体的に動画撮影した際の主体動画撮影開始日時情報を格納した動画撮影画像要求データＤ５２を生成し、これを送受信処理部２６に送出して送信処理し、得られた動画撮影画像要求信号Ｓ５２をアンテナ２７から自己無線通信範囲内の他のデジタルスチルカメラ５１Ａ乃至５１Ｎに送信する。
【０３５１】
この結果、コントローラ５５は、他のデジタルスチルカメラ５１Ａ乃至５１Ｎから主体動画撮影開始日時情報に従って特定した従属動画ファイルデータＤ２３に相当する従属動画ファイル信号Ｓ１８が送信されると、これをアンテナ２７で受信して送受信処理部２６において受信処理し、得られた従属動画ファイルデータＤ２３を記録媒体３６に記録する。
【０３５２】
またコントローラ５５は、このようにして従属動画ファイルデータＤ２３を記録媒体３６に記録すると、記録再生制御部３５を介して記録媒体３６から当該従属動画ファイルデータＤ２３と共に主体動画ファイルデータＤ１７を再生し、これをＤＲＡＭ２２に転送する。
【０３５３】
そしてコントローラ５５は、これら主体動画ファイルデータＤ１７及び従属動画ファイルデータＤ２３のうち送信相手となる他の複数のデジタルスチルカメラ５１Ａ乃至５１Ｎの生成した従属動画ファイルデータＤ２３のみを除いて残りの従属動画ファイルデータＤ２３を主体動画ファイルデータＤ１７と共に選択的にまとめて共有用動画ファイルデータ群Ｄ５３を生成し、これをＤＲＡＭ２２から送受信処理部２６に送出する。
【０３５４】
これによりコントローラ５５は、送受信処理部２６においてその共有用動画ファイルデータ群Ｄ５３を送信処理し、得られた共有用動画ファイル信号群Ｓ５３をアンテナ２７から他の複数のデジタルスチルカメラ５１Ａ乃至５１Ｎに送信して主体動画撮影画像共有処理を終了する。
【０３５５】
これに対してコントローラ５５は、従属動画撮影処理の終了後に、主体に設定されていた他のデジタルスチルカメラ５１Ａ乃至５１Ｎから送信された動画撮影画像要求信号Ｓ５２をアンテナ２７で受信すると、送受信処理部２６においてその動画撮影画像要求信号Ｓ５２を受信処理し、得られた動画撮影画像要求データＤ５２を取り込むことにより、これに応じて撮影画像共有処理（以下、これを従属動画撮影画像共有処理と呼ぶ）を開始する。
【０３５６】
この際、コントローラ５５は、動画撮影画像要求データＤ５２に格納されている主体動画撮影開始日時情報を抽出し、当該抽出した主体動画撮影開始日時情報と自己のデジタルスチルカメラ５１Ａ乃至５１Ｎに対する動画撮影条件情報とに従って記録再生制御部３５により記録媒体３６内の従属動画ファイルデータＤ２３に格納している従属動画撮影開始日時情報を検索することにより、主体に設定されていた他のデジタルスチルカメラ５１Ａ乃至５１Ｎの動画撮影に連動して被写体２を従属的に動画撮影して生成した従属動画ファイルデータＤ２３を特定する。
【０３５７】
そしてコントローラ５５は、記録再生制御部３５により記録媒体３６からその特定した従属動画ファイルデータＤ２３を読み出し、これを送受信処理部２６に送出して送信処理し、得られた従属動画ファイル信号Ｓ１８をアンテナ２７から、主体に設定されていた他のデジタルスチルカメラ５１Ａ乃至５１Ｎに送信する。
【０３５８】
またコントローラ５５は、主体に設定されていた他のデジタルスチルカメラ５１Ａ乃至５１Ｎに従属動画ファイル信号Ｓ１８を送信した後、当該主体に設定されていた他のデジタルスチルカメラ５１Ａ乃至５１Ｎから引き続き送信された共有用動画ファイル信号群Ｓ５３をアンテナ２７で受信すると、送受信処理部２６においてその共有用動画ファイル信号群Ｓ５３を受信処理し、得られた共有用動画ファイルデータ群Ｄ５３を記録再生制御部３５を介して記録媒体３６に記録して、従属動画撮影画像共有処理を終了する。
【０３５９】
このようにしてコントローラ５５は、図１５について上述した写真撮影画像共有処理の場合と同様に動画撮影の際に主体及び従属の関係を構築した全てのデジタルスチルカメラ５１Ａ乃至５１Ｎでも主体動画ファイルデータＤ１７及び従属動画ファイルデータＤ２３を共有化することができる。
【０３６０】
因みにコントローラ５５は、操作部２３の操作に応じて再生モードが選択されることにより表示部１５にメニュー画面を表示した状態で引き続き操作部２３を介してそのメニュー画面上で写真撮影画像及び動画撮影画像に対する再生命令が入力されると、上述した第１の実施の形態による主体デジタルスチルカメラ３の場合と同様に撮影画像再生処理としての写真撮影画像再生処理及び動画撮影画像再生処理を実行して写真撮像画像及び動画撮影画像をユーザに自由に目視させる。
【０３６１】
なおこの第２の実施の形態の場合、コントローラ５５は、自己無線通信範囲内に他のデジタルスチルカメラ５１Ａ乃至５１Ｎが１台も存在しない状態では当該他のデジタルスチルカメラ５１Ａ乃至５１Ｎからは独立して被写体２を写真撮影及び動画撮影し得るようになされている。
【０３６２】
これによりコントローラ５５は、自己のデジタルスチルカメラ５１Ａ乃至５１Ｎを他のデジタルスチルカメラ５１Ａ乃至５１Ｎと連動させてのみ使用させるわけではなく、当該自己のデジタルスチルカメラ５１Ａ乃至５１Ｎを単独でも使用させて使い勝手を向上させ得るようになされている。
【０３６３】
ここで実際上、複数のデジタルスチルカメラ５１Ａ乃至５１Ｎのコントローラ５５は、それぞれ操作部２３を介して写真撮影モード及び動画撮影モードが選択されると、主体従属設定処理プログラムに従って主体従属設定処理を実行することにより図１６に示す主体従属設定処理手順ＲＴ９に開始ステップから入って続くステップＳＰ８１に移る。
【０３６４】
ステップＳＰ８１においてコントローラ５５は、主体設定要求が入力されたか否かを判断する。
【０３６５】
このステップＳＰ８１において否定結果が得られると、このことは自己のデジタルスチルカメラ５１Ａ乃至５１Ｎにおいてユーザにより被写体２をいつどのように写真撮影及び動画撮影するか考えられている途中であるために、シャッタボタン１４が未だ半押しされてはいないことを表しており、このときコントローラ５５はステップＳＰ８２に移る。
【０３６６】
ステップＳＰ８２においてコントローラ５５は、他のデジタルスチルカメラ５１Ａ乃至５１Ｎから送信される主体設定宣言信号Ｓ４５を受信したか否かを判断する。
【０３６７】
このステップＳＰ８２において否定結果が得られると、このことは他のデジタルスチルカメラ５１Ａ乃至５１Ｎにおいてもユーザにより被写体２をいつどのように写真撮影及び動画撮影するか考えられている途中であるために、シャッタボタン１４が未だ半押しされてはいないことを表しており、このときコントローラ５５はステップＳＰ８１に戻る。
【０３６８】
このようにしてコントローラ５５は、この後ステップＳＰ８１及びステップＳＰ８２のいずれかで肯定結果が得られるまでの間は、当該ステップＳＰ８１−ＳＰ８２の処理を循環的に繰り返すことにより自己のデジタルスチルカメラ５１Ａ乃至５１Ｎで主体設定要求が入力されること及び他のデジタルスチルカメラ５１Ａ乃至５１Ｎから送信される主体設定宣言信号Ｓ４５の受信を待ち受ける。
【０３６９】
そしてステップＳＰ８１において肯定結果が得られると、このことは自己のデジタルスチルカメラ５１Ａ乃至５１Ｎにおいて被写体２を写真撮影及び動画撮影するためにシャッタボタン１４が半押しされたことを表しており、このときコントローラ５５はステップＳＰ８３に移る。
【０３７０】
ステップＳＰ８３においてコントローラ５５は、自己のデジタルスチルカメラ５１Ａ乃至５１Ｎを被写体２に対する写真撮影及び動画撮影の主体に設定して、続くステップＳＰ８４に移る。
【０３７１】
ステップＳＰ８４においてコントローラ５５は、主体設定宣言信号Ｓ４５を自己無線通信範囲内に存在する他のデジタルスチルカメラ５１Ａ乃至５１Ｎに送信して、ステップＳＰ８５に移る。
【０３７２】
ステップＳＰ８５においてコントローラ５５は、他のデジタルスチルカメラ５１Ａ乃至５１Ｎから送信される主体設定宣言信号Ｓ４５を受信したか否かを判断する。
【０３７３】
このステップＳＰ８５において否定結果が得られると、このことは他のデジタルスチルカメラ５１Ａ乃至５１Ｎよりも早い時点に自己のデジタルスチルカメラ５１Ａ乃至５１Ｎを被写体２に対する写真撮影及び動画撮影の主体に設定したことにより、当該自己のデジタルスチルカメラ５１Ａ乃至５１Ｎを主体に設定したままにし得ることを表しており、このときコントローラ５５は続くステップＳＰ８６に移る。
【０３７４】
ステップＳＰ８６においてコントローラ５５は、他のデジタルスチルカメラ５１Ａ乃至５１Ｎから送信された従属動作通知可能信号Ｓ４６を受信して、続くステップＳＰ８７に移る。
【０３７５】
ステップＳＰ８７においてコントローラ５５は、表示部１５に従属カメラ通知用合成画面３２を表示して、ユーザに自己のデジタルスチルカメラ５１Ａ乃至５１Ｎを被写体２に対する写真撮影及び動画撮影の主体に設定したことを通知すると共に、これに応じて従属に設定した他のデジタルスチルカメラ５１Ａ乃至５１Ｎを通知した後、ステップＳＰ８８に移ってこの主体従属設定処理手順ＲＴ９を終了する。
【０３７６】
ところで上述したステップＳＰ８２において肯定結果が得られると、このことは自己のデジタルスチルカメラ５１Ａ乃至５１Ｎを被写体２に対する写真撮影及び動画撮影の主体に設定する前に、他のデジタルスチルカメラ５１Ａ乃至５１Ｎが被写体２に対する写真撮影及び動画撮影の主体に設定されたことを表しており、このときコントローラ５５はステップＳＰ８９に移る。
【０３７７】
ステップＳＰ８９においてコントローラ５５は、自己のデジタルスチルカメラ５１Ａ乃至５１Ｎを、主体に設定された他のデジタルスチルカメラ５１Ａ乃至５１Ｎに対する従属に設定して、続くステップＳＰ９０に移る。
【０３７８】
ステップＳＰ９０においてコントローラ５５は、従属動作可能通知信号Ｓ４６を主体に設定された他のデジタルスチルカメラ５１Ａ乃至５１Ｎに送信して、続くステップＳＰ９１に移る。
【０３７９】
ステップＳＰ９１においてコントローラ５５は、表示部１５に従属撮影通知用合成画面４１を表示してユーザに自己のデジタルスチルカメラ５１Ａ乃至５１Ｎを従属に設定したことを通知して、ステップＳＰ８８に移る。
【０３８０】
また上述したステップＳＰ８５において肯定結果が得られると、このことは自己のデジタルスチルカメラ５１Ａ乃至５１Ｎと、他のデジタルスチルカメラ５１Ａ乃至５１Ｎとでシャッタボタン１４が同時に半押しされたことにより、これらを同時に主体に設定したことを表しており、このときコントローラ５５はステップＳＰ９２に移る。
【０３８１】
ステップＳＰ９２においてコントローラ５５は、内部の不揮発性メモリに予め記憶している主体設定用の優先順位の情報に従って、同時に主体に設定した自己のデジタルスチルカメラ５１Ａ乃至５１Ｎ及び他のデジタルスチルカメラ５１Ａ乃至５１Ｎのうち当該自己のデジタルスチルカメラ５１Ａ乃至５１Ｎを優先的に主体に設定したままにするか否かを判断する。
【０３８２】
このステップＳＰ９２において肯定結果が得られると、このことは主体設定用の優先順位に従って、他のデジタルスチルカメラ５１Ａ乃至５１Ｎよりも自己のデジタルスチルカメラ５１Ａ乃至５１Ｎを優先的に主体に設定したままにし得ることを表しており、このときコントローラ５５はステップＳＰ９３に移る。
【０３８３】
ステップＳＰ９３においてコントローラ５５は、自己のデジタルスチルカメラ５１Ａ乃至５１Ｎを優先的に主体に設定したままにして、当該自己のデジタルスチルカメラ５１Ａ乃至５１Ｎと同時に主体に設定されていた他のデジタルスチルカメラ５１Ａ乃至５１Ｎに対して主体の設定を取り消すように通知するための主体設定取消通知信号を送信して、ステップＳＰ８６に移る。
【０３８４】
さらにステップＳＰ９２において否定結果が得られると、このことは主体設定用の優先順位に従って、自己のデジタルスチルカメラ５１Ａ乃至５１Ｎよりも他のデジタルスチルカメラ５１Ａ乃至５１Ｎを主体に設定したままにすることを表しており、このときコントローラ５５はステップＳＰ９４に移る。
【０３８５】
そしてステップＳＰ９４においてコントローラ５５は、他のデジタルスチルカメラ５１Ａ乃至５１Ｎから送信された主体設定取消通知信号を受信して、ステップＳＰ９５に移る。
【０３８６】
ステップＳＰ９５においてコントローラ５５は、自己のデジタルスチルカメラ５１Ａ乃至５１Ｎに対する主体の設定を取り消して、ステップＳＰ８９に移る。
【０３８７】
また撮影システム５０における複数のデジタルスチルカメラ５１Ａ乃至５１Ｎによる写真撮影処理手順についてまとめると、図７（Ａ）との対応部分に同一符号を付した図１７（Ａ）に示すように、まず複数のデジタルスチルカメラ５１Ａ乃至５１Ｎのうち写真撮影モードが選択された状態で主体に設定した１台のデジタルスチルカメラ５１Ａ乃至５１Ｎのコントローラ（以下、これを特に主体コントローラと呼ぶ）５５は主体撮影処理プログラムに従って主体写真撮影処理を実行することにより主体写真撮影処理手順ＲＴ１０に開始ステップから入って続くステップＳＰ１０１に移る。
【０３８８】
ステップＳＰ１０１において主体コントローラ５５は、被写体２を撮像しながら、撮影命令が入力されたか否かを判断する。
【０３８９】
このステップＳＰ１０１において否定結果が得られると、このことは例えばユーザにより被写体２に対する写真撮影のシャッタチャンスがまだ到来してはいないと判断され、未だシャッタボタン１４が全押しされてはいないことを表しており、このとき主体コントローラ５５はステップＳＰ５に移る。
【０３９０】
そしてステップＳＰ１０１において肯定結果が得られると、このことは例えばユーザにより被写体２に対する写真撮影のシャッタチャンスが到来したと判断されてシャッタボタン１４が全押しされたことを表しており、このとき主体コントローラ５５はステップＳＰ１０２に移る。
【０３９１】
ステップＳＰ１０２において主体コントローラ５５は、被写体２を撮像しながら生成していた撮像動画像データＤ６から主体写真撮影画像データＤ１１を抽出し、かつ主体撮影命令入力時点の主体写真撮影日時情報を格納した写真撮影命令データＤ４７を写真撮影命令信号Ｓ４７として他のデジタルスチルカメラ５１Ａ乃至５１Ｎに送信した後、続くステップＳＰ７の処理を実行してステップＳＰ１０１に戻る。
【０３９２】
このようにして主体コントローラ５５は、この後、ステップＳＰ５において肯定結果が得られるまでの間はステップＳＰ１０１−ＳＰ５−ＳＰ１０２−ＳＰ７の処理を循環的に繰り返すことにより撮影命令が入力される毎に被写体２を写真撮影する。
【０３９３】
一方、図７（Ｂ）との対応部分に同一符号を付した図１７（Ｂ）に示すように、１台のデジタルスチルカメラ５１Ａ乃至５１Ｎが主体に設定されたことに応じて従属に設定した他の複数のデジタルスチルカメラ５１Ａ乃至５１Ｎのコントローラ（以下、これを特に従属コントローラと呼ぶ）５５は、従属撮影処理プログラムに従って従属写真撮影処理を実行することにより従属写真撮影処理手順ＲＴ１１に開始ステップから入って続くステップＳＰ１１１に移る。
【０３９４】
ステップＳＰ１１１において従属コントローラ５５は、主体に設定されたデジタルスチルカメラ５１Ａ乃至５１Ｎから送信される写真撮影命令信号Ｓ４７を受信したか否かを判断する。
【０３９５】
このステップＳＰ１１１において否定結果が得られると、このことは主体に設定されたデジタルスチルカメラ５１Ａ乃至５１Ｎにおいて例えばユーザにより被写体２に対する写真撮影のシャッタチャンスがまだ到来してはいないと判断されていることを表しており、このとき従属コントローラ５５はステップＳＰ１３に移る。
【０３９６】
そしてステップＳＰ１１１において肯定結果が得られると、このことは主体に設定されたデジタルスチルカメラ５１Ａ乃至５１Ｎにおいて例えばユーザにより被写体２に対する写真撮影のシャッタチャンスが到来したと判断されてシャッタボタン１４が全押しされたことにより当該主体に設定されたデジタルスチルカメラ５１Ａ乃至５１Ｎから写真撮影が命令されたことを表しており、このとき従属コントローラ５５はステップＳＰ１１２に移る。
【０３９７】
ステップＳＰ１１２において従属コントローラ５５は、写真撮影命令信号Ｓ４７に基づいて得られた主体写真撮影日時情報と、内部の不揮発性メモリに記憶している自己のデジタルスチルカメラ５１Ａ乃至５１Ｎに対する写真撮影条件情報とに従って、被写体２を撮像しながら生成していた撮像動画像データＤ３０から従属写真撮影画像データＤ２５を抽出した後、ステップＳＰ１５の処理を実行してステップＳＰ１１１に戻る。
【０３９８】
このようにして従属コントローラ５５は、ステップＳＰ１３において肯定結果が得られるまでの間は、ステップＳＰ１１１−ＳＰ１３−ＳＰ１１２−ＳＰ１５の処理を循環的に繰り返すことにより、主体に設定されたデジタルスチルカメラ５１Ａ乃至５１Ｎで被写体２が写真撮影される毎に、これに連動して当該被写体２を写真撮影する。
【０３９９】
そして主体コントローラ５５は、上述したステップＳＰ５において肯定結果を得ると、続くステップＳＰ８の処理を実行した後、ステップＳＰ１０３に移って主体写真撮影処理手順ＲＴ１０を終了する。
【０４００】
また従属コントローラ５５は、上述したステップＳＰ１３において肯定結果を得ると、ステップＳＰ１１３に移って従属写真撮影処理手順ＲＴ１１を終了する。かくして撮影システム５０における写真撮影処理手順を全て終了する。
【０４０１】
さらに撮影システム１における複数のデジタルスチルカメラ５１Ａ乃至５１Ｎによる動画撮影処理手順についてまとめると、図９（Ａ）との対応部分に同一符号を付した図１８（Ａ）に示すように、まず複数のデジタルスチルカメラ５１Ａ乃至５１Ｎのうち動画撮影モードが選択された状態で主体に設定した１台のデジタルスチルカメラ５１Ａ乃至５１Ｎの主体コントローラ５５は主体撮影処理プログラムに従って主体動画撮影処理を実行することにより主体動画撮影処理手順ＲＴ１２に開始ステップから入って続くステップＳＰ１２１に移る。
【０４０２】
ステップＳＰ１２１において主体コントローラ５５は、被写体２を撮像しながら、撮影命令が入力されたか否かを判断する。
【０４０３】
このステップＳＰ１２１において否定結果が得られると、このことは例えばユーザにより被写体２に対する動画撮影のシャッタチャンスがまだ到来してはいないと判断され、未だシャッタボタン１４が全押しされてはいないことを表しており、このとき主体コントローラ５５はステップＳＰ２５に移る。
【０４０４】
そしてステップＳＰ１２１において肯定結果が得られると、このことは例えばユーザにより被写体２に対する動画撮影のシャッタチャンスが到来したと判断されてシャッタボタン１４が全押しされたことを表しており、このとき主体コントローラ５５はステップＳＰ１２２に移る。
【０４０５】
ステップＳＰ１２２において主体コントローラ５５は、被写体２を撮像しながら生成していた撮像動画像データＤ６から主体動画撮影画像データＤ１６を抽出し、かつ主体撮影命令入力時点の主体動画撮影開始日時情報を格納した動画撮影命令データＤ４８を動画撮影命令信号Ｓ４８として他のデジタルスチルカメラ５１Ａ乃至５１Ｎに送信した後、続くステップＳＰ２７の処理を実行してステップＳＰ１２１に戻る。
【０４０６】
このようにして主体コントローラ５５は、この後、ステップＳＰ２５において肯定結果が得られるまでの間はステップＳＰ１２１−ＳＰ２５−ＳＰ１２２−ＳＰ２７の処理を循環的に繰り返すことにより撮影命令が入力される毎に被写体２を動画撮影する。
【０４０７】
一方、図９（Ｂ）との対応部分に同一符号を付した図１８（Ｂ）に示すように、１台のデジタルスチルカメラ５１Ａ乃至５１Ｎが主体に設定されたことに応じて従属に設定した他の複数のデジタルスチルカメラ５１Ａ乃至５１Ｎの従属コントローラ５５は、従属撮影処理プログラムに従って従属動画撮影処理を実行することにより従属動画撮影処理手順ＲＴ１３に開始ステップから入って続くステップＳＰ１３１に移る。
【０４０８】
ステップＳＰ１３１において従属コントローラ５５は、主体に設定されたデジタルスチルカメラ５１Ａ乃至５１Ｎから送信される動画撮影命令信号Ｓ４８を受信したか否かを判断する。
【０４０９】
このステップＳＰ１３１において否定結果が得られると、このことは主体に設定されたデジタルスチルカメラ５１Ａ乃至５１Ｎにおいて例えばユーザにより被写体２に対する動画撮影のシャッタチャンスがまだ到来してはいないと判断されていることを表しており、このとき従属コントローラ５５はステップＳＰ３３に移る。
【０４１０】
そしてステップＳＰ１３１において肯定結果が得られると、このことは主体に設定されたデジタルスチルカメラ５１Ａ乃至５１Ｎにおいて例えばユーザにより被写体２に対する動画撮影のシャッタチャンスが到来したと判断されてシャッタボタン１４が全押しされたことにより当該主体に設定されたデジタルスチルカメラ５１Ａ乃至５１Ｎから動画撮影が命令されたことを表しており、このとき従属コントローラ５５はステップＳＰ１３２に移る。
【０４１１】
ステップＳＰ１３２において従属コントローラ５５は、動画撮影命令信号Ｓ４８に基づいて得られた主体動画撮影開始日時情報と、内部の不揮発性メモリに記憶している自己のデジタルスチルカメラ５１Ａ乃至５１Ｎに対する動画撮影条件情報とに従って、被写体２を撮像しながら生成していた撮像動画像データＤ３０から従属動画撮影画像データＤ２６を抽出した後、ステップＳＰ３５の処理を実行してステップＳＰ１３１に戻る。
【０４１２】
このようにして従属コントローラ５５は、ステップＳＰ３３において肯定結果が得られるまでの間は、ステップＳＰ１３１−ＳＰ３３−ＳＰ１３２−ＳＰ３５の処理を循環的に繰り返すことにより、主体に設定されたデジタルスチルカメラ５１Ａ乃至５１Ｎで被写体２が動画撮影される毎に、これに連動して当該被写体２を動画撮影する。
【０４１３】
そして主体コントローラ５５は、ステップＳＰ２５において肯定結果を得ると、続くステップＳＰ２８の処理を実行した後、ステップＳＰ１２３に移って主体動画撮影処理手順ＲＴ１２を終了する。
【０４１４】
また従属コントローラ５５は、ステップＳＰ３３において肯定結果を得ると、続くステップＳＰ１３３に移って従属動画撮影処理手順ＲＴ１３を終了する。かくして撮影システム５０における動画撮影処理手順を全て終了する。
【０４１５】
さらに撮影システム５０における複数のデジタルスチルカメラ５１Ａ乃至５１Ｎによる写真撮影画像共有処理手順についてまとめると、図１１（Ａ）との対応部分に同一符号を付した図１９（Ａ）に示すように、まず複数のデジタルスチルカメラ５１Ａ乃至５１Ｎのうち写真撮影処理の際に主体に設定していた１台のデジタルスチルカメラ５１Ａ乃至５１Ｎの主体コントローラ５５は、操作部２３を介してメニュー画面上で写真撮影画像の共有命令が入力されると、撮影画像共有処理プログラムに従って主体写真撮影画像共有処理を実行することにより主体写真撮影画像共有処理手順ＲＴ１４に開始ステップから入って続くステップＳＰ４１の処理を実行した後、ステップＳＰ４２に移る。
【０４１６】
このとき図１１（Ｂ）との対応部分に同一符号を付した図１９（Ｂ）に示すように、写真撮影処理の際に１台のデジタルスチルカメラ５１Ａ乃至５１Ｎが主体に設定されたことによりこれに応じて従属に設定していた他の複数のデジタルスチルカメラ５１Ａ乃至５１Ｎの従属コントローラ５５は、当該主体に設定されていたデジタルスチルカメラ５１Ａ乃至５１Ｎから送信された写真撮影画像要求信号Ｓ４９の受信に応じて撮影画像共有処理プログラムに従い従属写真撮影画像共有処理を実行することにより従属写真撮影画像共有処理手順ＲＴ１５に開始ステップから入り、続くステップＳＰ５１の処理を実行した後、ステップＳＰ１５１に移る。
【０４１７】
このとき主体コントローラ５５は、従属に設定されていたデジタルスチルカメラ５１Ａ乃至５１Ｎから従属写真ファイル信号Ｓ１６が送信されることに応じて、ステップＳＰ４２及びステップＳＰ４３の処理を順次実行した後、続くステップＳＰ１４１に移る。
【０４１８】
ステップＳＰ１４１において主体コントローラ５５は、記録媒体３６から主体写真ファイルデータＤ１２と共に従属写真ファイルデータＤ２１を再生して選択的にまとめた共有用写真ファイルデータ群Ｄ５０を生成し、これを共有用写真ファイル信号群Ｓ５０として従属に設定されていた他の複数のデジタルスチルカメラ５１Ａ乃至５１Ｎに送信した後、続くステップＳＰ１４２に移って主体写真撮影画像共有処理手順ＲＴ１４を終了する。
【０４１９】
このときステップＳＰ１５１において従属コントローラ５５は、主体に設定されていたデジタルスチルカメラ５１Ａ乃至５１Ｎから送信される共有用写真ファイル信号群Ｓ５０を受信したか否かを判断する。
【０４２０】
このステップＳＰ１５１において否定結果が得られると、このことは主体に設定されていたデジタルスチルカメラ５１Ａ乃至５１Ｎにおいて主体写真ファイルデータＤ１２及び従属写真ファイルデータＤ２１を未だ選択的にまとめている途中であることを表しており、このとき従属コントローラ５５は主体に設定されていたデジタルスチルカメラ５１Ａ乃至５１Ｎから送信される共有用写真ファイル信号群Ｓ５０の受信を待ち受ける。
【０４２１】
そしてステップＳＰ１５１において肯定結果が得られると、このことは主体に設定されていたデジタルスチルカメラ５１Ａ乃至５１Ｎにおいて主体写真ファイルデータＤ１２及び従属写真ファイルデータＤ２１が選択的にまとめられたことを表しており、このとき従属コントローラ５５はステップＳＰ１５２に移る。
【０４２２】
ステップＳＰ１５２において従属コントローラ５５は、共有用写真ファイル信号群Ｓ５０に基づいて得られた主体写真ファイルデータＤ１２と、自己のデジタルスチルカメラ５１Ａ乃至５１Ｎ以外の従属に設定されていたデジタルスチルカメラ５１Ａ乃至５１Ｎで生成されていた従属写真ファイルデータＤ２１とを記録媒体３６に記録した後、続くステップＳＰ１５３に移って従属写真撮影画像共有処理手順ＲＴ１５を終了する。かくして撮影システム５０における写真撮影画像共有処理手順を全て終了する。
【０４２３】
さらに撮影システム５０における複数のデジタルスチルカメラ５１Ａ乃至５１Ｎによる動画撮影画像共有処理手順についてまとめると、図１２（Ａ）との対応部分に同一符号を付した図２０（Ａ）に示すように、まず複数のデジタルスチルカメラ５１Ａ乃至５１Ｎのうち動画撮影処理の際に主体に設定されていた１台のデジタルスチルカメラ５１Ａ乃至５１Ｎの主体コントローラ５５は、操作部２３を介してメニュー画面上で動画撮影画像の共有命令が入力されると、撮影画像共有処理プログラムに従って主体動画撮影画像共有処理を実行することにより主体動画撮影画像共有処理手順ＲＴ１６に開始ステップから入って続くステップＳＰ６１の処理を実行した後、ステップＳＰ６２に移る。
【０４２４】
このとき図１２（Ｂ）との対応部分に同一符号を付した図２０（Ｂ）に示すように、動画撮影処理の際に１台のデジタルスチルカメラ５１Ａ乃至５１Ｎが主体に設定されたことによりこれに応じて従属に設定していた他の複数のデジタルスチルカメラ５１Ａ乃至５１Ｎの従属コントローラ５５は、当該主体に設定されていたデジタルスチルカメラ５１Ａ乃至５１Ｎから送信された動画撮影画像要求信号Ｓ５２の受信に応じて撮影画像共有処理プログラムに従い従属動画撮影画像共有処理を実行することにより従属動画撮影画像共有処理手順ＲＴ１７に開始ステップから入り、続くステップＳＰ７１の処理を実行した後、ステップＳＰ１７１に移る。
【０４２５】
このとき主体コントローラ５５は、従属に設定されていたデジタルスチルカメラ５１Ａ乃至５１Ｎから従属動画ファイル信号Ｓ１６が送信されることに応じて、ステップＳＰ６２及びステップＳＰ６３の処理を順次実行した後、続くステップＳＰ１６１に移る。
【０４２６】
ステップＳＰ１６１において主体コントローラ５５は、記録媒体３６から主体動画ファイルデータＤ１７及び従属動画ファイルデータＤ２３を再生して選択的にまとめた共有用動画ファイルデータ群Ｄ５３を生成し、これを共有用動画ファイル信号群Ｓ５３として従属に設定されていた他の複数のデジタルスチルカメラ５１Ａ乃至５１Ｎに送信した後、続くステップＳＰ１６２に移って主体動画撮影画像共有処理手順ＲＴ１６を終了する。
【０４２７】
このときステップＳＰ１７１において従属コントローラ５５は、主体に設定されていたデジタルスチルカメラ５１Ａ乃至５１Ｎから送信される共有用動画ファイル信号群Ｓ５３を受信したか否かを判断する。
【０４２８】
このステップＳＰ１７１において否定結果が得られると、このことは主体に設定されていたデジタルスチルカメラ５１Ａ乃至５１Ｎにおいて主体動画ファイルデータＤ１７及び従属動画ファイルデータＤ２３を未だ選択的にまとめている途中であることを表しており、このとき従属コントローラ５５は主体に設定されていたデジタルスチルカメラ５１Ａ乃至５１Ｎから送信される共有用動画ファイル信号群Ｓ５３の受信を待ち受ける。
【０４２９】
そしてステップＳＰ１７１において肯定結果が得られると、このことは主体に設定されていたデジタルスチルカメラ５１Ａ乃至５１Ｎにおいて主体動画ファイルデータＤ１７及び従属動画ファイルデータＤ２３が選択的にまとめられたことを表しており、このとき従属コントローラ５５はステップＳＰ１７２に移る。
【０４３０】
ステップＳＰ１７２において従属コントローラ５５は、共有用動画ファイル信号群Ｓ５３に基づいて得られた主体動画ファイルデータＤ１７と、自己のデジタルスチルカメラ５１Ａ乃至５１Ｎ以外の従属に設定されていたデジタルスチルカメラ５１Ａ乃至５１Ｎで生成されていた従属動画ファイルデータＤ２３とを記録媒体３６に記録した後、続くステップＳＰ１７３に移って従属動画撮影画像共有処理手順ＲＴ１７を終了する。かくして撮影システム５０における動画撮影画像共有処理手順を全て終了する。
【０４３１】
以上の構成において、撮影システム５０は、写真撮影処理時、複数のデジタルスチルカメラ５１Ａ乃至５１Ｎのうち最も早い時点に主体設定要求が入力された１台のデジタルスチルカメラ５１Ａ乃至５１Ｎを被写体２に対する写真撮影の主体に設定すると共に、これに応じて他の複数のデジタルスチルカメラ５１Ａ乃至５１Ｎを、主体に設定した１台のデジタルスチルカメラ５１Ａ乃至５１Ｎに対する従属に設定する（ステップＳＰ８１乃至ステップＳＰ９５）。
【０４３２】
そして撮影システム５０は、主体に設定したデジタルスチルカメラ５１Ａ乃至５１Ｎにおいて撮影命令が入力されると、被写体２を写真撮影すると共に、写真撮影命令信号Ｓ４７を従属に設定した他の複数のデジタルスチルカメラ５１Ａ乃至５１Ｎに送信することにより（ステップＳＰ１０１乃至ステップＳＰ７並びにステップＳＰ１１１及びステップＳＰ１３）、当該写真撮影命令信号Ｓ４７を受信した他の複数のデジタルスチルカメラ５１Ａ乃至５１Ｎにおいてそれぞれ被写体２を従属的に写真撮影する（ステップＳＰ１１２及びステップＳＰ１５）。
【０４３３】
また撮影システム５０は、動画撮影処理時、複数のデジタルスチルカメラ５１Ａ乃至５１Ｎのうち最も早い時点に主体設定要求が入力された１台のデジタルスチルカメラ５１Ａ乃至５１Ｎを被写体２に対する動画撮影の主体に設定すると共に、これに応じて他の複数のデジタルスチルカメラ５１Ａ乃至５１Ｎを、主体に設定した１台のデジタルスチルカメラ５１Ａ乃至５１Ｎに対する従属に設定する（ステップＳＰ８１乃至ステップＳＰ９５）。
【０４３４】
そして撮影システム５０は、主体に設定したデジタルスチルカメラ５１Ａ乃至５１Ｎにおいて撮影命令が入力されると、被写体２を動画撮影すると共に、動画撮影命令信号Ｓ４８を従属に設定した他の複数のデジタルスチルカメラ５１Ａ乃至５１Ｎに送信することにより（ステップＳＰ１２１乃至ステップＳＰ２７並びにステップＳＰ１３１及びステップＳＰ３３）、当該動画撮影命令信号Ｓ４８を受信した他の複数のデジタルスチルカメラ５１Ａ乃至５１Ｎにおいてそれぞれ被写体２を従属的に動画撮影する（ステップＳＰ１３２乃至ステップＳＰ３５）。
【０４３５】
従ってこの撮影システム５０は、複数のデジタルスチルカメラ５１Ａ乃至５１Ｎをそれぞれ使用する複数のユーザの誰でもが写真撮影及び動画撮影の主体となって被写体２を所望の方向から所望のシャッタチャンスで写真撮影及び動画撮影することができると共に、その主体となったユーザの所望する方向以外の複数の方向からも（及び異なるシャッタチャンスでも）被写体２を一括して写真撮影及び動画撮影することができる。
【０４３６】
また撮影システム５０は、被写体２を写真撮影及び動画撮影する際に各デジタルスチルカメラ５１Ａ乃至５１Ｎの撮影方向をそれぞれデジタルスチルカメラ５１Ａ乃至５１Ｎを使用するユーザに依存していることにより、被写体２のみを複数方向から写真撮影及び動画撮影することもできるが、当該被写体２の周辺の状況等も合わせて写真撮影及び動画撮影することもできる。
【０４３７】
これに加えて撮影システム５０は、写真撮影画像共有処理時、先の写真撮影処理時に主体に設定していたデジタルスチルカメラ５１Ａ乃至５１Ｎから当該写真撮影処理時に従属に設定していた他の複数のデジタルスチルカメラ５１Ａ乃至５１Ｎに写真撮影画像要求信号Ｓ４９を送信することにより（ステップＳＰ４１）、当該主体に設定していたデジタルスチルカメラ５１Ａ乃至５１Ｎにより、従属に設定していた他の複数のデジタルスチルカメラ５１Ａ乃至５１Ｎからそれぞれ従属写真ファイルデータＤ２１を取得する（ステップＳＰ４２及びステップＳＰ４３並びにステップＳＰ５１）。
【０４３８】
そして撮影システム５０は、主体に設定していたデジタルスチルカメラ５１Ａ乃至５１Ｎから、従属に設定していた他の複数のデジタルスチルカメラ５１Ａ乃至５１Ｎに相手の生成した従属写真ファイルデータＤ２１以外の従属写真ファイルデータＤ２１を主体写真ファイルデータＤ１２と共に提供することにより主体及び従属に設定していた全てのデジタルスチルカメラ５１Ａ乃至５１Ｎで主体写真ファイルデータＤ１２及び従属写真ファイルデータＤ２１を共有化する（ステップＳＰ１４１及びステップＳＰ１５１並びにステップＳＰ１５２）。
【０４３９】
また撮影システム５０は、動画撮影画像取得処理時、先の動画撮影処理時に主体に設定していたデジタルスチルカメラ５１Ａ乃至５１Ｎから当該動画撮影処理時に従属に設定していた他の複数のデジタルスチルカメラ５１Ａ乃至５１Ｎに動画撮影画像要求信号Ｓ５２を送信することにより（ステップＳＰ６１）、当該主体に設定していたデジタルスチルカメラ５１Ａ乃至５１Ｎにより、従属に設定していた他の複数のデジタルスチルカメラ５１Ａ乃至５１Ｎからそれぞれ従属動画ファイルデータＤ２３を取得する（ステップＳＰ６２及びステップＳＰ６３並びにステップＳＰ７１）。
【０４４０】
そして撮影システム５０は、主体に設定していたデジタルスチルカメラ５１Ａ乃至５１Ｎから、従属に設定していた他の複数のデジタルスチルカメラ５１Ａ乃至５１Ｎに相手の生成した従属動画ファイルデータＤ２３以外の従属動画ファイルデータＤ２３を主体動画ファイルデータＤ１７と共に提供することにより主体及び従属に設定していた全てのデジタルスチルカメラ５１Ａ乃至５１Ｎで主体動画ファイルデータＤ１７及び従属動画ファイルデータＤ２３を共有化する（ステップＳＰ１６１及びステップＳＰ１７１並びにステップＳＰ１７２）。
【０４４１】
従ってこの撮影システム５０では、写真撮影処理及び動画撮影処理の際に主体に設定したデジタルスチルカメラ５１Ａ乃至５１Ｎ以外の、従属に設定していた他の複数のデジタルスチルカメラ５１Ａ乃至５１Ｎでも被写体２を複数方向から写真撮影及び動画撮影して生成して主体写真ファイルデータＤ１２及び従属写真ファイルデータＤ２１と、主体動画ファイルデータＤ１７及び従属動画ファイルデータＤ２３とを、記録媒体３６自体の貸し借りや情報処理装置を用いた再記録等の煩雑な手順を必要とせずに容易に取得することができる。
【０４４２】
以上の構成によれば、写真撮影処理時及び動画撮影処理時、複数のデジタルスチルカメラ５１Ａ乃至５１Ｎのうち最も早い時点に主体設定要求が入力された１台のデジタルスチルカメラ５１Ａ乃至５１Ｎを被写体２に対する写真撮影及び動画撮影の主体に設定すると共に、これに応じて他の複数のデジタルスチルカメラ５１Ａ乃至５１Ｎを当該主体に設定したデジタルスチルカメラ５１Ａ乃至５１Ｎに対する従属に設定し、この状態で主体に設定した１台のデジタルスチルカメラ５１Ａ乃至５１Ｎで撮影命令が入力されると、これに応じて被写体２を写真撮影及び動画撮影すると共に、写真撮影命令信号Ｓ４７及び動画撮影命令信号Ｓ４８を従属に設定した他の複数のデジタルスチルカメラ５１Ａ乃至５１Ｎに送信することにより当該従属に設定した他の複数のデジタルスチルカメラ５１Ａ乃至５１Ｎで写真撮影命令信号Ｓ４７及び動画撮影命令信号Ｓ４８に応じて被写体２を写真撮影及び動画撮影するようにしたことにより、上述した第１の実施の形態によって得られる効果に加えて、複数のデジタルスチルカメラ５１Ａ乃至５１Ｎをそれぞれ使用する複数のユーザの誰でもを主体として被写体２を写真撮影及び動画撮影することができ、かくして複数のデジタルスチルカメラ５１Ａ乃至５１Ｎをそれぞれ使用するいずれのユーザの撮影方向やシャッタチャンス等の好みを容易に反映させて被写体２を写真撮影及び動画撮影することができる。
【０４４３】
またかかる撮影システム５０は、複数のデジタルスチルカメラ５１Ａ乃至５１Ｎのうち少なくとも２台のデジタルスチルカメラ５１Ａ乃至５１Ｎで主体設定要求が同時に入力されたときには、予め設定された主体設定用の優先順位に従っていずれか１台のデジタルスチルカメラ５１Ａ乃至５１Ｎを被写体２に対する写真撮影及び動画撮影の主体に設定するようにしたことにより、写真撮影処理時及び動画撮影処理時に複数のデジタルスチルカメラ５１Ａ乃至５１Ｎに対する主体従属関係を破綻なく構築して、滞りなく被写体２を複数方向から一括して写真撮影及び動画撮影することができる。
【０４４４】
さらに撮影システム５０は、写真撮影画像共有処理及び動画撮影画像共有処理時、主体に設定していたデジタルスチルカメラ５１Ａ乃至５１Ｎから従属に設定していた他の複数のデジタルスチルカメラ５１Ａ乃至５１Ｎに写真撮影画像要求信号Ｓ４９及び動画撮影画像要求信号Ｓ５２を送信して、当該主体に設定していたデジタルスチルカメラ５１Ａ乃至５１Ｎに、従属に設定していた他の複数のデジタルスチルカメラ５１Ａ乃至５１Ｎからそれぞれ従属写真ファイルデータＤ２１及び従属動画ファイルデータＤ２３を取得した後、主体に設定していたデジタルスチルカメラ５１Ａ乃至５１Ｎから、従属に設定していた他の複数のデジタルスチルカメラ５１Ａ乃至５１Ｎに相手の生成した従属写真ファイルデータＤ２１及び従属動画ファイルデータＤ２３以外の従属写真ファイルデータＤ２１及び従属動画ファイルデータＤ２３を主体写真ファイルデータＤ１２及び主体動画ファイルデータＤ１７と共に提供して全てのデジタルスチルカメラ５１Ａ乃至５１Ｎで主体写真ファイルデータＤ１２及び従属写真ファイルデータＤ２１と、主体動画ファイルデータＤ１７及び従属動画ファイルデータＤ２３とを共有化するようにしたことにより、全てのデジタルスチルカメラ５１Ａ乃至５１Ｎにおいて記録媒体３６の貸し借りや情報処理装置を用いた再記録等の煩雑な手順を必要とせずに主体写真ファイルデータＤ１２及び従属写真ファイルデータＤ２１と、主体動画ファイルデータＤ１７及び従属動画ファイルデータＤ２３とを容易に取得することができ、かくして写真撮影及び動画撮影の際に主体となれずに従属に設定したデジタルスチルカメラ５１Ａ乃至５１Ｎでも、被写体２を複数方向から写真撮影及び動画撮影して生成した主体写真ファイルデータＤ１２及び従属写真ファイルデータＤ２１と、主体動画ファイルデータＤ１７及び従属動画ファイルデータＤ２３とを保存することができる。
【０４４５】
なお上述した第２の実施の形態においては、デジタルスチルカメラ５１Ａ乃至５１Ｎにおいて写真撮影画像表示処理を実行した際に写真撮影画像を表示し、動画撮影画像表示処理を実行した際に動画撮影画像を表示するようにした場合について述べたが、本発明はこれに限らず、デジタルスチルカメラ５１Ａ乃至５１Ｎにおいて１つの撮影画像表示処理を実行している際に写真撮影画像及び動画撮影画像を混在させて表示するようにしても良い。
【０４４６】
また上述した第２の実施の形態においては、デジタルスチルカメラ５１Ａ乃至５１Ｎにおいて被写体２を動画撮影したときに撮像動画像データＤ６及びＤ３０から主体動画撮影画像データＤ１６及び従属動画撮影画像データＤ２６を抽出するようにした場合について述べたが、本発明はこれに限らず、デジタルスチルカメラ５１Ａ乃至５１Ｎにおいて被写体２を動画撮影したときに主体動画撮影画像データＤ１６及び従属動画撮影画像データＤ２６を抽出すると共に、これらに同期して周囲の音声を集音することにより音声データも合わせて生成し、当該生成した音声データも主体動画撮影画像データＤ１６及び従属動画撮影画像データＤ２６と共に動画撮影の結果として記録するようにしても良い。
【０４４７】
さらに上述した第２の実施の形態においては、全てのデジタルスチルカメラ５１Ａ乃至５１Ｎで主体写真撮影画像データＤ１１及び従属写真撮影画像データＤ２５と、主体動画撮影画像データＤ１６及び従属動画撮影画像データＤ２６とを共有化するようにした場合について述べたが、本発明はこれに限らず、個々のデジタルスチルカメラ５１Ａ乃至５１Ｎで主体写真撮影画像データＤ１１及び従属写真撮影画像データＤ２５と、主体動画撮影画像データＤ１６及び従属動画撮影画像データＤ２６を取得する際に当該主体写真撮影画像データＤ１１及び従属写真撮影画像データＤ２５と、主体動画撮影画像データＤ１６及び従属動画撮影画像データＤ２６との提供元となる１又は複数のデジタルスチルカメラ５１Ａ乃至５１Ｎを任意に選択し、当該選択したデジタルスチルカメラ５１Ａ乃至５１Ｎから主体写真撮影画像データＤ１１及び従属写真撮影画像データＤ２５と、主体動画撮影画像データＤ１６及び従属動画撮影画像データＤ２６とを取得するようにしても良い。
【０４４８】
さらに上述した第２の実施の形態においては、デジタルスチルカメラ５１Ａ乃至５１Ｎにおいて写真撮影処理及び動画撮影処理を実行した後に写真撮影画像共有処理及び動画撮影画像共有処理を実行して主体写真撮影画像データＤ１１及び従属写真撮影画像データＤ２５と、主体動画撮影画像データＤ１６及び従属動画撮影画像データＤ２６とを共有化するようにした場合について述べたが、本発明はこれに限らず、デジタルスチルカメラ５１Ａ乃至５１Ｎにおいて写真撮影処理に写真撮影画像共有処理を組み込むと共に、動画撮影処理に動画撮影画像共有処理を組み込み、当該写真撮影処理及び動画撮影処理を実行しながら被写体２を写真撮影及び動画撮影する毎に主体写真撮影画像データＤ１１及び従属写真撮影画像データＤ２５と、主体動画撮影画像データＤ１６及び従属動画撮影画像データＤ２６とを共有化するようにしても良い。
【０４４９】
また主体に設定したデジタルスチルカメラ５１Ａ乃至５１Ｎ及び又は従属に設定した複数のデジタルスチルカメラ５１Ａ乃至５１Ｎにおいてそれぞれ起動停止命令が入力された際に外見上起動を停止しながら主体写真ファイルデータＤ１２、主体動画ファイルデータＤ１７及び又は従属写真ファイルデータＤ２１、従属動画ファイルデータＤ２３を取得するようにしても良く、このようにすれば主体コントローラ５５及び従属コントローラ５５に対して写真撮影や動画撮影等の他の機能を停止させる分、処理負荷を大幅に低減させて当該主体写真ファイルデータＤ１２、主体動画ファイルデータＤ１７及び又は従属写真ファイルデータＤ２１、従属動画ファイルデータＤ２３を取得することができる。
【０４５０】
これに加えて複数のデジタルスチルカメラ５１Ａ乃至５１Ｎにおいて自己のデジタルスチルカメラ５１Ａ乃至５１Ｎで生成した主体写真ファイルデータＤ１２及び主体動画ファイルデータＤ１７、従属写真ファイルデータＤ２１及び従属動画ファイルデータＤ２３をそれぞれ他の複数のデジタルスチルカメラ５１Ａ乃至５１Ｎ（主体及び従属の設定に関係せずに）に提供して当該主体写真ファイルデータＤ１２及び主体動画ファイルデータＤ１７と、従属写真ファイルデータＤ２１及び従属動画ファイルデータＤ２３とを共有化するようにしても良い。
【０４５１】
さらに上述した第２の実施の形態においては、１台のデジタルスチルカメラ５１Ａ乃至５１Ｎを主体に設定したときに残りの他のデジタルスチルカメラ５１Ａ乃至５１Ｎを自動で従属に設定するようにした場合について述べたが、本発明はこれに限らず、１台のデジタルスチルカメラ５１Ａ乃至５１Ｎを主体に設定したときに、残りの他のデジタルスチルカメラ５１Ａ乃至５１Ｎに対して従属に設定するか否かを任意に選択させるようにしても良い。
【０４５２】
さらに上述した第２の実施の形態においては、主体に設定したデジタルスチルカメラ５１Ａ乃至５１Ｎで主体写真撮影処理を実行したときには従属に設定したデジタルスチルカメラ５１Ａ乃至５１Ｎで従属写真撮影処理を実行し、当該主体に設定したデジタルスチルカメラ５１Ａ乃至５１Ｎで主体動画撮影処理を実行したときには従属に設定したデジタルスチルカメラ５１Ａ乃至５１Ｎで従属動画撮影処理を実行するようにした場合について述べたが、本発明はこれに限らず、主体に設定したデジタルスチルカメラ５１Ａ乃至５１Ｎ及び従属に設定したデジタルスチルカメラ５１Ａ乃至５１Ｎで主体写真撮影処理及び主体動画撮影処理と従属写真撮影処理及び従属動画撮影処理とを混在して実行し、又はいずれかの固定的な組み合せで実行するようにしても良い。このようにすれば、写真撮影と動画撮影とを合わせて実行することができ、これにより被写体２を撮影したいと思ったときに、当該被写体２の様子を写真撮影画像及び動画撮影画像の両方で記録することができる。
【０４５３】
さらに上述した第２の実施の形態においては、個々のデジタルスチルカメラ５１Ａ乃至５１Ｎに対して予め動画撮影時間を設定しておくようにした場合について述べたが、本発明はこれに限らず、動画撮影時間を特には設定せずに、例えば動画撮影の際に主体に設定したデジタルスチルカメラ５１Ａ乃至５１Ｎと従属に設定したデジタルスチルカメラ５１Ａ乃至５１Ｎとの間で常時通信して当該主体に設定したデジタルスチルカメラ５１Ａ乃至５１Ｎで動画撮影を開始した後、シャッタボタン１４が再び全押しされる等してその動画撮影を終了した時点で、予め設定している順番に従って従属に設定した１台目のデジタルスチルカメラ５１Ａ乃至５１Ｎで動画撮影を開始し、当該従属に設定したデジタルスチルカメラ５１Ａ乃至５１Ｎでもシャッタボタン１４が再び全押しされる等してその動画撮影を終了した時点で、さらに従属に設定した２台目のデジタルスチルカメラ５１Ａ乃至５１Ｎで動画撮影を開始するようにして従属に設定した最後のデジタルスチルカメラ５１Ａ乃至５１Ｎが動画撮影を開始した後、シャッタボタン１４が２度連続して全押しされる等して全ての動画撮影を終了するように、複数のデジタルスチルカメラ５１Ａ乃至５１Ｎにおいて順番かつ連続して所望の動画撮影時間だけ動画撮影を実行するようにしても良い。
【０４５４】
このようにすれば、図１０について上述したような動画撮影を、動画撮影条件を選択するための事前の処理や、１度選択した動画撮影時間に規制されることなく、自由に実行することができる。
【０４５５】
さらに上述した第２の実施の形態においては、写真撮影処理及び動画撮影処理時に１台のデジタルスチルカメラ５１Ａ乃至５１Ｎを主体に設定すると、当該主体に設定したデジタルスチルカメラ５１Ａ乃至５１Ｎで主体写真撮影処理及び主体動画撮影処理の終了が命令されるまでの間はそのまま主体に設定するようにした場合について述べたが、本発明はこれに限らず、写真撮影処理及び動画撮影処理時に複数のデジタルスチルカメラ５１Ａ乃至５１Ｎにおいて被写体２を所定回写真撮影及び動画撮影する毎に主体に設定するデジタルスチルカメラ５１Ａ乃至５１Ｎを変更するようにしても良い。このようにすれば、１つの撮影場所で複数のユーザが順番に主体となって被写体２を写真撮影及び動画撮影することができ、かくして個々のユーザの好みを適確に反映して被写体２を写真撮影及び動画撮影することができる。
【０４５６】
（３）第３の実施の形態
図２１は第３の実施の形態による撮影システム６０を示し、人物等の被写体に対する写真撮影及び動画撮影の主体となる主体パーソナルコンピュータ６１に、当該主体パーソナルコンピュータ６１の従属として実際に被写体を写真撮影及び動画撮影する複数の従属デジタルスチルカメラ６２Ａ乃至６２Ｎを近距離無線通信技術であるＢｌｕｅｔｏｏｔｈ等に準拠して無線接続して構築されている。
【０４５７】
この場合、図２２に示すように、主体パーソナルコンピュータ６１は、ＣＰＵ６５にバス６６を介してＲＡＭ６７、ＲＯＭ６８、操作部６９、表示部７０、ハードディスクドライブ７１及び送受信処理部７２が接続されて構成されている。
【０４５８】
そしてＣＰＵ６５は、操作部６９を介して入力される各種命令に応じて、ＲＯＭ６８に予め格納した主体登録処理プログラムや、撮影制御処理プログラム、撮影画像取得処理プログラム、撮影画像再生処理プログラム等の各種アプリケーションプログラムをＲＡＭ６７上で展開して主体パーソナルコンピュータ６１の各回路部を統括的に制御することにより、従属デジタルスチルカメラ６２Ａ乃至６２Ｎに対する主体登録処理や、当該従属デジタルスチルカメラ６２Ａ乃至６２Ｎに対する撮影制御処理、従属デジタルスチルカメラ６２Ａ乃至６２Ｎから被写体を従属的に写真撮影及び動画撮影して生成された従属写真撮影画像データＤ２５及び従属動画撮影画像データＤ２６を取得する撮影画像取得処理、従属デジタルスチルカメラ６２Ａ乃至６２Ｎから取得した撮影画像データを再生する撮影画像再生処理等を実行する。
【０４５９】
すなわちＣＰＵ６５は、主体パーソナルコンピュータ６１の無線通信範囲（以下、これをパソコン無線通信範囲と呼ぶ）内に従属デジタルスチルカメラ６２Ａ乃至６２Ｎが存在する状態で操作部６９を介して従属登録命令が入力されると、上述した第１の実施の形態による主体デジタルスチルカメラ３（図３）と同様に従属デジタルスチルカメラ６２Ａ乃至６２Ｎに対する主体登録処理を実行する。
【０４６０】
これによりＣＰＵ６５は、送受信処理部７２及びアンテナ７３を介してパソコン無線通信範囲内に存在する従属デジタルスチルカメラ６２Ａ乃至６２Ｎとの間で無線通信しながら主体パーソナルコンピュータ６１固有の主体登録用識別情報を当該従属デジタルスチルカメラ６２Ａ乃至６２Ｎに記憶させると共に、その従属デジタルスチルカメラ６２Ａ乃至６２Ｎ固有の従属登録用識別情報をハードディスクドライブ７１のハードディスクに記録することにより、主体パーソナルコンピュータ６１に対して従属デジタルスチルカメラ６２Ａ乃至６２Ｎを従属登録する。
【０４６１】
因みにＣＰＵ６５は、この後、各種信号に従属登録用識別情報を付加して送信することにより従属デジタルスチルカメラ６２Ａ乃至６２Ｎに自分宛ての各種信号を識別させて適確に受信させると共に、従属デジタルスチルカメラ６２Ａ乃至６２Ｎから送信される各種信号に対しても主体登録用識別情報を付加させることにより当該各種信号を識別して適確に受信する。
【０４６２】
またＣＰＵ６５は、従属デジタルスチルカメラ６２Ａ乃至６２Ｎを従属登録した後、操作部６９を介して当該従属デジタルスチルカメラ６２Ａ乃至６２Ｎに対する撮影条件設定命令が入力されると、これに応じて撮影条件設定処理を実行することにより、ハードディスクドライブ７１のハードディスクから予め記録している撮影条件設定画面データを読み出し、当該読み出した撮影条件設定画面データに基づく撮影条件設定画面を表示部７０に表示する。
【０４６３】
この状態でＣＰＵ６５は、上述した第１の実施の形態による主体デジタルスチルカメラ３と同様に撮影条件設定画面上で従属デジタルスチルカメラ６２Ａ乃至６２Ｎに対する写真撮影条件及び動画撮影条件を選択させ、当該選択された写真撮影条件及び動画撮影条件を写真撮影条件情報及び動画撮影条件情報としてハードディスクドライブ７１のハードディスクに記憶して従属登録用識別情報と対応付けることにより登録情報データテーブルを生成する。
【０４６４】
そしてＣＰＵ６５は、操作部６９を介して写真撮影制御命令が入力されると、従属デジタルスチルカメラ６２Ａ乃至６２Ｎに対する写真撮影用の撮影制御処理（以下、これを写真撮影制御処理と呼ぶ）を開始する。
【０４６５】
この場合、ＣＰＵ６５は、パソコン無線通信範囲内に従属動作可能な状態の従属デジタルスチルカメラ６２Ａ乃至６２Ｎが存在するか否かを探索し、かつ従属デジタルスチルカメラ６２Ａ乃至６２Ｎに従属写真撮影処理を開始させるための探索データＤ６０Ａを生成し、これを送受信処理部７２に送出して送信処理し、得られた探索信号Ｓ６０Ａをアンテナ７３から送信する。
【０４６６】
この結果、ＣＰＵ６５は、パソコン無線通信範囲内に存在する従属動作可能な従属デジタルスチルカメラ６２Ａ乃至６２Ｎから、探索信号Ｓ６０Ａに応じて従属写真撮影処理を開始して従属動作可能通知信号Ｓ６１が返信されると、これをアンテナ７３で受信して送受信処理部７２において受信処理し、得られた従属動作可能通知データＤ６１を取り込む。
【０４６７】
これによりＣＰＵ６５は、従属動作可能通知データＤ６１に基づいて、パソコン無線通信範囲内に存在する写真撮影用の従属動作が可能な従属デジタルスチルカメラ６２Ａ乃至６２Ｎを認識する。
【０４６８】
そしてＣＰＵ６５は、パソコン無線通信範囲内に存在する従属デジタルスチルカメラ６２Ａ乃至６２Ｎからそれぞれ被写体を撮像して生成された撮像静止画像データＤ６２を取得するための撮像静止画像要求データＤ６３を生成し、これを送受信処理部７２に送信して送信処理し、得られた撮像静止画像要求信号Ｓ６３をアンテナ７３から従属デジタルスチルカメラ６２Ａ乃至６２Ｎに送信する。
【０４６９】
この結果、ＣＰＵ６５は、従属デジタルスチルカメラ６２Ａ乃至６２Ｎから、被写体を撮像して生成された撮像動画像データからこれを構成する時間的に連続する複数の撮像静止画像データＤ６２のうち所定周期で順次抽出された１枚の撮像静止画像に相当する撮像静止画像データＤ６２が撮像静止画像信号Ｓ６４として送信される毎に、これをアンテナ７３で受信して送受信処理部７２において受信処理し、得られた撮像静止画像データＤ６２をＲＡＭ６７に一旦格納する。
【０４７０】
これによりＣＰＵ６５は、従属動作可能通知データＤ６１に基づいて、パソコン無線通信範囲内に存在する従属動作可能な従属デジタルスチルカメラ６２Ａ乃至６２Ｎをユーザに通知するための従属カメラ通知画面データを生成すると共に、当該従属デジタルスチルカメラ６２Ａ乃至６２Ｎから撮像静止画像データＤ６２を取得する毎に、その撮像静止画像データＤ６２を従属カメラ通知画面データに合成し、得られたカメラ撮像状態通知画面データＤ６４を表示部７０に送出することにより、当該表示部７０にカメラ撮影状態通知画面データＤ６４に基づく図２３に示すようなカメラ撮像状態通知画面７５を表示する。
【０４７１】
ここでカメラ撮像状態通知画面７５には、主体パーソナルコンピュータ６１に対して従属登録した全ての従属デジタルスチルカメラ６２Ａ乃至６２Ｎをそれぞれ表し、かつ撮像静止画像データＤ６２に基づく撮像静止画像を表示し得る複数の撮像静止画像表示領域７６Ａ乃至７６Ｎが設けられると共に、主体パーソナルコンピュータ６１が主体となって従属デジタルスチルカメラ６２Ａ乃至６２Ｎに対する写真撮影（及び動画撮影）の制御を実行していることを通知する撮影制御実行通知アイコン７７が設けられている。
【０４７２】
そしてカメラ撮像状態通知画面７５は、各撮像静止画像表示領域７６Ａ乃至７６Ｎのうちパソコン無線通信範囲内に存在する従属デジタルスチルカメラ６２Ａ乃至６２Ｎ用の撮像静止画像表示領域７６Ａ及び７６Ｂ、７６Ｆ乃至７６Ｈ、７６Ｌ及び７６Ｍに、それぞれ対応する従属デジタルスチルカメラ６２Ａ乃至６２Ｎから取得した撮像静止画像データＤ６２に基づく撮像静止画像７８Ａ乃至７８Ｇが表示されている。
【０４７３】
またカメラ撮像状態通知画面７５は、複数の撮像静止画像表示領域７６Ａ乃至７６Ｎのうちパソコン無線通信範囲内に存在しない従属デジタルスチルカメラ６２Ａ乃至６２Ｎ用の撮像静止画像表示領域７６Ｃ乃至７６Ｅ、７６Ｉ乃至７６Ｋ、７６Ｎと、当該パソコン無線通信範囲内に存在する従属デジタルスチルカメラ６２Ａ乃至６２Ｎ用の撮像静止画像表示領域７６Ａ及び７６Ｂ、７６Ｆ乃至７６Ｈ、７６Ｌ及び７６Ｍとが互いに異なる表示状態（撮像静止画像表示領域７６Ａ乃至７６Ｎ全体の色や、当該全体の点灯及び消灯等）に選定されている。
【０４７４】
これによりＣＰＵ６５は、カメラ撮像状態通知画面７５により、主体パーソナルコンピュータ６１の制御のもとにパソコン無線通信範囲内で被写体を写真撮影（及び動画撮影）し得る従属デジタルスチルカメラ６２Ａ乃至６２Ｎをユーザに通知すると共に、当該従属デジタルスチルカメラ６２Ａ乃至６２Ｎにおける被写体の撮像状態（撮像方向や撮像アングル等）をスライドショーのように撮像静止画像７８Ａ乃至７８Ｇを順次切り替えて（すなわち、従属デジタルスチルカメラ６２Ａ乃至６２Ｎから所定周期で撮像静止画像データＤ６２を取り込む毎に切り替えて）表示して目視確認させ得るようになされている。
【０４７５】
因みにＣＰＵ６５は、写真撮影制御処理を実行している間（及び動画撮影用の撮影制御処理（以下、これを動画撮影制御処理と呼ぶ）を実行している間）、定期的に探索信号Ｓ６０Ａを送信することによりパソコン無線通信範囲内に存在する従属動作可能な従属デジタルスチルカメラ６２Ａ乃至６２Ｎを把握しながら、当該従属デジタルスチルカメラ６２Ａ乃至６２Ｎにおける被写体の撮像状態をユーザに確認させ得るようになされている。
【０４７６】
そしてＣＰＵ６５は、カメラ撮像状態通知画面７５を表示した状態で、操作部６９から例えばシャッタボタンに相当する撮影命令入力ボタンの押下操作に応じて撮影命令が入力されると、ハードディスクドライブ７１のハードディスクから、その撮影命令が入力された主体撮影命令入力時点にパソコン無線通信範囲内に存在する従属デジタルスチルカメラ６２Ａ乃至６２Ｎに対する写真撮影条件情報を読み出し、当該読み出した写真撮影条件情報を主体撮影命令入力時点の写真撮影命令入力日時情報と共に格納した写真撮影命令データＤ６５を生成する。
【０４７７】
そしてＣＰＵ６５は、写真撮影命令データＤ６５を送受信処理部７２に送出して送信処理し、得られた写真撮影命令信号Ｓ６５をアンテナ７３からパソコン無線通信範囲内に存在する従属デジタルスチルカメラ６２Ａ乃至６２Ｎに送信する。
【０４７８】
これによりＣＰＵ６５は、パソコン無線通信範囲内に存在する従属動作可能な従属デジタルスチルカメラ６２Ａ乃至６２Ｎに対して、それぞれ写真撮影条件に従って主体撮影命令入力時点とほぼ同時又は当該主体撮影命令入力時点から写真撮影遅延時間経過後の写真撮影時点に被写体を写真撮影させる。
【０４７９】
このようにしてＣＰＵ６５は、従属デジタルスチルカメラ６２Ａ乃至６２Ｎに被写体を写真撮影させた後、操作部６９を介して写真撮影制御終了命令が入力されると、パソコン無線通信範囲内に存在する従属デジタルスチルカメラ６２Ａ乃至６２Ｎに従属写真撮影処理を終了させるための従属写真撮影終了データＤ６６を生成し、これを送受信処理部７２に送出して送信処理し、得られた従属写真撮影終了信号Ｓ６６をアンテナ７３から従属デジタルスチルカメラ６２Ａ乃至６２Ｎに送信して、写真撮影制御処理を終了する。
【０４８０】
またＣＰＵ６５は、操作部６９を介して動画撮影制御命令が入力されると、従属デジタルスチルカメラ６２Ａ乃至６２Ｎに対する動画撮影制御処理を開始する。
【０４８１】
この場合、ＣＰＵ６５は、パソコン無線通信範囲内に従属動作可能な状態の従属デジタルスチルカメラ６２Ａ乃至６２Ｎが存在するか否かを探索し、かつ従属デジタルスチルカメラ６２Ａ乃至６２Ｎに従属動画撮影処理を開始させるための探索データＤ６０Ｂを生成して送受信処理部７２に送出して送信処理し、得られた探索信号Ｓ６０Ｂをアンテナ７３から送信する。
【０４８２】
この結果、ＣＰＵ６５は、パソコン無線通信範囲内に存在する従属動作可能な従属デジタルスチルカメラ６２Ａ乃至６２Ｎから、探索信号Ｓ６０Ｂに応じて従属動画撮影処理を開始して従属動作可能通知信号Ｓ６１が返信されると、これをアンテナ７３で受信して送受信処理部７２において受信処理し、得られた従属動作可能通知データＤ６１を取り込む。
【０４８３】
これによりＣＰＵ６５は、従属動作可能通知データＤ６１に基づいて、パソコン無線通信範囲内に存在する動画撮影用の従属動作が可能な従属デジタルスチルカメラ６２Ａ乃至６２Ｎを認識する。
【０４８４】
そしてＣＰＵ６５は、上述した写真撮影制御処理時と同様にパソコン無線通信範囲内に存在する従属デジタルスチルカメラ６２Ａ乃至６２Ｎから順次送信された撮像静止画像信号Ｓ６４を受信する毎に、カメラ撮像状態通知画面データＤ６４を生成して表示部７０にカメラ撮像状態通知画面７５を表示する。
【０４８５】
ＣＰＵ６５は、カメラ撮像状態通知画面７５を表示した状態で、操作部６９から撮影命令入力ボタンの押下操作に応じて撮影命令が入力されると、ハードディスクドライブ７１のハードディスクから、その撮影命令が入力された主体撮影命令入力時点にパソコン無線通信範囲内に存在する従属デジタルスチルカメラ６２Ａ乃至６２Ｎに対する動画撮影条件情報を読み出し、当該読み出した動画撮影条件情報を主体撮影命令入力時点の動画撮影命令入力日時情報と共に格納した動画撮影命令データＤ６７を生成する。
【０４８６】
そしてＣＰＵ６５は、動画撮影命令データＤ６７を送受信処理部７２に送出して送信処理し、得られた動画撮影命令信号Ｓ６７をアンテナ７３からパソコン無線通信範囲内に存在する従属デジタルスチルカメラ６２Ａ乃至６２Ｎに送信する。
【０４８７】
これによりＣＰＵ６５は、パソコン無線通信範囲内に存在する従属動作可能な従属デジタルスチルカメラ６２Ａ乃至６２Ｎに対して、動画撮影条件に従って主体撮影命令入力時点とほぼ同時又は当該主体撮影命令入力時点を基準とした動画撮影遅延時間経過後の動画撮影開始時点に被写体に対する動画撮影を開始させて当該被写体を動画撮影時間に渡って動画撮影させる。
【０４８８】
このようにしてＣＰＵ６５は、従属デジタルスチルカメラ６２Ａ乃至６２Ｎに被写体を動画撮影させた後、操作部６９を介して動画撮影制御終了命令が入力されると、パソコン無線通信範囲内に存在する従属デジタルスチルカメラ６２Ａ乃至６２Ｎに従属動画撮影処理を終了させるための従属動画撮影終了データＤ６８を生成し、これを送受信処理部７２に送出して送信処理を施し、得られた従属動画撮影終了信号Ｓ６８をアンテナ７３から従属デジタルスチルカメラ６２Ａ乃至６２Ｎに送信して、動画撮影制御処理を終了する。
【０４８９】
因みにＣＰＵ６５は、例えば写真撮影制御処理の終了後に操作部６９を介して写真撮影画像取得命令が入力されると、上述した第１の実施の形態による主体デジタルスチルカメラ３と同様に写真撮影画像取得処理を実行し、写真撮影命令入力日時情報を格納した写真撮影画像要求データＤ６９を送受信処理７２に送出して送信処理し、得られた写真撮影画像要求信号Ｓ６９をアンテナ７３から従属デジタルスチルカメラ６２Ａ乃至６２Ｎに送信する。
【０４９０】
これによりＣＰＵ６５は、従属デジタルスチルカメラ６２Ａ乃至６２Ｎからそれぞれ送信された従属写真ファイル信号Ｓ１６をアンテナ７３で受信して送受信処理部７２に取り込み、当該送受信処理部７２においてその従属写真ファイル信号Ｓ１６を受信処理し、得られた従属写真ファイルデータＤ２１をハードディスクドライブ７１のハードディスクに記録する。
【０４９１】
またＣＰＵ６５は、例えば動画撮影制御処理の終了後に操作部６９を介して動画撮影画像取得命令が入力されると、上述した第１の実施の形態による主体デジタルスチルカメラ３と同様に動画撮影画像取得処理を実行し、動画撮影命令入力日時情報を格納した動画撮影画像要求データＤ７０を送受信処理部７２に送出して送信処理し、得られた動画撮影画像要求信号Ｓ７０をアンテナ７３から従属デジタルスチルカメラ６２Ａ乃至６２Ｎに送信する。
【０４９２】
これによりＣＰＵ６５は、従属デジタルスチルカメラ６２Ａ乃至６２Ｎからそれぞれ送信された従属動画ファイル信号Ｓ１８をアンテナ７３で受信して送受信処理部７２に取り込み、当該送受信処理部７２においてその従属動画ファイル信号Ｓ１８を受信処理し、得られた従属動画ファイルデータＤ２３をハードディスクドライブ７１のハードディスクに記録する。
【０４９３】
このようにしてＣＰＵ６５は、従属デジタルスチルカメラ６２Ａ乃至６２Ｎに対して被写体を従属的に写真撮影及び動画撮影させて生成させた従属写真ファイルデータＤ２１及び従属動画ファイルデータＤ２３を集めて取得する。
【０４９４】
これに加えてＣＰＵ６５は、操作部６９を介して写真撮影画像再生命令が入力されると、撮影画像再生処理（以下、これを写真撮影画像再生処理と呼ぶ）を実行し、ハードディスクドライブ７１のバードディスクから従属写真ファイルデータＤ２１を従属写真撮影日時に応じて時系列的に順番に再生してＲＡＭ６７に転送する。
【０４９５】
ＣＰＵ６５は、ＲＡＭ６７に順次転送した従属写真ファイルデータＤ２１から写真画像圧縮符号化データを抽出して取り込み、当該取り込んだ写真画像圧縮符号化データをＪＰＥＧ等の圧縮符号化方式に応じて復号化することにより得られた従属写真撮影画像データＤ２５を再びＲＡＭ６７に格納する。
【０４９６】
そしてＣＰＵ６５は、ＲＡＭ６７から最も過去の写真撮影によって得られた従属写真撮影画像データＤ２５を読み出して表示部７０に送出することにより当該表示部７０に従属写真撮影画像データＤ２５に基づく従属写真撮影画像を表示すると共に、この際に操作部６９を介して写真撮影画像切替命令が入力されると、その都度、ＲＡＭ６７から従属写真撮影日時に応じて時系列的に従属写真撮影画像データＤ２５を順番に読み出して表示部７０に送出することにより当該表示部７０に従属写真撮影画像を順次切り替えて表示する。
【０４９７】
またＣＰＵ６５は、操作部６９を介して動画撮影画像再生命令が入力されると、撮影画像再生処理（以下、これを動画撮影画像再生処理と呼ぶ）を実行し、ハードディスクドライブ７１のハードディスクから従属動画ファイルデータＤ２３を従属動画撮影開始日時に応じて時系列的に順番に再生してＲＡＭ６７に転送する。
【０４９８】
ＣＰＵ６５は、ＲＡＭ６７に順次転送した従属動画ファイルデータＤ２３から動画像圧縮符号化データを抽出して取り込み、当該取り込んだ動画像圧縮符号化データをＭＰＥＧ等の圧縮符号化方式に応じて復号化することにより得られた従属動画撮影画像データＤ２６を再びＲＡＭ６７に格納する。
【０４９９】
そしてＣＰＵ６５は、ＲＡＭ６７から最も過去の動画撮影によって得られた従属動画撮影画像データＤ２６を読み出して表示部７０に送出することにより当該表示部７０に従属動画撮影画像データＤ２６に基づく従属動画撮影画像を表示すると共に、この際に操作部６９を介して動画撮影画像切替命令が入力されると、その都度、ＲＡＭ６７から従属動画撮影開始日時に応じて時系列的に従属動画撮影画像データＤ２６を順番に読み出して表示部７０に送出することにより当該表示部７０に従属動画撮影画像を順次切り替えて表示する。
【０５００】
このようにしてＣＰＵ６５は、従属デジタルスチルカメラ６２Ａ乃至６２Ｎから取得した従属写真撮影画像及び従属動画撮影画像を表示部７０を介して自由に目視させ得るようになされている。
【０５０１】
一方、複数の従属デジタルスチルカメラ６２Ａ乃至６２Ｎは、それぞれ図５について上述した第１の実施の形態による従属デジタルスチルカメラ４Ａ乃至４Ｎと基本的にほぼ同様の回路構成を有するものの、主体パーソナルコンピュータ６１の制御のもとに従属写真撮影処理及び従属動画撮影処理を実行する分、わずかに異なる回路構成を有することにより、以下に従属デジタルスチルカメラ６２Ａ乃至６２Ｎの回路構成について説明する。
【０５０２】
図５との対応部分に同一符号を付して示す図２４において、従属デジタルスチルカメラ６２Ａ乃至６２Ｎは、ＣＰＵ、ＳＲＡＭ等の不揮発性メモリ、ＲＯＭ等を有する従属コントローラ８０が、操作部２３を介して入力される各種命令に応じて、内部のＲＯＭに予め格納した従属撮影処理プログラムや、従属登録処理プログラム、撮影画像提供処理プログラム等の各種アプリケーションプログラムをＤＲＡＭ２２上で展開して従属デジタルスチルカメラ６２Ａ乃至６２Ｎの各回路部を統括的に制御することにより、主体パーソナルコンピュータ６１による写真撮影制御処理及び動画撮影制御処理に準じた従属写真撮影処理及び従属動画撮影処理や、写真撮影画像提供処理及び動画撮影画像提供処理を実行すると共に、上述した第１の実施の形態による従属デジタルスチルカメラ４Ａ乃至４Ｎと同様に主体パーソナルコンピュータ６１に対する従属登録処理等を実行する。
【０５０３】
すなわち従属コントローラ８０は、主体パーソナルコンピュータ６１から写真撮影制御処理の実行に応じて送信された探索信号Ｓ６０Ａをアンテナ２７で受信すると、送受信処理部２６においてその探索信号Ｓ６０Ａを受信処理し、得られた探索データＤ６０Ａを取り込む。
【０５０４】
これにより従属コントローラ８０は、探索データＤ６０Ａに従って主体パーソナルコンピュータ６１による写真撮影制御処理に準じた従属写真撮影処理を開始して従属動作可能通知データＤ６１を生成し、これを送受信処理部２６に送出して送信処理し、得られた従属動作可能通知信号Ｓ６１をアンテナ２７から主体パーソナルコンピュータ６１に送信する。
【０５０５】
また従属コントローラ８０は、このとき被写体の撮像を開始して撮像動画像データＤ３０を生成すると共に、従属撮影通知画面データＤ３１を生成し、当該生成した撮像動画像データＤ３０及び従属撮影通知画面データＤ３１をデータ合成部２５を介して表示部１５に送出することにより当該表示部１５に図６について上述した従属撮影通知用合成画面４１を表示する。
【０５０６】
そして従属コントローラ８０は、引き続き主体パーソナルコンピュータ６１から送信された、撮像静止画像要求信号Ｓ６３をアンテナ２７で受信すると、送受信処理部２６においてその撮像静止画像要求信号Ｓ６３を受信処理し、得られた撮像静止画像要求データＤ６３を取り込む。
【０５０７】
これにより従属コントローラ８０は、データ抽出部８１において、データ生成部２９で生成した撮像動画像データＤ３０からこれを構成する時間的に連続する複数の撮像静止画像データＤ６２のうち所定周期で順次１枚の撮像静止画像に相当する撮像静止画像データＤ６２を抽出し、これを送受信処理部２６に送出して送信処理し、得られた撮像静止画像信号Ｓ６４をアンテナ２７から主体パーソナルコンピュータ６１に送信する。
【０５０８】
このようにして従属コントローラ８０は、被写体を撮像しながら主体パーソナルコンピュータ６１に定期的に撮像静止画像信号Ｓ６４を送信している状態で、当該主体パーソナルコンピュータ６１から送信された写真撮影命令信号Ｓ６５をアンテナ２７で受信すると、送受信処理部２６においてその写真撮影命令信号Ｓ６５を受信処理し、得られた写真撮影命令データＤ６５を取り込む。
【０５０９】
このとき従属コントローラ８０は、写真撮影命令データＤ６５に格納されている写真撮影命令入力日時情報及び写真撮影条件情報を抽出することにより写真撮影命令入力日時を基準とした写真撮影条件に従い、上述した第１の実施の形態による従属デジタルスチルカメラ４Ａ乃至４Ｎと同様に撮像動画像データＤ３０から従属写真撮影画像データＤ２５を抽出し、当該抽出した従属写真撮影画像データＤ２５をＤＲＡＭ２２に格納する。
【０５１０】
そして従属コントローラ８０は、ＤＲＡＭ２２に格納した従属写真撮影画像データＤ２５に基づいて従属写真ファイルデータＤ２１を生成し、当該生成した従属写真ファイルデータＤ２１を記録媒体３６に記録する。
【０５１１】
このようにして従属コントローラ８０は、主体パーソナルコンピュータ６１から与えられる撮影命令に従って被写体を従属的に写真撮影した後、当該主体パーソナルコンピュータ６１から送信された従属写真撮影終了信号Ｓ６６をアンテナ２７で受信すると、送受信処理部２６においてその従属写真撮影終了信号Ｓ６６を受信処理し、得られた従属写真撮影終了データＤ６６を取り込むことにより、その従属写真撮影終了データＤ６６に従って従属写真撮影処理を終了する。
【０５１２】
また従属コントローラ８０は、主体パーソナルコンピュータ６１から主体動画撮影処理の実行に応じて送信された探索信号Ｓ６０Ｂをアンテナ２７で受信すると、送受信処理部２６においてその探索信号Ｓ６０Ｂを受信処理し、得られた探索データＤ６０Ｂを取り込む。
【０５１３】
これにより従属コントローラ８０は、探索データＤ６０Ｂに従って主体パーソナルコンピュータ６１による動画撮影制御処理に準じた従属動画撮影処理を開始して従属動作可能通知データＤ６１を生成し、これを送受信処理部２６に送出して送信処理し、得られた従属動作可能通知信号Ｓ６１をアンテナ２７から主体パーソナルコンピュータ６１に送信する。
【０５１４】
また従属コントローラ８０は、このとき上述した従属写真撮影処理時と同様に被写体を撮像しながら表示部１５に従属撮影通知用合成画面４１を表示し、この状態で主体パーソナルコンピュータ６１から引き続き送信された撮像静止画像要求信号Ｓ６３をアンテナ２７で受信すると、これに応じて撮像静止画像信号Ｓ６４をアンテナ２７から主体パーソナルコンピュータ６１に送信する。
【０５１５】
このようにして従属コントローラ８０は、被写体を撮像しながら主体パーソナルコンピュータ６１に定期的に撮像静止画像信号Ｓ６４を送信している状態で、当該主体パーソナルコンピュータ６１から送信された動画撮影命令信号Ｓ６７をアンテナ２７で受信すると、送受信処理部２６においてその動画撮影命令信号Ｓ６７を受信処理し、得られた動画撮影命令データＤ６７を取り込む。
【０５１６】
このとき従属コントローラ８０は、動画撮影命令データＤ６７に格納されている動画撮影命令入力日時情報及び動画撮影条件情報を抽出することにより動画撮影命令入力日時を基準とした動画撮影条件に従い、上述した第１の実施の形態による従属デジタルスチルカメラ４Ａ乃至４Ｎと同様に撮像動画像データＤ３０から従属動画撮影画像データＤ２６を抽出し、当該抽出した従属動画撮影画像データＤ２６をＤＲＡＭ２２に格納する。
【０５１７】
そして従属コントローラ８０は、ＤＲＡＭ２２に格納した従属動画撮影画像データＤ２６に基づいて従属動画ファイルデータＤ２３を生成し、当該生成した従属動画ファイルデータＤ２３を記録媒体３６に記録する。
【０５１８】
このようにして従属コントローラ８０は、主体パーソナルコンピュータ６１から与えられる撮影命令に従って被写体を従属的に動画撮影した後、当該主体パーソナルコンピュータ６１から送信された従属動画撮影終了信号Ｓ６８をアンテナ２７で受信すると、送受信処理部２６においてその従属動画撮影終了信号Ｓ６８を受信処理し、得られた従属動画撮影終了データＤ６８を取り込むことにより、その従属動画撮影終了データＤ６８に従って従属動画撮影処理を終了する。
【０５１９】
因みに従属コントローラ８０は、主体パーソナルコンピュータ６１から送信された写真撮影画像要求信号Ｓ６９をアンテナ２７で受信すると、上述した第１の実施の形態による従属デジタルスチルカメラ４Ａ乃至４Ｎと同様に写真撮影画像提供処理を実行することにより、当該写真撮影画像要求信号Ｓ６９に基づいて得られた写真撮影命令入力日時情報に従って特定した従属写真ファイルデータＤ２１を従属写真ファイル信号Ｓ１６としてアンテナ２７から主体パーソナルコンピュータ６１に送信する。
【０５２０】
また従属コントローラ８０は、主体パーソナルコンピュータ６１から送信された動画撮影画像要求信号Ｓ７０をアンテナ２７で受信すると、上述した第１の実施の形態による従属デジタルスチルカメラ４Ａ乃至４Ｎと同様に動画撮影画像提供処理を実行することにより、当該動画撮影画像要求信号Ｓ７０に基づいて得られた動画撮影命令入力日時情報に従って特定した従属動画ファイルデータＤ２３を従属動画ファイル信号Ｓ１８としてアンテナ２７から主体パーソナルコンピュータ６１に送信する。
【０５２１】
なお第３の実施の形態の場合、従属コントローラ８０は、自己の従属デジタルスチルカメラ６２Ａ乃至６２Ｎがパソコン無線通信範囲から外れて起動しているときや、当該パソコン無線通信範囲内で起動しているときでも、自己のシャッタボタン１４が押下されると、当該主体パーソナルコンピュータ６１からは独立して被写体を写真撮影及び動画撮影し得るようになされている。
【０５２２】
これにより従属コントローラ８０は、従属デジタルスチルカメラ６２Ａ乃至６２Ｎを主体パーソナルコンピュータ６１に対して従属的にのみ動作させるわけではなく、当該従属デジタルスチルカメラ６２Ａ乃至６２Ｎを単独でも使用させて使い勝手を向上させ得るようになされている。
【０５２３】
ここで撮影システム６０における主体パーソナルコンピュータ６１と複数の従属デジタルスチルカメラ６２Ａ乃至６２Ｎとによる写真撮影処理手順についてまとめると、図７（Ａ）との対応部分に同一符号を付した図２５（Ａ）に示すように、まず主体パーソナルコンピュータ６１のＣＰＵ６５は操作部６９を介して写真撮影制御命令が入力されると、撮影制御処理プログラムに従って写真撮影制御処理を実行することにより写真撮影制御処理手順ＲＴ１８に開始ステップから入って続くステップＳＰ１及びステップＳＰ２の処理を順次実行した後、ステップＳＰ１８１に移る。
【０５２４】
ステップＳＰ１８１においてＣＰＵ６５は、撮像静止画像要求信号Ｓ６３をアンテナ７３からパソコン無線通信範囲内に存在する従属デジタルスチルカメラ６２Ａ乃至６２Ｎに送信して、続くステップＳＰ１８２に移る。
【０５２５】
この際、図７（Ｂ）との対応部分に同一符号を付した図２５（Ｂ）に示すように、パソコン無線通信範囲内に存在する従属動作可能な複数の従属デジタルスチルカメラ６２Ａ乃至６２Ｎの従属コントローラ８０は、主体パーソナルコンピュータ６１から送信された探索信号Ｓ６０Ａの受信に応じて従属撮影処理プログラムに従い従属写真撮影処理を実行することにより従属写真撮影処理手順ＲＴ１９に開始ステップから入って続くステップＳＰ１１の処理を実行した後、ステップＳＰ１９１に移る。
【０５２６】
ステップＳＰ１９１において従属コントローラ８０は、主体パーソナルコンピュータ６１から送信された撮像静止画像要求信号Ｓ６３を受信して、続くステップＳＰ１９２に移る。
【０５２７】
ステップＳＰ１９２において従属コントローラ８０は、撮像静止画像要求信号Ｓ６３に従って、撮像動画像データＤ３０から所定周期で１枚の撮像静止画像に相当する撮像静止画像データＤ６２を抽出し、当該抽出した撮像静止画像データＤ６２を撮像静止画像信号Ｓ６４として主体パーソナルコンピュータ６１に送信する定期的な撮像静止画像信号Ｓ６４の送信を開始して、続くステップＳＰ１２に移る。
【０５２８】
このときステップＳＰ１８２においてＣＰＵ６５は、従属デジタルスチルカメラ６２Ａ乃至６２Ｎから定期的に送信される撮像静止画像信号Ｓ６４の受信を開始して、続くステップＳＰ１８３に移る。
【０５２９】
ステップＳＰ１８３においてＣＰＵ６５は、表示部７０にカメラ撮像状態通知画面７５を表示し、この後、撮像静止画像信号Ｓ６４を受信する毎に当該カメラ撮像状態通知画面７５内の撮像静止画像を更新するようにして、続くステップＳＰ１８４に移る。
【０５３０】
ステップＳＰ１８４においてＣＰＵ６５は、撮影命令が入力されたか否かを判断する。
【０５３１】
このステップＳＰ１８４において否定結果が得られると、このことは例えばユーザによりカメラ撮像状態通知画面７５内の定期的に更新する複数枚の撮像静止画像がそれぞれ目視されて複数の従属デジタルスチルカメラ６２Ａ乃至６２Ｎによる被写体の撮像状態が確認されているものの、当該被写体に対する写真撮影のシャッタチャンスがまだ到来してはいないと判断されて未だ撮影命令入力ボタンが押下されてはいないことを表しており、このときＣＰＵ６５はステップＳＰ１８５に移る。
【０５３２】
ステップＳＰ１８５においてＣＰＵ６５は、従属デジタルスチルカメラ６２Ａ乃至６２Ｎに対する写真撮影制御が終了したか否かを判断する。
【０５３３】
このステップＳＰ１８５において否定結果が得られると、このことは操作部６９を介して写真撮影制御終了命令が未だ入力されてはいないことにより、複数の従属デジタルスチルカメラ６２Ａ乃至６２Ｎにより被写体をまだ写真撮影する可能性があることを表しており、このときＣＰＵ６５はステップＳＰ１８４に戻る。
【０５３４】
これによりＣＰＵ６５は、この後、ステップＳＰ１８４及びステップＳＰ１８５において肯定結果が得られるまでの間は、当該ステップＳＰ１８４−ＳＰ１８５の処理を循環的に繰り返すことにより写真撮影のために撮影命令が入力されること、及び写真撮影制御終了命令が入力されることを待ち受ける。
【０５３５】
そしてステップＳＰ１８４において肯定結果が得られると、このことは例えばユーザによりカメラ撮像状態通知画面７５内の定期的に更新する複数枚の撮像静止画像がそれぞれ目視された結果、当該被写体に対する写真撮影のシャッタチャンスが到来したと判断されて撮影命令入力ボタンが押下されたことを表しており、このときＣＰＵ６５はステップＳＰ１８６に移る。
【０５３６】
ステップＳＰ１８６においてＣＰＵ６５は、写真撮影命令信号Ｓ６５をアンテナ７３からパソコン無線通信範囲内の従属デジタルスチルカメラ６２Ａ乃至６２Ｎに送信して、ステップＳＰ１８４に移る。
【０５３７】
このようにしてＣＰＵ６５は、この後、ステップＳＰ１８５において肯定結果が得られるまでの間はステップＳＰ１８４−ＳＰ１８５−ＳＰ１８６の処理を循環的に繰り返すことにより撮影命令が入力される毎に複数の従属デジタルスチルカメラ６２Ａ乃至６２Ｎに被写体を写真撮影させる。
【０５３８】
このとき従属コントローラ８０は、ステップＳＰ１２及びステップＳＰ１３の処理を循環的に繰り返して主体パーソナルコンピュータ６１から被写体に対する写真撮影が指示されること、及び従属写真撮影処理の終了が通知されることを待ち受け、当該主体パーソナルコンピュータ６１から送信された写真撮影命令信号Ｓ６５を受信することによりステップＳＰ１２において肯定結果を得ると、続くステップＳＰ１９３に移る。
【０５３９】
ステップＳＰ１９３において従属コントローラ８０は、写真撮影命令信号Ｓ６５に基づいて得られた写真撮影命令入力日時情報及び写真撮影条件情報に従って撮像動画像データＤ３０から従属写真撮影画像データＤ２５を抽出して、続くステップＳＰ１５の処理を実行した後、ステップＳＰ１２に戻る。
【０５４０】
このようにして従属コントローラ８０は、ステップＳＰ１３において肯定結果が得られるまでの間は、ステップＳＰ１２−ＳＰ１３−ＳＰ１９３−ＳＰ１５の処理を循環的に繰り返すことにより、主体パーソナルコンピュータ６１から被写体に対する写真撮影が指示される毎に、これに応じて被写体を写真撮影する。
【０５４１】
ところで上述したステップＳＰ１８５において肯定結果が得られると、このことは複数の従属デジタルスチルカメラ６２Ａ乃至６２Ｎを制御してユーザの納得するまで被写体を写真撮影したことにより、写真撮影制御終了命令が入力されたことを表しており、このときＣＰＵ６５はステップＳＰ８の処理を実行した後、続くステップＳＰ１８７に移って写真撮影制御処理手順ＲＴ１８を終了する。
【０５４２】
このとき従属コントローラ８０は、主体パーソナルコンピュータ６１から写真撮影制御処理の終了に応じて送信された従属写真撮影終了信号Ｓ６６を受信してステップＳＰ１３において肯定結果を得ることにより、続くステップＳＰ１９４に移って従属写真撮影処理手順ＲＴ１９を終了する。かくして撮影システム６０における写真撮影処理手順を全て終了する。
【０５４３】
また撮影システム６０における主体パーソナルコンピュータ６１と複数の従属デジタルスチルカメラ６２Ａ乃至６２Ｎとによる動画撮影処理手順についてまとめると、図９（Ａ）との対応部分に同一符号を付した図２６（Ａ）に示すように、まず主体パーソナルコンピュータ６１のＣＰＵ６５は操作部６９を介して動画撮影制御命令が入力されると、撮影制御処理プログラムに従って動画撮影制御処理を実行することにより動画撮影制御処理手順ＲＴ２０に開始ステップから入って続くステップＳＰ２１及びステップＳＰ２２の処理を順次実行した後、ステップＳＰ２０１に移る。
【０５４４】
ステップＳＰ２０１においてＣＰＵ６５は、撮像静止画像要求信号Ｓ６３をアンテナ７３からパソコン無線通信範囲内に存在する従属デジタルスチルカメラ６２Ａ乃至６２Ｎに送信して、続くステップＳＰ２０２に移る。
【０５４５】
この際、図９（Ｂ）との対応部分に同一符号を付した図２６（Ｂ）に示すように、パソコン無線通信範囲内に存在する従属動作可能な複数の従属デジタルスチルカメラ６２Ａ乃至６２Ｎの従属コントローラ８０は、主体パーソナルコンピュータ６１から送信された探索信号Ｓ６０Ｂの受信に応じて従属撮影処理プログラムに従い従属動画撮影処理を実行することにより従属動画撮影処理手順ＲＴ２１に開始ステップから入って続くステップＳＰ３１の処理を実行した後、ステップＳＰ２１１に移る。
【０５４６】
ステップＳＰ２１１において従属コントローラ８０は、主体パーソナルコンピュータ６１から送信された撮像静止画像要求信号Ｓ６３を受信して、続くステップＳＰ２１２に移る。
【０５４７】
ステップＳＰ２１２において従属コントローラ８０は、撮像静止画像要求信号Ｓ６３に従って、撮像動画像データＤ３０から所定周期で１枚の撮像静止画像に相当する撮像静止画像データＤ６２を抽出し、当該抽出した撮像静止画像データＤ６２を撮像静止画像信号Ｓ６４として主体パーソナルコンピュータ６１に送信する定期的な撮像静止画像信号Ｓ６４の送信を開始して、続くステップＳＰ３２に移る。
【０５４８】
このときステップＳＰ２０２においてＣＰＵ６５は、従属デジタルスチルカメラ６２Ａ乃至６２Ｎから定期的に送信される撮像静止画像信号Ｓ６４の受信を開始して、続くステップＳＰ２０３に移る。
【０５４９】
ステップＳＰ２０３においてＣＰＵ６５は、表示部７０にカメラ撮像状態通知画面７５を表示し、この後、撮像静止画像信号Ｓ６４を受信する毎に当該カメラ撮像状態通知画面７５内の撮像静止画像を更新するようにして、続くステップＳＰ２０４に移る。
【０５５０】
ステップＳＰ２０４においてＣＰＵ６５は、撮影命令が入力されたか否かを判断する。
【０５５１】
このステップＳＰ２０４において否定結果が得られると、このことは例えばユーザによりカメラ撮像状態通知画面７５内の定期的に更新する複数枚の撮像静止画像がそれぞれ目視されて複数の従属デジタルスチルカメラ６２Ａ乃至６２Ｎによる被写体の撮像状態が確認されているものの、当該被写体に対する動画撮影のシャッタチャンスがまだ到来してはいないと判断されて未だ撮影命令入力ボタンが押下されてはいないことを表しており、このときＣＰＵ６５はステップＳＰ２０５に移る。
【０５５２】
ステップＳＰ２０５においてＣＰＵ６５は、従属デジタルスチルカメラ６２Ａ乃至６２Ｎに対する動画撮影制御が終了したか否かを判断する。
【０５５３】
このステップＳＰ２０５において否定結果が得られると、このことは操作部６９を介して動画撮影制御終了命令が未だ入力されてはいないことにより、複数の従属デジタルスチルカメラ６２Ａ乃至６２Ｎにより被写体をまだ動画撮影する可能性があることを表しており、このときＣＰＵ６５はステップＳＰ２０４に戻る。
【０５５４】
これによりＣＰＵ６５は、この後、ステップＳＰ２０４及びステップＳＰ２０５において肯定結果が得られるまでの間は、当該ステップＳＰ２０４−ＳＰ２０５の処理を循環的に繰り返すことにより動画撮影のために撮影命令が入力されること、及び動画撮影制御終了命令が入力されることを待ち受ける。
【０５５５】
そしてステップＳＰ２０４において肯定結果が得られると、このことは例えばユーザによりカメラ撮像状態通知画面７５内の定期的に更新する複数枚の撮像静止画像がそれぞれ目視されながら被写体に対する動画撮影のシャッタチャンスが到来したと判断されて撮影命令入力ボタンが押下されたことを表しており、このときＣＰＵ６５はステップＳＰ２０６に移る。
【０５５６】
ステップＳＰ２０６においてＣＰＵ６５は、動画撮影命令信号Ｓ６７をアンテナ７３からパソコン無線通信範囲内の従属デジタルスチルカメラ６２Ａ乃至６２Ｎに送信して、ステップＳＰ２０４に移る。
【０５５７】
このようにしてＣＰＵ６５は、この後、ステップＳＰ２０５において肯定結果が得られるまでの間はステップＳＰ２０４−ＳＰ２０５−ＳＰ２０６の処理を循環的に繰り返すことにより撮影命令が入力される毎に複数の従属デジタルスチルカメラ６２Ａ乃至６２Ｎに被写体を動画撮影させる。
【０５５８】
このとき従属コントローラ８０は、ステップＳＰ３２及びステップＳＰ３３の処理を循環的に繰り返して主体パーソナルコンピュータ６１から被写体に対する動画撮影が指示されること、及び従属動画撮影処理の終了が通知されることを待ち受け、当該主体パーソナルコンピュータ６１から送信された動画撮影命令信号Ｓ６７を受信することによりステップＳＰ３２において肯定結果を得ると、続くステップＳＰ２１３に移る。
【０５５９】
ステップＳＰ２１３において従属コントローラ８０は、動画撮影命令信号Ｓ６７に基づいて得られた動画撮影命令入力日時情報及び動画撮影条件情報に従って撮像動画像データＤ３０から従属動画撮影画像データＤ２６を抽出して、続くステップＳＰ３５の処理を実行した後、ステップＳＰ３２に戻る。
【０５６０】
このようにして従属コントローラ８０は、ステップＳＰ３３において肯定結果が得られるまでの間は、ステップＳＰ３２−ＳＰ３３−ＳＰ２１３−ＳＰ３５の処理を循環的に繰り返すことにより、主体パーソナルコンピュータ６１から被写体に対する動画撮影が指示される毎に、これに応じて被写体を動画撮影する。
【０５６１】
ところで上述したステップＳＰ２０５において肯定結果が得られると、このことは複数の従属デジタルスチルカメラ６２Ａ乃至６２Ｎを制御してユーザの納得するまで被写体を動画撮影したことにより、動画撮影制御終了命令が入力されたことを表しており、このときＣＰＵ６５はステップＳＰ８の処理を実行した後、続くステップＳＰ２０７に移って動画撮影制御処理手順ＲＴ２０を終了する。
【０５６２】
このとき従属コントローラ８０は、主体パーソナルコンピュータ６１から動画撮影制御処理の終了に応じて送信された従属動画撮影終了信号Ｓ６８を受信してステップＳＰ３３において肯定結果を得ることにより、続くステップＳＰ２１４に移って従属動画撮影処理手順ＲＴ２１を終了する。かくして撮影システム６０における動画撮影処理手順を全て終了する。
【０５６３】
因みに撮影システム６０における主体パーソナルコンピュータ６１と複数の従属デジタルスチルカメラ６２Ａ乃至６２Ｎとによる写真撮影画像取得処理手順については、写真撮影命令入力日時情報を格納した写真撮影画像要求データＤ６９を写真撮影画像要求信号Ｓ６９として用いる点を除いて基本的には図１１（Ａ）及び（Ｂ）について上述した写真撮影画像取得処理手順と同様の手順で写真撮影画像の取得処理を実行していることによりフローチャートを用いた説明は省略する。
【０５６４】
また撮影システム６０における主体パーソナルコンピュータ６１と複数の従属デジタルスチルカメラ６２Ａ乃至６２Ｎとによる動画撮影画像取得処理手順についても、動画撮影命令入力日時情報を格納した動画撮影画像要求データＤ７０を動画撮影画像要求信号Ｓ７０として用いる点を除いて基本的には図１２（Ａ）及び（Ｂ）について上述した動画撮影画像取得処理手順と同様の手順で動画撮影画像の取得処理を実行していることによりフローチャートを用いた説明は省略する。
【０５６５】
以上の構成において、撮影システム６０は、写真撮影処理時、主体パーソナルコンピュータ６１において複数の従属デジタルスチルカメラ６２Ａ乃至６２Ｎからそれぞれ被写体を複数方向から撮像して生成した撮像静止画像データＤ６２を定期的に取得し、表示部７０に表示しているカメラ撮像状態通知画面７５内でその撮像静止画像データＤ６２に基づく撮像静止画像を定期的に更新しながら複数のデジタルスチルカメラ６２Ａ乃至６２Ｎによる複数方向からの被写体の撮像状態をユーザに目視させる（ステップＳＰ１乃至ステップＳＰ１８３並びにステップＳＰ１１乃至ステップＳＰ１９２）。
【０５６６】
この状態で撮影システム６０は、主体パーソナルコンピュータ６１において撮影命令が入力されると、写真撮影命令信号Ｓ６５を複数の従属デジタルスチルカメラ６２Ａ乃至６２Ｎに送信することにより（ステップＳＰ１８４及びステップＳＰ１８６）、当該複数の従属デジタルスチルカメラ６２Ａ乃至６２Ｎによりそれぞれ予め選択された写真撮影条件に従って被写体を写真撮影する（ステップＳＰ１２乃至ステップＳＰ１５）。
【０５６７】
また撮影システム６０は、動画撮影処理時、主体パーソナルコンピュータ６１において複数の従属デジタルスチルカメラ６２Ａ乃至６２Ｎからそれぞれ被写体を複数方向から撮像して生成した撮像静止画像データＤ６２を定期的に取得し、表示部７０に表示しているカメラ撮像状態通知画面７５内でその撮像静止画像データＤ６２に基づく撮像静止画像を定期的に更新しながら複数のデジタルスチルカメラ６２Ａ乃至６２Ｎによる複数方向からの被写体の撮像状態をユーザに目視させる（ステップＳＰ２１乃至ステップＳＰ２０３並びにステップＳＰ３１乃至ステップＳＰ２１２）。
【０５６８】
この状態で撮影システム６０は、主体パーソナルコンピュータ６１において撮影命令が入力されると、動画撮影命令信号Ｓ６７を複数の従属デジタルスチルカメラ６２Ａ乃至６２Ｎに送信することにより（ステップＳＰ２０４及びステップＳＰ２０６）、当該複数の従属デジタルスチルカメラ６２Ａ乃至６２Ｎでそれぞれ予め選択された動画撮影条件に従って被写体を動画撮影する（ステップＳＰ３２乃至ステップＳＰ３５）。
【０５６９】
従ってこの撮影システム６０は、主体パーソナルコンピュータ６１において複数の従属デジタルスチルカメラ６２Ａ乃至６２Ｎによる複数方向からの被写体の撮像状態を確認させながら、どの従属デジタルスチルカメラ６２Ａ乃至６２Ｎにおける被写体の撮像状態からでもシャッタチャンスを判断させて当該被写体を写真撮影及び動画撮影することができる。
【０５７０】
以上の構成によれば、主体パーソナルコンピュータ６１において複数の従属デジタルスチルカメラ６２Ａ乃至６２Ｎにおける被写体の撮影状態を確認させ、その状態で主体パーソナルコンピュータ６１から撮影命令が入力された時点に写真撮影命令信号Ｓ６５及び動画撮影命令信号Ｓ６７を当該複数の従属デジタルスチルカメラ６２Ａ乃至６２Ｎに送信して被写体を写真撮影及び動画撮影するようにしたことにより、上述した第１の実施の形態によって得られる効果に加えて、複数の従属デジタルスチルカメラ６２Ａ乃至６２Ｎにおける被写体の撮像状態のどれを基準としても被写体を写真撮影及び動画撮影することができ、かくして被写体に対する複数方向からのシャッタチャンスをそれぞれ逃さずに被写体に対するユーザの好みに合った撮影状態で当該被写体を写真撮影及び動画撮影することができる。
【０５７１】
なお上述した第３の実施の形態においては、主体パーソナルコンピュータ６１において写真撮影画像表示処理を実行した際に写真撮影画像を表示し、動画撮影画像表示処理を実行した際に動画撮影画像を表示するようにした場合について述べたが、本発明はこれに限らず、主体パーソナルコンピュータ６１において１つの撮影画像表示処理を実行している際に写真撮影画像及び動画撮影画像を混在させて表示するようにしても良い。
【０５７２】
また上述した第３の実施の形態においては、複数の従属デジタルスチルカメラ６２Ａ乃至６２Ｎにおいて被写体を動画撮影したときに撮像動画像データＤ３０から従属動画撮影画像データＤ２６を抽出するようにした場合について述べたが、本発明はこれに限らず、複数の従属デジタルスチルカメラ６２Ａ乃至６２Ｎおいて被写体を動画撮影したときに従属動画撮影画像データＤ２６を抽出すると共に、これに同期して周囲の音声を集音することにより音声データも合わせて生成し、当該生成した音声データも従属動画撮影画像データＤ２６と共に動画撮影の結果として記録するようにしても良い。
【０５７３】
さらに上述した第３の実施の形態においては、主体パーソナルコンピュータ６１において複数の従属デジタルスチルカメラ６２Ａ乃至６２Ｎに対する写真撮影条件及び動画撮影条件を任意に選択して保持するようにした場合について述べたが、本発明はこれに限らず、複数の従属デジタルスチルカメラ６２Ａ乃至６２Ｎでそれぞれ自己の写真撮影条件及び動画撮影条件を任意に選択して保持し、又は主体パーソナルコンピュータ６１で任意に選択した写真撮影条件及び動画撮影条件を複数の従属デジタルスチルカメラ６２Ａ乃至６２Ｎで保持するようにしても良い。
【０５７４】
さらに上述した第３の実施の形態においては、主体パーソナルコンピュータ６１から撮影命令が入力された主体撮影命令入力時点に写真撮影命令信号Ｓ６５及び動画撮影命令信号Ｓ６７を複数の従属デジタルスチルカメラ６２Ａ乃至６２Ｎに送信するようにした場合について述べたが、本発明はこれに限らず、主体パーソナルコンピュータ６１から撮影命令が入力されたとき、複数の従属デジタルスチルカメラ６２Ａ乃至６２Ｎにそれぞれ写真撮影条件及び動画撮影条件に従って主体撮影命令入力時点又は当該主体撮影命令入力時点から写真撮影遅延時間及び動画撮影遅延時間経過後の写真撮影時点及び動画撮影開始時点に写真撮影命令信号Ｓ６５及び動画撮影命令信号Ｓ６７を複数の従属デジタルスチルカメラ６２Ａ乃至６２Ｎに送信するようにしても良い。
【０５７５】
さらに上述した第３の実施の形態においては、複数の従属デジタルスチルカメラ６２Ａ乃至６２Ｎで被写体を従属的に写真撮影及び動画撮影して生成した従属写真撮影画像データＤ２５及び従属動画撮影画像データＤ２６を主体パーソナルコンピュータ６１に集めて一括して記録するようにした場合について述べたが、本発明はこれに限らず、主体パーソナルコンピュータ６１において、複数の従属デジタルスチルカメラ６２Ａ乃至６２Ｎでそれぞれ生成した従属写真撮影画像データＤ２５及び従属動画撮影画像データＤ２６の一部を集めて記録し、又は主体パーソナルコンピュータ６１及び複数の従属デジタルスチルカメラ６２Ａ乃至６２Ｎでそれぞれ従属写真撮影画像データＤ２５及び従属動画撮影画像データＤ２６を共有化して記録するようにしても良い。また従属デジタルスチルカメラ６２Ａ乃至６２Ｎで主体パーソナルコンピュータ６１に従属写真撮影画像データＤ２５及び従属動画撮影画像データＤ２６を提供するか否かを任意に選択させるようにしても良い。
【０５７６】
さらに上述した第３の実施の形態においては、主体パーソナルコンピュータ６１において写真撮影制御処理及び動画撮影制御処理を実行した後に写真撮影画像取得処理及び動画撮影画像取得処理を実行して複数の従属デジタルスチルカメラ６２Ａ乃至６２Ｎから従属写真ファイルデータＤ２１及び従属動画ファイルデータＤ２３を取得するようにした場合について述べたが、本発明はこれに限らず、主体パーソナルコンピュータ６１において写真撮影制御処理に写真撮影画像取得処理を組み込むと共に、動画撮影制御処理に動画撮影画像取得処理を組み込み、当該写真撮影制御処理及び動画撮影制御処理を実行しながら複数の従属デジタルスチルカメラ６２Ａ乃至６２Ｎから被写体を写真撮影及び動画撮影する毎に従属写真ファイルデータＤ２１及び従属動画ファイルデータＤ２３を順次取得するようにしても良い。
【０５７７】
また主体パーソナルコンピュータ６１及び又は複数の従属デジタルスチルカメラ６２Ａ乃至６２Ｎにおいてそれぞれ起動停止命令が入力された際に外見上起動を停止しながら従属写真ファイルデータＤ２１及び従属動画ファイルデータＤ２３を取得するようにしても良く、このようにすればＣＰＵ６５及び従属コントローラ８０に対して写真撮影や動画撮影等の他の機能を停止させる分、処理負荷を大幅に低減させて当該従属写真ファイルデータＤ２１及び従属動画ファイルデータＤ２３を取得することができる。
【０５７８】
さらに上述した第３の実施の形態においては、主体パーソナルコンピュータ６１及び複数の従属デジタルスチルカメラ６２Ａ乃至６２Ｎで写真撮影制御処理及び従属写真撮影処理と、動画撮影制御処理及び従属動画撮影処理とを別々に実行するようにした場合について述べたが、本発明はこれに限らず、主体パーソナルコンピュータ６１及び複数の従属デジタルスチルカメラ６２Ａ乃至６２Ｎで写真撮影制御処理及び動画撮影制御処理と、従属写真撮影処理及び従属動画撮影処理とを混在させて実行するようにしても良く、写真撮影制御処理及び動画撮影制御処理と従属写真撮影処理及び従属動画撮影処理とを混在させる場合の組み合せについては任意に選択させるようにしても良い。このようにすれば、写真撮影と動画撮影とを合わせて実行することができ、これにより被写体を撮影したいと思ったときに、当該被写体の様子を写真撮影画像及び動画撮影画像の両方で記録することができる。
【０５７９】
さらに上述した第３の実施の形態においては、従属デジタルスチルカメラ６２Ａ乃至６２Ｎに対して予め動画撮影時間を設定しておくようにした場合について述べたが、本発明はこれに限らず、動画撮影時間を特には設定せずに、例えば動画撮影の際に主体パーソナルコンピュータ６１と従属デジタルスチルカメラ６２Ａ乃至６２Ｎとの間で常時通信して当該主体パーソナルコンピュータ６１で動画撮影を命令した時点で、予め設定している順番に従って１台目の従属デジタルスチルカメラ６２Ａ乃至６２Ｎで動画撮影を開始し、当該従属デジタルスチルカメラ６２Ａ乃至６２Ｎでシャッタボタン１４が再び１度押下される等してその動画撮影を終了した時点で、さらに２台目の従属デジタルスチルカメラ６２Ａ乃至６２Ｎで動画撮影を開始するようにして最後の従属デジタルスチルカメラ６２Ａ乃至６２Ｎが動画撮影を開始した後、シャッタボタン１４が２度連続して押下される等して全ての動画撮影を終了するように、複数の従属デジタルスチルカメラ６２Ａ乃至６２Ｎにおいて順番かつ連続して所望の動画撮影時間だけ動画撮影を実行するようにしても良い。
【０５８０】
このようにすれば、図１０について上述したような動画撮影を、動画撮影条件を選択するための事前の処理や、１度選択した動画撮影時間に規制されることなく、自由に実行することができる。
【０５８１】
さらに上述した第３の実施の形態においては、主体パーソナルコンピュータ６１及び複数の従属デジタルスチルカメラ６２Ａ乃至６２Ｎを１人のユーザが使用するようにした場合について述べたが、本発明はこれに限らず、主体パーソナルコンピュータ６１及び複数の従属デジタルスチルカメラ６２Ａ乃至６２Ｎをそれぞれ異なるユーザが使用するようにしても良い。
【０５８２】
さらに上述した第３の実施の形態においては、写真撮影処理時及び動画撮影処理時に複数の従属デジタルスチルカメラ６２Ａ乃至６２Ｎでそれぞれ被写体を撮像して生成した撮像動画像データＤ３０から定期的に抽出した撮像静止画像データＤ６２を主体パーソナルコンピュータ６１に取り込んでカメラ撮像状態通知画面７５内にその撮像静止画像データＤ６２に基づく撮像静止画像を定期的に更新して表示するようにした場合について述べたが、本発明はこれに限らず、写真撮影処理時及び動画撮影処理時に複数の従属デジタルスチルカメラ６２Ａ乃至６２Ｎでそれぞれ被写体を撮像して生成した撮像動画像データＤ３０をそのまま主体パーソナルコンピュータ６１に取り込んでカメラ撮像状態通知画面７５内に撮像動画像データＤ３０に基づく撮像動画像を表示するようにしても良い。このようにすれば、主体パーソナルコンピュータ６１に撮像静止画像データＤ６２を定期的に取り込む場合に比べて、被写体の撮像状態を撮像動画像として常時確認し得ることによりシャッタチャンスを逃したりすることをほぼ確実に防止することができる。
【０５８３】
（４）他の実施の形態
なお上述した第１乃至第３の実施の形態においては、主体デジタルスチルカメラ３及び従属デジタルスチルカメラ４Ａ乃至４Ｎにおいて主体コントローラ２０の内部のＲＯＭに予め格納した主体撮影処理プログラム、撮影画像取得処理プログラム及び従属コントローラ４０の内部のＲＯＭに予め格納した従属撮影処理プログラム、撮影画像提供処理プログラムに従って図７（Ａ）及び（Ｂ）について上述した写真撮影処理手順、図９（Ａ）及び（Ｂ）について上述した動画撮影処理手順、図１１（Ａ）及び（Ｂ）について上述した写真撮影画像取得処理手順、図１２（Ａ）及び（Ｂ）について上述した動画撮影画像取得処理手順を実行するようにした場合について述べたが、本発明はこれに限らず、主体撮影処理プログラム、撮影画像取得処理プログラム、従属撮影処理プログラム及び撮影画像提供処理プログラムをローカルエリアネットワークやインターネット、デジタル衛星放送等の有線及び無線通信媒体を利用して主体デジタルスチルカメラ３及び従属デジタルスチルカメラ４Ａ乃至４Ｎにインストールすることにより写真撮影処理手順、動画撮影処理手順、写真撮影画像取得処理手順及び動画撮影画像取得処理手順を実行するようにしても良いし、主体撮影処理プログラム、撮影画像取得処理プログラム、従属撮影処理プログラム及び撮影画像提供処理プログラムが格納されたプログラム格納媒体を主体デジタルスチルカメラ３及び従属デジタルスチルカメラ４Ａ乃至４Ｎにインストールすることにより写真撮影処理手順、動画撮影処理手順、写真撮影画像取得処理手順及び動画撮影画像取得処理手順を実行するようにしても良い。
【０５８４】
またデジタルスチルカメラ５１Ａ乃至５１Ｎにおいてコントローラ５５の内部のＲＯＭに予め格納した主体従属設定処理プログラム、主体撮影処理プログラム、従属撮影処理プログラム、撮影画像共有処理プログラムに従って図１６について上述した主体従属設定処理手順、図１７（Ａ）及び（Ｂ）について上述した写真撮影処理手順、図１８（Ａ）及び（Ｂ）について上述した動画撮影処理手順、図１９（Ａ）及び（Ｂ）について上述した写真撮影画像共有処理手順、図２０（Ａ）及び（Ｂ）について上述した動画撮影画像共有処理手順を実行するようにした場合について述べたが、本発明はこれに限らず、主体従属設定処理プログラム、主体撮影処理プログラム、従属撮影処理プログラム及び撮影画像共有処理プログラムをローカルエリアネットワークやインターネット、デジタル衛星放送等の有線及び無線通信媒体を利用してデジタルスチルカメラ５１Ａ乃至５１Ｎにインストールすることにより主体従属設定処理手順、写真撮影処理手順、動画撮影処理手順、写真撮影画像共有処理手順及び動画撮影画像共有処理手順を実行するようにしても良いし、主体従属設定処理プログラム、主体撮影処理プログラム、従属撮影処理プログラム及び撮影画像共有処理プログラムが格納されたプログラム格納媒体をデジタルスチルカメラ５１Ａ乃至５１Ｎにインストールすることにより主体従属設定処理手順、写真撮影処理手順、動画撮影処理手順、写真撮影画像共有処理手順及び動画撮影画像共有処理手順を実行するようにしても良い。
【０５８５】
さらに主体パーソナルコンピュータ６１及び従属デジタルスチルカメラ６２Ａ乃至６２ＮにおいてＲＯＭ６８に予め格納した撮影制御処理プログラム及び従属コントローラ８０の内部のＲＯＭに予め格納した従属撮影処理プログラムに従って図２５（Ａ）及び（Ｂ）について上述した写真撮影処理手順、図２６（Ａ）及び（Ｂ）について上述した動画撮影処理手順を実行するようにした場合について述べたが、本発明はこれに限らず、撮影制御処理プログラム及び従属撮影処理プログラムをローカルエリアネットワークやインターネット、デジタル衛星放送等の有線及び無線通信媒体を利用して主体パーソナルコンピュータ６１及び従属デジタルスチルカメラ６２Ａ乃至６２Ｎにインストールすることにより写真撮影処理手順及び動画撮影処理手順を実行するようにしても良いし、撮影制御処理プログラム及び従属撮影処理プログラムが格納されたプログラム格納媒体を主体パーソナルコンピュータ６１及び従属デジタルスチルカメラ６２Ａ乃至６２Ｎにインストールすることにより写真撮影処理手順及び動画撮影処理手順を実行するようにしても良い。
【０５８６】
因みに上述した写真撮影処理手順、動画撮影処理手順、写真撮影画像取得処理手順、動画撮影画像取得処理手順、主体従属設定処理手順、写真撮影画像共有処理手順及び動画撮影画像共有処理手順を実行するための主体撮影処理プログラム、従属撮影処理プログラム、撮影画像取得処理プログラム、撮影画像提供処理プログラム、主体従属設定処理プログラム、撮影画像共有処理プログラム及び撮影制御処理プログラムを主体デジタルスチルカメラ３、従属デジタルスチルカメラ４Ａ乃至４Ｎ及び６２Ａ乃至６２Ｎ、デジタルスチルカメラ５１Ａ乃至５１Ｎ、主体パーソナルコンピュータ６１にインストールして実行可能な状態にするためのプログラム格納媒体としては、例えばフレキシブルディスク、ＣＤ−ＲＯＭ（Compact Disc-Read Only Memory ）、ＤＶＤ（Digital Versatile Disc）等のパッケージメディアのみならず、主体撮影処理プログラム、従属撮影処理プログラム、撮影画像取得処理プログラム、撮影画像提供処理プログラム、主体従属設定処理プログラム、撮影画像共有処理プログラム及び撮影制御処理プログラムが一時的もしくは永続的に格納される半導体メモリや磁気ディスク等で実現しても良い。またこれらプログラム格納媒体に主体撮影処理プログラム、従属撮影処理プログラム、撮影画像取得処理プログラム、撮影画像提供処理プログラム、主体従属設定処理プログラム、撮影画像共有処理プログラム及び撮影制御処理プログラムを格納する手段としては、ローカルエリアネットワークやインターネット、デジタル衛星放送等の有線及び無線通信媒体を利用しても良く、ルータやモデム等の各種通信インターフェースを介して格納するようにしても良い。
【０５８７】
また上述した第１乃至第３の実施の形態においては、本発明による撮影システムを図１乃至図２６について上述した撮影システム１、５０、６０に適用するようにした場合について述べたが、本発明はこれに限らず、撮影主体装置に対する従属として被写体を撮影する複数の撮影装置としてデジタルビデオカメラ、カメラ付きパーソナルコンピュータ、カメラ付き携帯電話機、カメラ付きＰＤＡ（Personal Digital Assistance ）をそれぞれ単独で用い、又はこれらとデジタルスチルカメラとを混合させて用いて無線及び有線により通信接続して構築した撮影システムや、被写体に対する撮影の主体となる撮影主体装置として主体パーソナルコンピュータに代えて携帯電話機、ＰＤＡ等を用いた撮影システム等のように、この他種々の撮影システムに広く適用することができる。
【０５８８】
さらに上述した第１乃至第３の実施の形態においては、従属的に被写体を撮影する複数の従属撮影装置と通信接続し、当該被写体に対する撮影の主体となる撮影主体装置として、図１乃至図２６について上述した主体デジタルスチルカメラ３、デジタルスチルカメラ５１Ａ乃至５１Ｎ、主体パーソナルコンピュータ６１を適用するようにした場合について述べたが、本発明はこれに限らず、デジタルビデオカメラ、デスクトップ型のパーソナルコンピュータ、携帯電話機、ＰＤＡ等のように、この他種々の撮影主体装置を広く適用することができる。
【０５８９】
さらに上述した第１乃至第３の実施の形態においては、被写体に対する撮影命令を任意の時点で入力させるための撮影命令入力手段として、図１乃至図２６について上述したシャッタボタン１４及び撮影命令入力ボタンを適用するようにした場合について述べたが、本発明はこれに限らず、被写体に対する撮影命令を入力することができれば、タッチパネルやポインティングデバイス等のように、この他種々の撮影命令入力手段を広く適用することができる。
【０５９０】
さらに上述した第１乃至第３の実施の形態においては、撮影命令入力手段を介して撮影命令が入力されると、各従属撮影装置に被写体を撮影させることにより当該被写体の撮影像に応じた従属撮影画像データを生成させて記録させるための撮影命令データを当該各従属撮影装置に送信する撮影命令データ送信手段として、図１乃至図２６について上述した送受信処理部２６、７２及びアンテナ２７、７３を適用するようにした場合について述べたが、本発明はこれに限らず、有線接続用のインターフェース回路等のように、この他種々の撮影命令データ送信手段を広く適用することができる。
【０５９１】
さらに上述した第１乃至第３の実施の形態においては、各従属撮影装置から送信される従属撮影画像データを受信する撮影画像データ受信手段として、図１乃至図２６について上述した送受信処理部２６、７２及びアンテナ２７、７３を適用するようにした場合について述べたが、本発明はこれに限らず、有線接続用のインターフェース回路等のように、この他種々の撮影画像データ受信手段を広く適用することができる。
【０５９２】
さらに上述した第１乃至第３の実施の形態においては、撮影画像データ受信手段で受信した従属撮影画像データを記録する主体記録手段として、図１乃至図２６について上述した記録再生制御部３５及び記録媒体３６、ハードディスクドライブ７１を適用するようにした場合について述べたが、本発明はこれに限らず、光磁気ディスクや内蔵型の半導体メモリ等のように、この他種々の主体記録手段を広く適用することができる。
【０５９３】
さらに上述した第１乃至第３の実施の形態においては、撮影命令入力手段を介して撮影命令が入力された撮影命令入力時点に被写体を撮影することにより当該被写体の撮影像に応じた主体撮影画像データを生成する主体撮影画像データ生成手段として、図１乃至図２６についてレンズ１１、固体撮像素子２８、データ生成部２９、データ抽出部３０、主体コントローラ２０、コントローラ５５を適用するようにした場合について述べたが、本発明はこれに限らず、撮影命令入力手段を介して撮影命令が入力された撮影命令入力時点に被写体を撮影することにより当該被写体の撮影像に応じた主体撮影画像データを生成することができれば、この他種々の主体撮影画像データ生成手段を広く適用することができる。
【０５９４】
さらに上述した第１乃至第３の実施の形態においては、送信相手となる従属撮影装置で生成した従属撮影画像データのみを除く他の従属撮影画像データを主体撮影画像データと共にまとめて共有用撮影画像データ群を生成する画像データ群生成手段として、図１乃至図２６についてコントローラ５５を適用するようにした場合について述べたが、本発明はこれに限らず、ＣＰＵやマイクロプロセッサ等のように、この他種々の画像データ群生成手段を広く適用することができる。
【０５９５】
さらに上述した第１乃至第３の実施の形態においては、画像データ群生成手段で生成した共有用撮影画像データ群を、主体撮影画像データ及び従属撮影画像データを各従属撮影装置と共有するために送信相手となる従属撮影装置に送信する画像データ群送信手段として、図１乃至図２６について上述した送受信処理部２６及びアンテナ２７を適用するようにした場合について述べたが、本発明はこれに限らず、有線接続用のインターフェース回路等のように、この他種々の画像データ群送信手段を広く適用することができる。
【０５９６】
さらに上述した第１乃至第３の実施の形態においては、各従属撮影装置による被写体に対する撮影の主体に設定するように主体設定要求を入力するための設定要求入力手段として、図１乃至図２６について半押し可能なシャッタボタン１４を適用するようにした場合について述べたが、本発明はこれに限らず、主体設定要求を入力するための専用のボタンや、タッチパネル等のように、この他種々の設定要求入力手段を広く適用することができる。
【０５９７】
さらに上述した第１乃至第３の実施の形態においては、各従属撮影装置から自己を被写体に対する撮影の主体に設定して当該主体の設定を宣言するために送信された主体設定宣言データを受信する設定宣言データ受信手段として、図１乃至図２６について上述した送受信処理部２６及びアンテナ２７を適用するようにした場合について述べたが、本発明はこれに限らず、有線接続用のインターフェース回路等のように、この他種々の設定宣言データ受信手段を広く適用することができる。
【０５９８】
さらに上述した第１乃至第３の実施の形態においては、設定要求入力手段を介して入力される主体設定要求と、設定宣言データ受信手段で受信する主体設定宣言データとに基づいて、従属撮影装置が主体に設定されるよりも早い時点に主体設定要求が入力されると、各従属撮影装置による被写体に対する撮影の主体に設定し、主体設定要求が入力されるよりも早い時点に従属撮影装置が主体に設定されると、従属的に被写体を撮影するように主体に設定された従属撮影装置に対して従属に設定する主体従属設定手段として、図１乃至図２６について上述したコントローラ５５を適用するようにした場合について述べたが、本発明はこれに限らず、ＣＰＵやマイクロプロセッサ等のように、この他種々の主体従属設定手段を広く適用することができる。
【０５９９】
さらに上述した第１乃至第３の実施の形態においては、被写体に対する撮影の主体となる撮影主体装置と通信接続し、当該撮影主体装置の従属として被写体を撮影する従属撮影装置として、図１乃至図２６について上述した従属デジタルスチルカメラ４Ａ乃至４Ｎ、６２Ａ乃至６２Ｎ、デジタルスチルカメラ５１Ａ乃至５１Ｎを適用するようにした場合について述べたが、本発明はこれに限らず、デジタルビデオカメラ、カメラ付きパーソナルコンピュータ、カメラ付き携帯電話機、カメラ付きＰＤＡ等のように、この他種々の従属撮影装置を広く適用することができる。
【０６００】
さらに上述した第１乃至第３の実施の形態においては、撮影主体装置から任意の時点で入力された被写体に対する撮影命令に応じて送信された撮影命令データを受信する撮影命令データ受信手段として、図１乃至図２６について送受信処理部２６及びアンテナ２７を適用するようにした場合について述べたが、本発明はこれに限らず、有線接続用のインターフェース回路等のように、この他種々の撮影命令データ受信手段を広く適用することができる。
【０６０１】
さらに上述した第１乃至第３の実施の形態においては、撮影命令データ受信手段で受信した撮影命令データに応じて、被写体を撮影することにより当該被写体の撮影像に応じた従属撮影画像データを生成する従属撮影画像データ生成手段として、図１乃至図２６について上述したレンズ１１、固体撮像素子２８、データ生成部２９、データ抽出部３０及び８１、従属コントローラ４０及び８０、コントローラ５５を適用するようにした場合について述べたが、本発明はこれに限らず、撮影命令データ受信手段で受信した撮影命令データに応じて、被写体を撮影することにより当該被写体の撮影像に応じた従属撮影画像データを生成することができれば、この他種々の従属撮影画像データ生成手段を広く適用することができる。
【０６０２】
さらに上述した第１乃至第３の実施の形態においては、従属撮影画像データ生成手段で生成した従属撮影画像データを記録する従属記録手段として、図１乃至図２６について上述した記録再生制御部３５及び記録媒体３６を適用するようにした場合について述べたが、本発明はこれに限らず、光磁気ディスクや内蔵型の半導体メモリ等のように、この他種々の従属記録手段を広く適用することができる。
【０６０３】
さらに上述した第１乃至第３の実施の形態においては、従属撮影画像データ生成手段で生成した従属撮影画像データを、撮影主体装置で記録するために当該撮影主体装置に送信する撮影画像データ送信手段して、図１乃至図２６について上述した送受信処理部２６、アンテナ２７を適用するようにした場合について述べたが、本発明はこれに限らず、有線線接続用のインターフェース回路等のように、この他種々の撮影画像データ送信手段を広く適用することができる。
【０６０４】
さらに上述した第１乃至第３の実施の形態においては、撮影主体装置から送信された、他の従属撮影装置で被写体を撮影することにより生成された当該被写体の撮影像に応じた他の従属撮影画像データと、当該撮影主体装置で撮影命令が入力された撮影命令入力時点に被写体を撮影することにより生成された当該被写体の撮影像に応じた主体撮影画像データとをまとめた共有用撮影画像データ群を受信する画像データ群受信手段として、図１乃至図２６について上述した送受信処理部２６及びアンテナ２７を適用するようにした場合について述べたが、本発明はこれに限らず、有線接続用のインターフェース回路等のように、この他種々の画像データ群受信手段を広く適用することができる。
【０６０５】
さらに上述した第１乃至第３の実施の形態においては、撮影主体装置に代えて被写体に対する撮影の主体に設定するように主体設定要求を入力するための設定要求入力手段として、図１乃至図２６について半押し可能なシャッタボタン１４を適用するようにした場合について述べたが、本発明はこれに限らず、主体設定要求を入力するための専用のボタンや、タッチパネル等のように、この他種々の設定要求入力手段を広く適用することができる。
【０６０６】
さらに上述した第１乃至第３の実施の形態においては、撮影主体装置及び他の従属撮影装置から自己を被写体に対する撮影の主体に設定して当該主体の設定を宣言するために送信された主体設定宣言データを受信する設定宣言データ受信手段として、図１乃至図２６について上述した送受信処理部２６及びアンテナ２７を適用するようにした場合について述べたが、本発明はこれに限らず、有線接続用のインターフェース回路等のように、この他種々の設定宣言データ受信手段を広く適用することができる。
【０６０７】
さらに上述した第１乃至第３の実施の形態においては、設定要求入力手段を介して入力される主体設定要求と、設定宣言データ受信手段で受信する主体設定宣言データとに基づいて、撮影主体装置及び他の従属撮影装置が主体に設定されるよりも早い時点に主体設定要求が入力されると、撮影主体装置及び他の従属撮影装置による被写体に対する撮影の主体に設定し、主体設定要求が入力されるよりも早い時点に撮影主体装置及び他の従属撮影装置が被写体に対する撮影の主体に設定されると、従属的に被写体を撮影するように主体に設定された撮影主体装置及び他の従属撮影装置に対して従属に設定する主体従属設定手段として、図１乃至図２６について上述したコントローラ５５を適用するようにした場合について述べたが、本発明はこれに限らず、ＣＰＵやマイクロプロセッサ等のように、この他種々の主体従属設定手段を広く適用することができる。
【図面の簡単な説明】
【０６０８】
【図１】本発明による撮影システムの全体構成の第１の実施の形態を示す略線図である。
【図２】主体デジタルスチルカメラの外観構成を示す略線図である。
【図３】主体デジタルスチルカメラの回路構成を示すブロック図である。
【図４】従属カメラ通知用合成画面の構成を示す略線図である。
【図５】従属デジタルスチルカメラの回路構成を示すブロック図である。
【図６】従属撮影通知用合成画面の構成を示す略線図である。
【図７】第１の実施の形態による撮影システムにおける写真撮影処理手順を示すフローチャートである。
【図８】移動する被写体に対する写真撮影及び動画撮影の説明に供する略線図である。
【図９】第１の実施の形態による撮影システムにおける動画撮影処理手順を示すフローチャートである。
【図１０】移動する被写体に対する連続した動画撮影の説明に供する略線図である。
【図１１】第１の実施の形態による撮影システムにおける写真撮影画像取得処理手順を示すフローチャートである。
【図１２】第１の実施の形態による撮影システムにおける動画撮影画像取得処理手順を示すフローチャートである。
【図１３】第２の実施の形態による撮影システムの構成を示す略線図である。
【図１４】デジタルスチルカメラの回路構成を示すブロック図である。
【図１５】複数のデジタルスチルカメラにおける写真ファイルデータの共有化の説明に供する略線図である。
【図１６】主体従属設定処理手順を示すフローチャートである。
【図１７】第２の実施の形態による撮影システムにおける写真撮影処理手順を示すフローチャートである。
【図１８】第２の実施の形態による撮影システムにおける動画撮影処理手順を示すフローチャートである。
【図１９】第２の実施の形態による撮影システムにおける写真撮影画像共有処理手順を示すフローチャートである。
【図２０】第２の実施の形態による撮影システムにおける動画撮影画像共有処理手順を示すフローチャートである。
【図２１】第３の実施の形態による撮影システムの全体構成を示す略線図である。
【図２２】主体パーソナルコンピュータの回路構成を示すブロック図である。
【図２３】カメラ撮像状態通知画面の構成を示す略線図である。
【図２４】従属デジタルスチルカメラの回路構成を示すブロック図である。
【図２５】第３の実施の形態による撮影システムにおける写真撮影処理手順を示すフローチャートである。
【図２６】第３の実施の形態による撮影システムにおける動画撮影処理手順を示すフローチャートである。
【符号の説明】
【０６０９】
１、５０、６０……撮影システム、２……被写体、３……主体デジタルスチルカメラ、４Ａ乃至４Ｎ、６２Ａ乃至６２Ｎ……従属デジタルスチルカメラ、１１……レンズ、１４……シャッタボタン、２０……主体コントローラ、２６、７２……送受信処理部、２７、７３……アンテナ、２８……固体撮像素子、２９……データ生成部、３０、８１……データ抽出部、３５……記録再生制御部、３６……記録媒体、４０、８０……従属コントローラ、５１Ａ乃至５１Ｎ……デジタルスチルカメラ、５５……コントローラ、６１……主体パーソナルコンピュータ、６５……ＣＰＵ、７１……ハードディスクドライブ、Ｄ１１……主体写真撮影画像データ、Ｄ１３、Ｄ４７、Ｄ６５……写真撮影命令データ、Ｄ１６……主体動画撮影画像データ、Ｄ１８、Ｄ４８、Ｄ６７……動画撮影命令データ、Ｄ２５……従属写真撮影画像データ、Ｄ２６……従属動画撮影画像データ、Ｄ４５……主体設定宣言データ、Ｄ５０……共有用写真ファイルデータ群、Ｄ５３……共有用動画ファイルデータ群、ＲＴ１、ＲＴ１０……主体写真撮影処理手順、ＲＴ２、ＲＴ１１、ＲＴ１９……従属写真撮影処理手順、ＲＴ３、ＲＴ１２……主体動画撮影処理手順、ＲＴ４、ＲＴ１３、ＲＴ２１……従属動画撮影処理手順、ＲＴ５……写真撮影画像取得処理手順、ＲＴ６……写真撮影画像提供処理手順、ＲＴ７……動画撮影画像取得処理手順、ＲＴ８……動画撮影画像提供処理手順、ＲＴ９……主体従属設定処理手順、ＲＴ１４……主体写真撮影画像共有処理手順、ＲＴ１５……従属写真撮影画像共有処理手順、ＲＴ１６……主体動画撮影画像共有処理手順、ＲＴ１７……従属動画撮影画像共有処理手順、ＲＴ１８……写真撮影制御処理手順、ＲＴ２０……動画撮影制御処理手順。
【図１】
2006157897.tif 000003
【図２】
2006157897.tif 000004
【図３】
2006157897.tif 000005
【図４】
2006157897.tif 000006
【図５】
2006157897.tif 000007
【図６】
2006157897.tif 000008
【図７】
2006157897.tif 000009
【図８】
2006157897.tif 000010
【図９】
2006157897.tif 000011
【図１０】
2006157897.tif 000012
【図１１】
2006157897.tif 000013
【図１２】
2006157897.tif 000014
【図１３】
2006157897.tif 000015
【図１４】
2006157897.tif 000016
【図１５】
2006157897.tif 000017
【図１６】
2006157897.tif 000018
【図１７】
2006157897.tif 000019
【図１８】
2006157897.tif 000020
【図１９】
2006157897.tif 000021
【図２０】
2006157897.tif 000022
【図２１】
2006157897.tif 000023
【図２２】
2006157897.tif 000024
【図２３】
2006157897.tif 000025
【図２４】
2006157897.tif 000026
【図２５】
2006157897.tif 000027
【図２６】
2006157897.tif 000028